(57)【特許請求の範囲】
【請求項１】
遊技者の操作によって遊技媒体が打ち込まれる遊技領域、後方に配置された配置物が視認可能な貫通口が穿設されている遊技盤と、
前記遊技領域の下方から左右何れか一方側の内周面に沿って、前記遊技領域の上方へと前記遊技媒体を案内する案内手段と、
前記遊技領域の下部に備えられ、前記遊技媒体を前記遊技領域外の領域へと排出する排出口と、
前記遊技盤の前記貫通口を前方から覆うように配置された枠状の主役物と、
該主役物の枠状の内側を通して遊技者から視認可能に前記遊技盤の後方に配置され、外形が所定キャラクタの顔における上顎から上の部位が立体的に造形されると共に、該所定キャラクタの目に相当する部位に発光する表示態様が変化する発光装飾表示手段を備えた第一可動体と、
該第一可動体の下方で前記主役物の枠状の内側を通して遊技者から視認可能に前記遊技盤の後方に配置され、外形が前記所定キャラクタの顔における下顎の部位が立体的に造形されると共に、発光可能な第二可動体と、
前記第一可動体及び前記第二可動体が前面側に出没自在とされると共に、前記主役物の枠状の内側を通して遊技者から視認可能に前記遊技盤の後方に配置され、所定の演出態様を表示可能な演出表示手段と、
該演出表示手段の左右何れか一方の外側で前記遊技盤の後面側に取付固定され、前記第一可動体を片持支持して上下方向に移動させる第一駆動ユニットと、
該第一駆動ユニットとは反対側である前記演出表示手段の左右何れか他方の外側で前記遊技盤の後面側に取付固定され、前記第二可動体を片持支持して上下方向に移動させる第二駆動ユニットと
を具備し、
前記主役物は、
前記遊技媒体が左右方向に転動可能な転動面を有するステージと、
該ステージの後方に配置され、前記後方に配置された配置物が前記ステージ上の前記遊技媒体に衝突して前記左右方向に転動する転動演出を阻害するのを防止すると共に、前記遊技者が前記配置物を視認可能に構成された隔壁板と、
前記ステージに備えられ、前記遊技盤の前側の所定位置に前記遊技媒体を流下させる前流下口と、
前記ステージに備えられ、前記隔壁板に穿設された開口部を通じて前記遊技盤の後側の所定位置に前記遊技媒体を流下させる後流下口と、
前記遊技領域に打ち込まれた前記遊技媒体を受けて、前記ステージの左右何れか一端側に前記遊技媒体を供給する供給口と、
該供給口が備えられている他端側の前記ステージから連続して形成される延長転動面、及び、該延長転動面の前面側に前記隔壁板との協働で溝を形成するようにして形成され前記遊技媒体が衝突可能な壁状の衝突部材、を有して構成され、前記ステージ上を転動する遊技媒体の転動エネルギーを減衰することで、前記前流下口または前記後流下口以外の場所から前記遊技媒体が脱落するのを防止するエネルギー減衰手段と、
前記延長転動面の終端部の側壁に前記ステージの中央側に向かって突出して形成された突壁部、及び、前記延長転動面から一体的に上方に突出して形成された段差部、を具備し、前記遊技媒体を前記ステージ上へと押し戻すことで前記遊技媒体が前記延長転動面上で滞留するのを防止する滞留防止手段と、
前記隔壁板から一体的に形成され前記ステージの中央側へと突出した突条部材であって、前記後流下口の前記開口部に位置する部位が左右方向に斜めに傾斜して切り欠かれて形成されている開口部案内手段と、
前記ステージの下方且つ後方に備えられた受部、前記開口部から前記ステージの後方に突出して形成され前記受部へと前記遊技媒体を誘導するドーム状の誘導凹部、及び、前記受部に受け止められた前記遊技媒体を前記遊技盤の前面側へと流出させる流出口、を具備する誘導手段と、
前記ステージの前後略中央付近に備えられ、前記遊技媒体が略一つ分通過可能な幅で形成されている溝を有し、前記ステージ上へと供給される前記遊技媒体に所定の運動エネルギーを付与するエネルギー付与手段と、
前記案内手段の備えられている他方側の前記遊技領域内に位置する前記主役物の外周面であって前記遊技盤の内周面の近傍に前記遊技媒体が通過可能な間隙を有して略並行に配置され前記遊技領域の上方から下方へと前記遊技媒体を沿わせて案内可能な案内面、前記遊技盤の前面側に当接し該案内面から前記遊技領域の外方に延びて形成された第一フランジ部、及び、該第一フランジ部から前側に所定距離離反した略平行な位置であって前記案内面から前記遊技領域の外方に延びて形成され前記第一フランジ部と前記案内面とで水平断面が略コの字形になるように配設されると共に前記案内面上を転動する前記遊技媒体が視認可能に構成された第二フランジ部、を有して構成され、前記遊技領域に打ち込まれた前記遊技媒体を、前記ステージ上に供給することなく前記遊技領域の上方から下方へと流下させて前記排出口へと案内する排出口案内手段と、
前記第一フランジ部と前記第二フランジ部とに交互に形成され前記遊技媒体が衝突可能である複数の突起、を有し、前記排出口案内手段によって流下する前記遊技媒体の流下速度を減速させる減速手段と、
発光可能な装飾可動体とされており、前記主役物の枠状の内側に備えられた前記前側可動体本体部が左右略同じ高さに二つ一組で形成されると共に、前記ステージ上に供給された前記遊技媒体に接触しない大きさで形成されており、前記第一可動体または前記第二可動体が片持ち支持されている側の端部側が回動可能に支持され、該支持された回動軸を中心に回動することによって、略水平な第一配置状態と略垂直な第二配置状態との間を移行可能である前側可動体と
を備えており、
前記第一駆動ユニット及び前記第二駆動ユニットは、
略上下方向に延在し断面外形が円形形状とされ摺動部位に摩擦低減層が形成された誘導部材と、
該誘導部材に挿入嵌合することで摺動案内されるブッシュ形状の二つの摺動部材と、
二つの該摺動部材が挿入嵌合される前記誘導部材の軸直角方向で前記遊技盤の面に略沿うように延び、前記第一可動体又は前記第二可動体を片持支持する支持シャフトと、
該支持シャフトに挿入嵌合され、該支持シャフトを回転可能に支持する二つの支持ブッシュと、
二つの該支持ブッシュ及び二つの前記摺動部材を夫々所定間隔で挟持することで保持する本体部、及び固定部材を備え、二つの前記支持ブッシュを介して前記支持シャフトを回転可能に保持すると共に、二つの前記摺動部材を介して前記誘導部材に誘導案内される被誘導部材と、
該被誘導部材を誘導案内する前記誘導部材の延在方向と同じ上下方向に互いに離反し、上側に配置され外周に複数の被係合歯が形成された駆動プーリ、及び下側に配置される従動プーリと、
前記駆動プーリ及び前記従動プーリに巻き掛けられ、内周に前記駆動プーリの前記被係合歯と係合する複数の係合歯が形成されると共に、前記被誘導部材に固定される駆動ベルトと、
該駆動ベルトを駆動させるために前記駆動プーリを回転させる回転駆動手段と、
該回転駆動手段により回転させられる前記駆動プーリと共に前記駆動ベルトに巻き掛けられる前記従動プーリに対して前記駆動プーリと離反する方向に開放され前記従動プーリの両側から突出する軸部を係止するフック状の係止部、前記誘導部材が挿入嵌合する案内孔を備え、前記誘導部材に誘導案内されると共に前記従動プーリを回転可能に保持する移動体と、
該移動体における前記案内孔と前記係止部との間で一端が支持され、前記駆動プーリと前記従動プーリとが互いに離反する方向へ付勢する付勢手段と、
該付勢手段により前記従動プーリを介して付勢された前記駆動ベルトが駆動されることで移動する前記被誘導部材が、前記誘導部材の軸芯周りに回転するのを防止し、該誘導部材の延在方向と略同じ方向に延び該誘導部材から所定距離離れた位置に配置されるガイド部材、該ガイド部材によってその延出方向とは略直角方向への移動を規制され前記被誘導部材に保持される被ガイド部材を有し、前記第一駆動ユニットでは前記ガイド部材が前記誘導部材の軸芯に対して前記被誘導部材に片持保持された前記第一可動体の方向とは反対方向の位置に配置され、前記第二駆動ユニットでは前記ガイド部材が前記誘導部材の軸芯に対して、前記被誘導部材に片持保持された前記第二可動体の方向とは略直角方向の位置に配置される回転防止手段と、
前記第一駆動ユニットでは、前記第一可動体が前記被誘導部材に前記支持シャフトを介して保持される側とは前記誘導部材を挟んで反対側の位置に配置され、前後方向に進退するプランジャを有したソレノイドと、前記プランジャの進退による直線運動を回転運動に変換して前記支持シャフトに伝達する伝達手段とを備え、
前記第二駆動ユニットでは、前記第二可動体が前記被誘導部材に前記支持シャフトを介して保持される側とは前記誘導部材を挟んで反対側の位置に配置され、上下方向に進退するプランジャを有したソレノイドと、前記プランジャの進退による直線運動を回転運動に変換して前記支持シャフトに伝達する伝達手段とを備え、
前記回転防止手段により回転が防止される前記被誘導部材に保持された前記支持シャフトを軸芯周りに回動させる回動手段と、
前記誘導部材及び前記回転防止手段における前記ガイド部材の一端側を支持し、複数の位置決め突起を有した樹脂からなる第一支持部材と、
前記誘導部材及び前記回転防止手段における前記ガイド部材の他端側を支持し、複数の位置決め突起を有した樹脂からなる第二支持部材と、
板金からなり、前記第一支持部材及び前記第二支持部材の前記位置決め突起と対応する複数の位置決め孔、該位置決め孔と前記位置決め突起とを互いに嵌合させることで前記第一支持部材及び前記第二支持部材を所定位置に位置決め支持する支持面、該支持面に対して略直角に屈曲形成され上部にビスを挿通可能な取付孔が穿設された取付当接面を上側に備え、前記駆動プーリ、前記回転駆動手段、及び前記誘導部材を少なくとも支持すると共に、前記従動プーリが配置される位置よりも下方向に延出した位置で前記移動体に一端が支持された前記付勢手段の他端を支持し、且つ、前記第一駆動ユニットでは前記第一可動体が、前記第二駆動ユニットでは前記第二可動体が、前記遊技盤の前記貫通口の一つ且つ前記主役物の枠状の内側を通して視認可能となるように前記遊技盤の後面側に前記取付当接面を介して取付固定されるベースと
を備えており、
前記第一可動体の前記発光装飾表示手段は、
複数種類の色の光を投光可能な発光手段から投光される光の三原色のうちの何れか一つのみからなる第一色の光だけが透過することで、第一表示態様を呈する第一透過手段と、
該第一透過手段と同一面上の遮光性の部材からなる部材上に配置され、且つ前記第一透過手段に対して一部が重複するように配置され、該重複する重複部は、前記第一色を除く他の光の三原色の何れか一方の色である第二色の光が少なくとも透過し、該重複部以外は該第二色のみが透過することで第二表示態様を呈する第二透過手段と、
前記第一透過手段及び前記第二透過手段に対して前記発光手段の配置される側から、前記発光手段から投光される光以外の色の光が前記第一透過手段及び前記第二透過手段に照射されるのを防止する遮光手段と
を備えていることを特徴とする遊技機。
【発明の詳細な説明】
【技術分野】
【０００１】
本発明は、ぱちんこ遊技機（一般的に「パチンコ機」とも称する）や回胴式遊技機（一般に「パチスロ機」とも称する）等の遊技機に関するものである。
【背景技術】
【０００２】
従来より、パチンコ機等の遊技機において、遊技球等の遊技媒体が打ち込まれる遊技領域を有した遊技盤を備えている。この遊技盤の適宜箇所に障害釘、風車、及び入賞口が設けられており、入賞口に遊技媒体が入賞すると、所定数の遊技媒体が払出されるようになっている。
【０００３】
この種の遊技機では、遊技状態に応じて演出表示装置に様々な演出画像を表示させることで、入賞への期待感等を持たせて、遊技者の興趣を高められるようにしている。また、演出表示装置に加えて、機械的に上下方向に移動する可動体を備えたり（例えば、特許文献１）、前後方向に回動移動する可動体を備えたりして（例えば、特許文献２）、演出画像による演出だけでなく可動体の動きによる演出も行うことで、より遊技者の興趣が高められるようにしたものも提案されている。
【０００４】
また、遊技領域に、遊技球を転動させることでその動きを楽しむことのできるステージを有する役物を配置した遊技機が知られている（例えば、特許文献３及び４）。具体的には、左右方向に延設され、左右両端側が高く中央側が低い湾曲形状に形成されたステージを設けている。そして、左右両端側には、遊技領域に打ち込まれた遊技球を受入れてステージ上へと供給する供給口が備えられており、供給口から供給された遊技球は、ステージ上を左右に転動する転動演出を行い、遊技者の目を楽しませるようになっている。
【０００５】
【特許文献１】特開２００４−０６５５２８号公報
【特許文献２】特開２００５−０４０４４１号公報
【特許文献３】特開２００４−０５７６５５号公報
【特許文献４】特開２００４−１４７９００号公報
【発明の開示】
【発明が解決しようとする課題】
【０００６】
しかしながら、従来の遊技機では、遊技者に注目させたい可動体の大きさや移動量が比較的小さく、可動体に演出動作をさせても、遊技者に気付かれなかったり、演出動作が判り辛かったりして、遊技者によって、可動体の動きを楽しむことができず、興趣を低下させてしまう恐れがあった。
【０００７】
また、役物は、ステージ上で遊技媒体が左右に転動する転動演出を提示するだけであり、遊技者によっては、その動きを見慣れてしまうと、退屈に感じることがあった。これにより、遊技者によっては早々に遊技に飽きてしまい、遊技に対する興趣を高められない虞があった。
【０００８】
そこで、本発明は、上記の実情に鑑み、遊技を充分に楽しませることができ、遊技者の興趣が低下するのを防止することのできる遊技機の提供を課題とするものである。
【課題を解決するための手段】
【０００９】
手段１：遊技機において、
「遊技者の操作によって遊技媒体が打ち込まれる遊技領域、後方に配置された配置物が視認可能な貫通口が穿設されている遊技盤と、
前記遊技領域の下方から左右何れか一方側の内周面に沿って、前記遊技領域の上方へと前記遊技媒体を案内する案内手段と、
前記遊技領域の下部に備えられ、前記遊技媒体を前記遊技領域外の領域へと排出する排出口と、
前記遊技盤の前記貫通口を前方から覆うように配置された枠状の主役物と、
該主役物の枠状の内側を通して遊技者から視認可能に前記遊技盤の後方に配置され、外形が所定キャラクタの顔における上顎から上の部位が立体的に造形されると共に、該所定キャラクタの目に相当する部位に発光する表示態様が変化する発光装飾表示手段を備えた第一可動体と、
該第一可動体の下方で前記主役物の枠状の内側を通して遊技者から視認可能に前記遊技盤の後方に配置され、外形が前記所定キャラクタの顔における下顎の部位が立体的に造形されると共に、発光可能な第二可動体と、
前記第一可動体及び前記第二可動体が前面側に出没自在とされると共に、前記主役物の枠状の内側を通して遊技者から視認可能に前記遊技盤の後方に配置され、所定の演出態様を表示可能な演出表示手段と、
該演出表示手段の左右何れか一方の外側で前記遊技盤の後面側に取付固定され、前記第一可動体を片持支持して上下方向に移動させる第一駆動ユニットと、
該第一駆動ユニットとは反対側である前記演出表示手段の左右何れか他方の外側で前記遊技盤の後面側に取付固定され、前記第二可動体を片持支持して上下方向に移動させる第二駆動ユニットと
を具備し、
前記主役物は、
前記遊技媒体が左右方向に転動可能な転動面を有するステージと、
該ステージの後方に配置され、前記後方に配置された配置物が前記ステージ上の前記遊技媒体に衝突して前記左右方向に転動する転動演出を阻害するのを防止すると共に、前記遊技者が前記配置物を視認可能に構成された隔壁板と、
前記ステージに備えられ、前記遊技盤の前側の所定位置に前記遊技媒体を流下させる前流下口と、
前記ステージに備えられ、前記隔壁板に穿設された開口部を通じて前記遊技盤の後側の所定位置に前記遊技媒体を流下させる後流下口と、
前記遊技領域に打ち込まれた前記遊技媒体を受けて、前記ステージの左右何れか一端側に前記遊技媒体を供給する供給口と、
該供給口が備えられている他端側の前記ステージから連続して形成される延長転動面、及び、該延長転動面の前面側に前記隔壁板との協働で溝を形成するようにして形成され前記遊技媒体が衝突可能な壁状の衝突部材、を有して構成され、前記ステージ上を転動する遊技媒体の転動エネルギーを減衰することで、前記前流下口または前記後流下口以外の場所から前記遊技媒体が脱落するのを防止するエネルギー減衰手段と、
前記延長転動面の終端部の側壁に前記ステージの中央側に向かって突出して形成された突壁部、及び、前記延長転動面から一体的に上方に突出して形成された段差部、を具備し、前記遊技媒体を前記ステージ上へと押し戻すことで前記遊技媒体が前記延長転動面上で滞留するのを防止する滞留防止手段と、
前記隔壁板から一体的に形成され前記ステージの中央側へと突出した突条部材であって、前記後流下口の前記開口部に位置する部位が左右方向に斜めに傾斜して切り欠かれて形成されている開口部案内手段と、
前記ステージの下方且つ後方に備えられた受部、前記開口部から前記ステージの後方に突出して形成され前記受部へと前記遊技媒体を誘導するドーム状の誘導凹部、及び、前記受部に受け止められた前記遊技媒体を前記遊技盤の前面側へと流出させる流出口、を具備する誘導手段と、
前記ステージの前後略中央付近に備えられ、前記遊技媒体が略一つ分通過可能な幅で形成されている溝を有し、前記ステージ上へと供給される前記遊技媒体に所定の運動エネルギーを付与するエネルギー付与手段と、
前記案内手段の備えられている他方側の前記遊技領域内に位置する前記主役物の外周面であって前記遊技盤の内周面の近傍に前記遊技媒体が通過可能な間隙を有して略並行に配置され前記遊技領域の上方から下方へと前記遊技媒体を沿わせて案内可能な案内面、前記遊技盤の前面側に当接し該案内面から前記遊技領域の外方に延びて形成された第一フランジ部、及び、該第一フランジ部から前側に所定距離離反した略平行な位置であって前記案内面から前記遊技領域の外方に延びて形成され前記第一フランジ部と前記案内面とで水平断面が略コの字形になるように配設されると共に前記案内面上を転動する前記遊技媒体が視認可能に構成された第二フランジ部、を有して構成され、前記遊技領域に打ち込まれた前記遊技媒体を、前記ステージ上に供給することなく前記遊技領域の上方から下方へと流下させて前記排出口へと案内する排出口案内手段と、
前記第一フランジ部と前記第二フランジ部とに交互に形成され前記遊技媒体が衝突可能である複数の突起、を有し、前記排出口案内手段によって流下する前記遊技媒体の流下速度を減速させる減速手段と、
発光可能な装飾可動体とされており、前記主役物の枠状の内側に備えられた前記前側可動体本体部が左右略同じ高さに二つ一組で形成されると共に、前記ステージ上に供給された前記遊技媒体に接触しない大きさで形成されており、前記第一可動体または前記第二可動体が片持ち支持されている側の端部側が回動可能に支持され、該支持された回動軸を中心に回動することによって、略水平な第一配置状態と略垂直な第二配置状態との間を移行可能である前側可動体と
を備えており、
前記第一駆動ユニット及び前記第二駆動ユニットは、
略上下方向に延在し断面外形が円形形状とされ摺動部位に摩擦低減層が形成された誘導部材と、
該誘導部材に挿入嵌合することで摺動案内されるブッシュ形状の二つの摺動部材と、
二つの該摺動部材が挿入嵌合される前記誘導部材の軸直角方向で前記遊技盤の面に略沿うように延び、前記第一可動体又は前記第二可動体を片持支持する支持シャフトと、
該支持シャフトに挿入嵌合され、該支持シャフトを回転可能に支持する二つの支持ブッシュと、
二つの該支持ブッシュ及び二つの前記摺動部材を夫々所定間隔で挟持することで保持する本体部、及び固定部材を備え、二つの前記支持ブッシュを介して前記支持シャフトを回転可能に保持すると共に、二つの前記摺動部材を介して前記誘導部材に誘導案内される被誘導部材と、
該被誘導部材を誘導案内する前記誘導部材の延在方向と同じ上下方向に互いに離反し、上側に配置され外周に複数の被係合歯が形成された駆動プーリ、及び下側に配置される従動プーリと、
前記駆動プーリ及び前記従動プーリに巻き掛けられ、内周に前記駆動プーリの前記被係合歯と係合する複数の係合歯が形成されると共に、前記被誘導部材に固定される駆動ベルトと、
該駆動ベルトを駆動させるために前記駆動プーリを回転させる回転駆動手段と、
該回転駆動手段により回転させられる前記駆動プーリと共に前記駆動ベルトに巻き掛けられる前記従動プーリに対して前記駆動プーリと離反する方向に開放され前記従動プーリの両側から突出する軸部を係止するフック状の係止部、前記誘導部材が挿入嵌合する案内孔を備え、前記誘導部材に誘導案内されると共に前記従動プーリを回転可能に保持する移動体と、
該移動体における前記案内孔と前記係止部との間で一端が支持され、前記駆動プーリと前記従動プーリとが互いに離反する方向へ付勢する付勢手段と、
該付勢手段により前記従動プーリを介して付勢された前記駆動ベルトが駆動されることで移動する前記被誘導部材が、前記誘導部材の軸芯周りに回転するのを防止し、該誘導部材の延在方向と略同じ方向に延び該誘導部材から所定距離離れた位置に配置されるガイド部材、該ガイド部材によってその延出方向とは略直角方向への移動を規制され前記被誘導部材に保持される被ガイド部材を有し、前記第一駆動ユニットでは前記ガイド部材が前記誘導部材の軸芯に対して前記被誘導部材に片持保持された前記第一可動体の方向とは反対方向の位置に配置され、前記第二駆動ユニットでは前記ガイド部材が前記誘導部材の軸芯に対して、前記被誘導部材に片持保持された前記第二可動体の方向とは略直角方向の位置に配置される回転防止手段と、
前記第一駆動ユニットでは、前記第一可動体が前記被誘導部材に前記支持シャフトを介して保持される側とは前記誘導部材を挟んで反対側の位置に配置され、前後方向に進退するプランジャを有したソレノイドと、前記プランジャの進退による直線運動を回転運動に変換して前記支持シャフトに伝達する伝達手段とを備え、
前記第二駆動ユニットでは、前記第二可動体が前記被誘導部材に前記支持シャフトを介して保持される側とは前記誘導部材を挟んで反対側の位置に配置され、上下方向に進退するプランジャを有したソレノイドと、前記プランジャの進退による直線運動を回転運動に変換して前記支持シャフトに伝達する伝達手段とを備え、
前記回転防止手段により回転が防止される前記被誘導部材に保持された前記支持シャフトを軸芯周りに回動させる回動手段と、
前記誘導部材及び前記回転防止手段における前記ガイド部材の一端側を支持し、複数の位置決め突起を有した樹脂からなる第一支持部材と、
前記誘導部材及び前記回転防止手段における前記ガイド部材の他端側を支持し、複数の位置決め突起を有した樹脂からなる第二支持部材と、
板金からなり、前記第一支持部材及び前記第二支持部材の前記位置決め突起と対応する複数の位置決め孔、該位置決め孔と前記位置決め突起とを互いに嵌合させることで前記第一支持部材及び前記第二支持部材を所定位置に位置決め支持する支持面、該支持面に対して略直角に屈曲形成され上部にビスを挿通可能な取付孔が穿設された取付当接面を上側に備え、前記駆動プーリ、前記回転駆動手段、及び前記誘導部材を少なくとも支持すると共に、前記従動プーリが配置される位置よりも下方向に延出した位置で前記移動体に一端が支持された前記付勢手段の他端を支持し、且つ、前記第一駆動ユニットでは前記第一可動体が、前記第二駆動ユニットでは前記第二可動体が、前記遊技盤の前記貫通口の一つ且つ前記主役物の枠状の内側を通して視認可能となるように前記遊技盤の後面側に前記取付当接面を介して取付固定されるベースと
を備えており、
前記第一可動体の前記発光装飾表示手段は、
複数種類の色の光を投光可能な発光手段から投光される光の三原色のうちの何れか一つのみからなる第一色の光だけが透過することで、第一表示態様を呈する第一透過手段と、
該第一透過手段と同一面上の遮光性の部材からなる部材上に配置され、且つ前記第一透過手段に対して一部が重複するように配置され、該重複する重複部は、前記第一色を除く他の光の三原色の何れか一方の色である第二色の光が少なくとも透過し、該重複部以外は該第二色のみが透過することで第二表示態様を呈する第二透過手段と、
前記第一透過手段及び前記第二透過手段に対して前記発光手段の配置される側から、前記発光手段から投光される光以外の色の光が前記第一透過手段及び前記第二透過手段に照射されるのを防止する遮光手段と
を備えている」ものであることを特徴とする。
【００１０】
ここで、「後方に配置された配置物が視認可能」とは、正面視において、遊技領域内に投影される位置に配置物が配置されていることであり、遊技領域内に配置しても良いし、遊技領域の前側に配置しても良い。また、遊技領域の後側（遊技盤の後側）に配置し、貫通口の内部を通じて視認できる状態としても良い。
【００１１】
また、「案内手段」とは、遊技者の操作によって打ち込まれた遊技媒体を、遊技盤の下方から遊技領域の上方へと案内する手段を示し、「外レールと内レールとの間に遊技媒体を通過させ、遊技領域の上方へと案内するもの」、「遊技媒体が通過可能な流路を設け、遊技領域の上方へと案内するもの」、「遊技媒体が沿って転動することが可能な溝を設け、遊技領域の上方へと案内するもの」、等が例示できる。
【００１２】
また、「第一可動体」、「第二可動体」、及び「前側可動体」としては、「遊技媒体と接触するように配置され、遊技媒体の動きを変化させることのできる役物可動体」、「遊技媒体とは接触しないように配置され、動きにより演出を行うことのできる装飾可動体」、等が挙げられる。
【００１３】
更に、「所定キャラクタ」とは、小説・漫画・映画・演劇などの登場人物、動物、植物、又は道具（乗物を含む）類等を擬人化したもの、若しくは、本遊技機のために作成された仮想上の人物、動物、植物、又は道具（乗物を含む）類等を擬人化したものである。
【００１４】
また、演出表示手段に対して、第一可動体及び第二可動体が没する位置しては、両可動体が共に上側又は下側に没するようにしても良いし、第一可動体が上側に第二可動体が下側に没するようにしても良い。
【００１５】
さらに、「目に相当する部位」とは、「眼球に相当する部位」、「瞳に相当する部位」、「上下の瞼の間に相当する部位」、「眼鏡やゴーグルに相当する部位」、等である。また、「発光装飾表示手段」としては、「発光表示される模様や図柄等が変化するもの」、「発光表示される模様や図柄等の色彩が変化するもの」、等が挙げられる。
【００１６】
また、「所定の演出態様」とは、キャラクタ、背景及び図柄等を静止画や動画として、或る動きをさせたり、ストーリー性のある表示をさせたりした表示態様のことである。なお、「キャラクタ」とは、図柄列及び背景以外の画像を意味しており、小説・漫画・映画・演劇などの登場人物、動物、植物、又は小道具類、もしくはこの遊技機のために作成された仮想上の人物、動物、植物、又は小道具類等を挙げられる。また、「図柄」とは、数字や記号、あるいはそれらと絵柄との組合わせ等からなる演出用の図柄である。
【００１７】
更に、「演出表示手段」とは、キャラクタ、背景、及び図柄等を用いた演出画像を表示可能なものであり、例えば、「液晶ディスプレイ（ＬＣＤ）」、「ＣＲＴ」、「有機ＥＬディスプレイ（ＯＥＬＤ、またはＯＬＥＤ）」、「無機ＥＬディスプレイ」、「プラズマディスプレイ（ＰＬＰ）」、「蛍光表示管パネル（ＶＦＤＰ）」、「フィールドエミッションディスプレイ」、「発光ダイオード（ＬＥＤ）」、「白熱ランプ」、等が挙げられる。
【００１８】
また、「転動面」とは、遊技媒体を転動させることで遊技媒体に所定の演出動作を付与させて、遊技媒体の動きにより遊技者の興趣が高められるようにしたものであれば良く、例えば、「転動面が不動に固定され、供給された遊技媒体を所定方向（左右方向や前後方向）に転動させた上で、所定位置から放出するもの（例えば、固定タイプのステージ）」、「転動面の一部又は全部が可動するように構成され、供給された遊技媒体を所定方向（左右方向や前後方向）に転動させた上で、所定位置から放出するもの（例えば、可動タイプのステージ）」、等が挙げられる。
【００１９】
また、案内面における「内周面の近傍」とは、遊技媒体が少なくとも一つ分は通過可能であり、且つ例えば３つ分以上は離れていない程度の近い距離が例示できる。また、少なくとも遊技領域の内周面と案内面とが近傍に配置されていれば良く、第一フランジ及び第二フランジと、該内周面とは接していても良く、離れていても良いが、離れていると、遊技盤の前面側より案内面上をメンテナンスするのが簡単なので、より好ましい。
【００２０】
また、「略並行に配置され」とは、主役物の外周面が、遊技盤の内周面に沿って配置されていることを示し、例えば、「略円形の遊技領域の形状に沿って、主役物の外周面が円弧状に形成されている」、「略四画形状の主役物の外周面に沿って、遊技領域の内周面が四角形状に形成されている」、等の構成が例示できる。
【００２１】
更に、減速手段における「突起」とは、遊技媒体が衝突可能なものであれば良く、例えば、「排出口案内手段の内壁の一部に突起を設けるもの」、「遊技媒体の流下経路に釘を配置するもの」、等が挙げられる。
【００２２】
また、「交互に形成され」た状態としては、例えば、「突起の一方が前側から後側に向かって突出するものであれば、他方は後側から前側に向かって突出するもの」、「突起の一方が右側から左側に向かって突出するものであれば、他方は左側から右側に向かって突出するもの」、「前述の前後方向、及び左右方向に対向する位置を夫々組み合わせたもの」、等が挙げられる。
【００２３】
また、「第一可動体」及び「第二可動体」としては、「遊技媒体と接触するように配置され、遊技媒体の動きを変化させることのできる役物可動体」、「遊技媒体とは接触しないように配置され、動きにより演出を行うことのできる装飾可動体」、等が挙げられるが、遊技媒体が少なくともステージ上に供給された後は、接触しない大きさで形成されていること（「前記ステージ上に供給された前記遊技媒体に接触しない大きさで形成されており」）が望ましい。
【００２４】
さらに、「駆動ユニット」としては、可動体を上下方向に移動させることができるものであれば良く、例えば、「上下方向に延びる誘導部材と、誘導部材に誘導案内され可動体を保持する被誘導部材と、被誘導部材を移動させる移動手段とを備えたもの」、が挙げられる。
【００２５】
また、「断面外形が円形形状」とは、外形が円形であれば良く、中実又は中空の何れの部材であっても良い。また、「ブッシュ形状」とは、誘導部材と嵌合する円形の孔を有した筒形状であれば良く、被誘導部材に保持するための鍔部等を備えているものであっても良い。
【００２６】
更に、「誘導部材」としては、被誘導部材を所定方向に誘導できるものであれば良く、「断面形状が円形状又は多角形状で所定方向に連続して延びるもの」、「断面形状が円形状又は多角形状で所定方向に不連続で延びるもの（所定の間隔で配置されるもの）」、等が挙げられる。なお、「誘導案内」としては、誘導部材と被誘導部材とが互いに摺動することで案内されるものや、何れかが転動することで案内されるもの等を挙げることができる。なお、「誘導部材」の素材としては、「樹脂」、「金属」、「セラミックス」、「ガラス繊維強化樹脂や炭素繊維強化樹脂などの複合材」、等が挙げられる。
【００２７】
また、「本体部と固定部材とにより挟持」とは、本体部と固定部材とにより摺動部材や支持ブッシュを挟み込むことで保持することができれば良く、例えば、「摺動部材や支持ブッシュの軸方向両側から挟持するようにしたもの」、「摺動部材や支持ブッシュの軸直角方向両側から挟持するようにしたもの」、「摺動部材又は支持ブッシュの一方をその軸方向から、他方をその軸直角方向から挟持するようにしたもの」等が挙げられる。
【００２８】
また、「被誘導部材」としては、「摺動部材が互いに接近しないように保持する本体部と、摺動部材が互いに離反しないように固定する固定部材とからなるもの」、「摺動部材が互いに接近及び離反しないように保持すると共に誘導部材の軸直角方向に対し一方向への移動を規制する本体部と、摺動部材が互いに接近及び離反しないように保持すると共に誘導部材の軸直角方向に対し他方向への移動を規制する固定部材とからなるもの」、「上記の本体部及び固定部材を適宜組み合わせたもの」、等が挙げられる。
【００２９】
更に、「摩擦低減層」としては、例えば、「表面を磨くことで摩擦を低減可能な鏡面研磨層」、「クロム等の金属メッキ層」、「摩擦を低減可能な樹脂をコーティングした樹脂コーティング層（樹脂としては、エンジニアリングプラッスチックが望ましく、その中でも、フッ素系樹脂であるポリテトラフルオロエチレン（ＰＴＦＥ，テフロン（登録商標），ターカイト（登録商標），ベアリー（登録商標））が望ましい。）」、等が挙げられる。
【００３０】
また、「摺動部材」としては、誘導部材の軸直角方向への移動が規制できるものが望ましく、「円形又は多角形のブッシュ形状のもの」、「あり形状のもの」、「Ｔ字形状のもの」、等が挙げられ、特に、ブッシュ形状のものとした場合、誘導部材や摺動部材を安価で種類も豊富な型材や規格材とすることができる。
【００３１】
更に、「駆動プーリ、従動プーリ、及び駆動ベルト」としては、「駆動ベルトを平ベルトとし、駆動プーリ及び従動プーリを平プーリとしたもの」、「駆動ベルトを歯付きベルトとし、駆動プーリ及び従動プーリを駆動ベルトの歯と係合する歯付きプーリとしたもの」、「駆動ベルトを歯付きベルトとし、駆動プーリを駆動ベルトの歯と係合する歯付きプーリとし、従動プーリを平プーリとしたもの」、等が挙げられる。
【００３２】
また、「回転駆動手段」としては、「電気モータ」、「空圧アクチュエータ」、等が挙げられ、回転駆動手段により直接駆動プーリを回転駆動するようにしても良いし、変速ギヤを介して間接的に駆動プーリを回転駆動するようにしても良い。なお、間接的に駆動プーリを回転駆動させるようにした場合、回転駆動手段の位置と、駆動プーリの位置とを異なる位置にすることができるので、空間的に余裕のある位置に回転駆動手段を配置してそこから間接的に駆動プーリを回転駆動させるようにすることもでき、より配置自由度を高めることができる。
【００３３】
更に、「付勢手段」としては、「コイルバネ」、「板バネ」、「ゴム」、等が挙げられる。なお、付勢手段を配置する位置としては、駆動プーリと従動プーリとの間の位置であっても良いし、従動プーリに対して駆動プーリとは反対側の位置であっても良い。
【００３４】
また、「ガイド部材」としては、「断面形状が円形状又は多角形状で所定方向に連続して延びるもの」、「断面形状が円形状又は多角形状で所定方向に不連続で延びるもの（所定の間隔で配置されるもの）」、等が挙げられる。また、「被ガイド部材」としては、「ガイド部材の外面と当接することでガイドされるもの」、「ガイド部材の内面又は凹陥部と当接することでガイドされるもの」、「ガイド部材と嵌合することでガイドされるもの」、等が挙げられる。更に、回転防止手段によっても被誘導部材の重量等を支持できるようなものでも良い。
【００３５】
更に、「回転防止手段」としては、「誘導部材の延在方向と略平行に配置されたガイド部材と、ガイド部材にガイドされガイド部材の延出方向とは略直角方向への移動を規制された被ガイド部材とからなるもの」、「第一駆動ユニット及び第二駆動ユニットによって片持支持される第一可動体及び第二可動体の、第一駆動ユニット及び第二駆動ユニットの反対側を支持することで回転するのを防止するもの」が挙げられる。
【００３６】
また、「伝達手段」としては、「基端が支持部材に固定され先端がプランジャに接続されることで、プランジャの直線運動を変換して支持部材を回転運動させるように伝達するもの」、「クランク機構を用いて、プランジャの直線運動を変換して支持部材を回転運動させるように伝達するもの」、等が挙げられる。
【００３７】
更に、「樹脂」としては、熱可塑性樹脂、熱硬化性樹脂など適宜なものを用いることができ、例えば、「ポリカーボネイト」、「ポリプロピレン」、「ポリエチレン」、「ポリウレタン」、等が挙げられる。また、射出成形可能なものとすることが望ましい。
【００３８】
また、「ベース」の素材としては、「樹脂」、「金属」、「セラミックス」、「ガラス繊維強化樹脂や炭素繊維強化樹脂などの複合材」、等が挙げられる。なお、ベースに用いる素材の剛性は、第一支持部材及び第二支持部材に用いる素材の剛性に対して、それ以上の剛性を有したものとすることが望ましい。また、素材を金属とした場合では、「所定厚さの板材を用いたもの」、「所定厚さの板材を所定形状に屈曲成形したもの」、「所定の断面形状を有した型材を用いたもの」、等が挙げられる。なお、ベースとして板材（例えば、板金）を屈曲成形したものとした場合、単板のベースと比較して屈曲部により剛性の高いベースとすることができると共に、安価に製造することができる。
【００３９】
また、「発光装飾表示手段」としては、所定の表示態様を変化させることのできる発光表示手段であればよく、例えば複数の点（ドット）をマトリクス状に組み合わせて表示させる「ドットマトリクス型」方式のディスプレイであっても構わないが、所定の形状を点灯・点滅させて表示させる方式である「セグメント型」方式のディスプレイを用いると、比較的簡単な構成で形成できることからコンパクトで軽量な発光表示手段とすることができ、より好ましい。
【００４０】
更に、「複数種類の色」としては、赤・緑・青の光の三原色のうち何れか（もしくは何れも）であっても良いし、これらのうち何れか（若しくは何れも）を混合させた中間色であっても良い。また、「発光手段」としては、具体的な構成を何ら限定するものではないが、「白熱電灯」、「電球」、「蛍光灯」、「ＬＥＤ」、「ネオン灯」、「水銀灯」、「ナトリュウム灯」、等を例示することができる。さらに、「表示態様」としては、どのような模様・形状・図形であっても良く、文字、絵、数字、キャラクタなどの図柄も含まれる。
【００４１】
また、「第一透過手段」及び「第二透過手段」としては、所定の光のみを透過する（フィルタリングする）ことができるものであれば何ら限定されるものではないが、例えば、公知のカラーフィルタなどが適用可能である。
【００４２】
また、第一透過手段と第二透過手段とを「同一面上」に形成する方法としては、例えば、二つの透過手段を貼り合せて形成する、樹脂の射出成形技術の一つである多色成形技術を適用する、カラー印刷技術を適用する、等の方法が挙げられる。
【００４３】
更に、「遮光手段」としては、光を吸収・反射または当該光学表示装置を見る者（遊技者等）の視角に応じて光路を制限するものであれば良く、例えば、着色された有機系樹脂やＴａ、Ｔｉ、Ｗ、Ｍｏ、Ｃｒ、及びＮｉ等、適宜な金属の酸化膜からなる所謂ブラックマトリクス、マイクロレンズアレイ、または光学ミラー等が挙げられる。また、「発光手段から投光される光以外の光」とは、例えばＬＣＤ等の他のディスプレイ装置から照射される光や、遊技機の外から入射した太陽光や照明器具等の光が遊技機内で乱反射したもの、等が挙げられる。
【００４４】
従って、手段１の構成によれば、遊技機において、遊技者の操作によって遊技媒体が打ち込まれる遊技領域、後方に配置された配置物が視認可能な貫通孔が穿設されている遊技盤と、遊技領域の下方から左右何れか一方側の内周面に沿って、遊技領域の上方へと遊技媒体を案内する案内手段と、遊技領域の下部に備えられ、遊技媒体を遊技領域外の領域へと排出する排出口と、遊技盤の貫通口を前方から覆うように配置された枠状の主役物と、主役物の枠状の内側を通して遊技者から視認可能に遊技盤の後方に配置され、外形が所定キャラクタの顔における上顎から上の部位が立体的に造形されると共に、所定キャラクタの目に相当する部位に発光する表示態様が変化する発光装飾表示手段を備えた第一可動体と、第一可動体の下方で主役物の枠状の内側を通して遊技者から視認可能に遊技盤の後方に配置され、外形が所定キャラクタの顔における下顎の部位が立体的に造形されると共に、発光可能な第二可動体と、第一可動体及び第二可動体が前面側に出没自在とされると共に、主役物の枠状の内側を通して遊技者から視認可能に遊技盤の後方に配置され、所定の演出態様を表示可能な演出表示手段と、演出表示手段の左右何れか一方の外側で遊技盤の後面側に取付固定され、第一可動体を片持支持して上下方向に移動させる第一駆動ユニットと、第一駆動ユニットとは反対側である演出表示手段の左右何れか他方の外側で遊技盤の後面側に取付固定され、第二可動体を片持支持して上下方向に移動させる第二駆動ユニットとを具備し、主役物は、遊技媒体が左右方向に転動可能な転動面を有するステージと、ステージの後方に配置され、後方に配置された配置物がステージ上の遊技媒体に衝突して左右方向に転動する転動演出を阻害するのを防止すると共に、遊技者が配置物を視認可能に構成された隔壁板と、ステージに備えられ、遊技盤の前側の所定位置に遊技媒体を流下させる前流下口と、ステージに備えられ、隔壁板に穿設された開口部を通じて遊技盤の後側の所定位置に遊技媒体を流下させる後流下口と、遊技領域に打ち込まれた遊技媒体を受けて、ステージの左右何れか一端側に遊技媒体を供給する供給口と、供給口が備えられている他端側のステージから連続して形成される延長転動面、及び、延長転動面の前面側に隔壁板との協働で溝を形成するようにして形成され遊技媒体が衝突可能な壁状の衝突部材、を有して構成され、ステージ上を転動する遊技媒体の転動エネルギーを減衰することで、前流下口または後流下口以外の場所から遊技媒体が脱落するのを防止するエネルギー減衰手段と、延長転動面の終端部の側壁にステージの中央側に向かって突出して形成された突壁部、及び、延長転動面から一体的に上方に突出して形成された段差部、を具備し、遊技媒体をステージ上へと押し戻すことで遊技媒体が延長転動面上で滞留するのを防止する滞留防止手段と、隔壁板から一体的に形成されステージの中央側へと突出した突条部材であって、後流下口の開口部に位置する部位が左右方向に斜めに傾斜して切り欠かれて形成されている開口部案内手段と、ステージの下方且つ後方に備えられた受部、開口部からステージの後方に突出して形成され受部へと誘導媒体を誘導するドーム状の誘導凹部、及び、受部に受け止められた遊技媒体を遊技盤の前面側へと流出させる流出口、を具備する誘導手段とステージの前後略中央付近に備えられ、遊技媒体が略一つ分通過可能な幅で形成されている溝を有し、ステージ上へと供給される遊技媒体に所定の運動エネルギーを付与するエネルギー付与手段と、案内手段の備えられている他方側の遊技領域内に位置する主役物の外周面であって遊技盤の内周面の近傍に遊技媒体が通過可能な間隙を有して略並行に配置され遊技領域の上方から下方へと遊技媒体を沿わせて案内可能な案内面、遊技盤の前面側に当接し案内面から遊技領域の外方に延びて形成された第一フランジ部、及び、第一フランジ部から前側に所定距離離反した略平行な位置であって案内面から遊技領域の外方に延びて形成され第一フランジ部と案内面とで水平断面が略コの字形になるように配設されると共に案内面上を転動する遊技媒体が視認可能に構成された第二フランジ部、を有して構成され、遊技領域に打ち込まれた遊技媒体を、ステージ上に供給することなく遊技領域の上方から下方へと流下させて排出口へと案内する排出口案内手段と、第一フランジ部と第二フランジ部とに交互に形成され遊技媒体が衝突可能である複数の突起、を有し、排出口案内手段によって流下する遊技媒体の流下速度を減速させる減速手段と、発光可能な装飾可動体とされており、主役物の枠状の内側に備えられた本体部が左右略同じ高さに二つ一組で形成されると共に、ステージ上に供給された遊技媒体に接触しない大きさで形成されており、第一可動体または第二可動体が片持ち支持されている側の端部側が回動可能に支持され、支持された回動軸を中心に回動することによって、略水平な第一配置状態と略垂直な第二配置状態との間を移行可能である前側可動体とを備えており、第一駆動ユニット及び第二駆動ユニットは、略上下方向に延在し断面外形が円形形状とされ摺動部位に摩擦低減層が形成された誘導部材と、誘導部材に挿入嵌合することで摺動案内されるブッシュ形状の二つの摺動部材と、二つの摺動部材が挿入嵌合される誘導部材の軸直角方向で遊技盤の面に略沿うように延び、第一可動体又は第二可動体を片持支持する支持シャフトと、支持シャフトに挿入嵌合され、支持シャフトを回転可能に支持する二つの支持ブッシュと、二つの支持ブッシュ及び二つの摺動部材を夫々所定間隔で挟持することで保持する本体部、及び固定部材を備え、二つの支持ブッシュを介して支持シャフトを回転可能に保持すると共に、二つの摺動部材を介して誘導部材に誘導案内される被誘導部材と、被誘導部材を誘導案内する誘導部材の延在方向と同じ上下方向に互いに離反し、上側に配置され外周に複数の被係合歯が形成された駆動プーリ、及び下側に配置される従動プーリと、駆動プーリ及び従動プーリに巻き掛けられ、内周に駆動プーリの被係合歯と係合する複数の係合歯が形成されると共に、被誘導部材に固定される駆動ベルトと、駆動ベルトを駆動させるために駆動プーリを回転させる回転駆動手段と、回転駆動手段により回転させられる駆動プーリと共に駆動ベルトに巻き掛けられる従動プーリに対して駆動プーリと離反する方向に開放され従動プーリの両側から突出する軸部を係止するフック状の係止部、誘導部材が挿入嵌合する案内孔を備え、誘導部材に誘導案内されると共に従動プーリを回転可能に保持する移動体と、移動体における案内孔と係止部との間で一端が支持され、駆動プーリと従動プーリとが互いに離反する方向へ付勢する付勢手段と、付勢手段により従動プーリを介して付勢された駆動ベルトが駆動されることで移動する被誘導部材が、誘導部材の軸芯周りに回転するのを防止し、誘導部材の延在方向と略同じ方向に延び誘導部材から所定距離離れた位置に配置されるガイド部材、ガイド部材によってその延出方向とは略直角方向への移動を規制され被誘導部材に保持される被ガイド部材を有し、第一駆動ユニットではガイド部材が誘導部材の軸芯に対して被誘導部材に片持保持された第一可動体の方向とは反対方向の位置に配置され、第二駆動ユニットではガイド部材が誘導部材の軸芯に対して、被誘導部材に片持保持された第二可動体の方向とは略直角方向の位置に配置される回転防止手段と、回転防止手段により回転が防止される被誘導部材に保持された支持シャフトを軸芯周りに回動させ、可動体が被誘導部材に支持シャフトを介して保持される側とは誘導部材を挟んで反対側の位置に配置され、所定方向に進退するプランジャを有したソレノイド、ソレノイドにおけるプランジャの進退による直線運動を回転運動に変換して支持シャフトに伝達する伝達手段を備えた回動手段と、誘導部材及び回転防止手段におけるガイド部材の一端側を支持し、複数の位置決め突起を有した樹脂からなる第一支持部材と、誘導部材及び回転防止手段におけるガイド部材の他端側を支持し、複数の位置決め突起を有した樹脂からなる第二支持部材と、板金からなり、第一支持部材及び第二支持部材の位置決め突起と対応する複数の位置決め孔、位置決め孔と位置決め突起とを互いに嵌合させることで第一支持部材及び第二支持部材を所定位置に位置決め支持する支持面、支持面に対して略直角に屈曲形成され上部にビスを挿通可能な取付孔が穿設された取付当接面を上側に備え、駆動プーリ、回転駆動手段、及び誘導部材を少なくとも支持すると共に、従動プーリが配置される位置よりも下方向に延出した位置で移動体に一端が支持された付勢手段の他端を支持し、且つ、可動体が遊技盤の貫通口の一つ且つ主役物の枠状の内側を通して視認可能となるように遊技盤の後面側に取付当接面を介して取付固定されるベースとを備えており、第一可動体の発光装飾表示手段は、複数種類の色の光を投光可能な発光手段から投光される光の三原色のうちの何れか一つのみからなる第一色の光だけが透過することで、第一表示態様を呈する第一透過手段と、第一透過手段と同一面上の遮光性の部材からなる部材上に配置され、且つ第一透過手段に対して一部が重複するように配置され、重複する重複部は、第一色を除く他の光の三原色の何れか一方の色である第二色の光が少なくとも透過し、重複部以外は第二色のみが透過することで第二表示態様を呈する第二透過手段と、第一透過手段及び第二透過手段に対して発光手段の配置される側から、発光手段から投光される光以外の色の光が第一透過手段及び第二透過手段に照射されるのを防止する遮光手段とを備えていることを特徴とする。
【００４５】
これにより、第一可動体及び第二可動体の二つの可動体を備えているので、夫々の動きを組み合わせることで演出動作の種類（バリエーション）を増やすことができ、より演出動作を楽しませて飽き難いものとし、演出動作により遊技者の興趣が低下するのを防止することができる。また、本手段の構成によれば、所定キャラクタの顔を表現した第一可動体及び第二可動体を、夫々接近させたり、離反させたり、一方のみを上下動させたり、両方を同一方向に上下動させたりすることが可能となる。つまり、所定キャラクタの顔を上下方向に移動させたり、所定キャラクタの顔の口を開閉させたりすることが可能となり、遊技機において可動体が目立つものとなり、遊技者をそれらの可動体に注目させることができ、第一可動体及び第二可動体による演出動作を楽しませて、興趣が低下するのを防止することができる。
【００４６】
また、第一駆動ユニット及び第二駆動ユニットによって、第一可動体と第二可動体とを互いに接近させたり離反させたりすることで、所定キャラクタの口が閉じたり開いたりする動作となり、所定キャラクタの口がパクパクする動きにより、遊技者に強いインパクトを与えると共に楽しませて、興趣が低下するのを防止することができる。
【００４７】
また、遊技盤の後面側に、貫通口を通して第一可動体や第二可動体が視認可能となるようにベースの取付当接面を取付固定しているので、遊技盤の後面側にベースを取付けても、貫通口を通してベースに支持された誘導部材に誘導案内される可動体を遊技者に視認させることができ、第一可動体や第二可動体の動きを楽しませて興趣が低下するのを抑制することができるものとすることができると共に、上述の可動体を遊技機に備えても、ベースの取付固定のために遊技領域が狭くなることがなく、充分な遊技領域を確保することができ、遊技媒体の動きが単調な動きとなるのを防止して、興趣が低下するのを抑制することのできるものとすることができる。
【００４８】
更に、演出表示手段の前面側で第一可動体や第二可動体が移動するようにしているので、これにより、演出表示手段に表示させる演出態様と可動体とを可及的に近づけることが可能となり、演出態様と第一可動体や第二可動体の演出動作とをより関連付けたものにし易くすることができ、演出態様と第一可動体や第二可動体の演出動作によるコラボレーションによって、これまでにないインパクトの高い演出を提供して、遊技者の興趣を高められるものとすることができる。
【００４９】
また、第一駆動ユニット及び第二駆動ユニットを演出表示手段の左右外側に配置しているので、第一駆動ユニット及び第二駆動ユニットの長さを、少なくとも演出表示手段の上下方向の長さ分は確保することが可能となり、第一駆動ユニット及び第二駆動ユニットを演出表示手段の上側又は下側に配置した場合比較して、より長いものとすることができ、第一可動体及び第二可動体の移動量をより大きくして遊技者に目立つようにし、第一可動体及び第二可動体の演出動作を楽しませて、興趣が低下するのを防止することができる。
【００５０】
また、駆動ベルトにテンションを付与するための移動体を、被誘導部材が誘導案内される誘導部材によって誘導案内するようにしているので、移動体を駆動プーリと従動プーリとが離反する方向に移動させるための機構を別途備える必要がなく、装置全体を簡略化することが可能となって全体的に大型化するのを抑制することができる。つまり、全体的に大型化するのを防止することができるので、相対的に第一可動体や第二可動体を大型化したり、移動量を大きくしたりすることが可能となり、第一可動体や第二可動体の演出動作を認識し易くして、その演出動作により興趣が低下するのを防止することができる。
【００５１】
また、移動体における誘導部材に誘導案内される案内孔と、従動プーリの軸部を係止保持する係止部との間で付勢手段の付勢力が作用するようにしているので、これにより、移動体にかかる付勢手段の付勢力が誘導部材側と従動プーリ側とに略均等にかかることとなり、移動体が誘導部材に対して傾くのを抑制することができ、誘導部材により移動体を良好に誘導案内させることができると共に、付勢手段の付勢力により駆動ベルトに所定のテンションを良好に付与することができ、これにより、駆動プーリと従動プーリとに巻き掛けられる駆動ベルトの張力を適宜なものとして、駆動ベルトを良好に回転駆動させることができる。
【００５２】
更に、駆動プーリと反対側が開放され従動プーリの軸部を係止するフック状の係止部を備えた移動体としているので、これにより、従動プーリに駆動ベルトを巻き掛けた状態でその軸部を係止部に係止させるだけで、簡単に従動プーリと駆動ベルトとを組立てることができると共に、駆動ベルトに付勢力を作用させることができる。
【００５３】
また、ベースの全長に対してその一部である取付当接面のみを遊技盤と当接させて取付固定するようにしているので、遊技盤やベース等の寸法誤差等があっても、その誤差による影響を可及的に少なくすることが可能となり、遊技盤にベースを取付固定してもそれらに歪等の不具合が発生するのを防止することができ、遊技盤にベースを良好に取付けることができる。そのため、第一可動体や第二可動体を誘導案内する誘導部材の長さを長くすることで誘導部材を支持するベースが長くなっても、遊技盤にベースを良好に取付固定することができるので、誘導部材の長さを長くして第一可動体や第二可動体が大きく移動するようにさせることが可能となり、第一可動体や第二可動体の演出動作を認識し易くして、その演出動作により遊技者の興趣が低下するのを防止することのできるものとすることができる。
【００５４】
更に、ベースの上側に配置された取付当接面で遊技盤に取付固定するようにしている、つまり、ベースの一方の側でのみ取付固定するようにしているので、遊技盤への取付けがベースの上側だけで済み、取付けにかかる手間を簡略化することができると共に、例えば、遊技盤の面に対して左右方向の力が作用して取付当接面の垂直線上からベースの重心が左右の何れかにずれても、その重心にかかる回転モーメントが、ベースの重心を取付当接面の垂直線上に戻すように作用し、ベースが元の位置に復帰するので、取付当接面やビス等にベースにかかる重量以外の力が作用するのを抑制することができ、ベースを良好に取付固定することができると共に、ベースが変形して不具合が発生するのを防止することができる。
【００５５】
また、ベースの取付当接面の上部にビスを挿通する取付孔を穿設しており、これにより、ベースの上部のみで取付けているので、ビスの数を可及的に少なくすることができ、取付けにかかる手間を簡略化することができると共に、上述と同様の理由により、ビスや取付当接面にかかる回転モーメントを可及的にかかり難くすることができ、ベースを良好に遊技盤に取付固定することができる。
【００５６】
また、遊技盤へ取付固定するためのベースの取付当接面が配置された側と同じ上側に、移動手段の駆動プーリが配置されている。つまり、駆動プーリを回転駆動する回転駆動手段が取付当接面に近いベースの上側で支持されるので、振動や駆動反力の発生源である回転駆動手段に可及的に近い位置で取付当接面を介して遊技盤に取付固定することとなり、回転駆動手段からの振動等がベース全体に伝わるのを防止することができると共に、ベースの振動によりベースに支持された誘導部材等の各部材が振動し、他の部材と当接して破損したり、各部材同士の組付けが緩んだりして被誘導部材を良好に誘導案内させることができなくなるのを防止することができる。
【００５７】
更に、第一可動体や第二可動体を保持する被誘導部材は、二つの摺動部材を介して誘導部材に摺動案内されるので、摺動部分の接触面積を可及的に少なくすることが可能となり、摺動抵抗を低減させることができ、第一可動体や第二可動体と共に被誘導部材を上下方向に良好に誘導案内させることができると共に、第一可動体や第二可動体を大型化することが可能となり、第一可動体や第二可動体をより目立たせてより演出効果の高いものとすることができ、興趣が低下するのを防止することができる。また、第一可動体や第二可動体を大型化しても摺動抵抗が増加するのを抑制することができるので、駆動力の大きい大型の移動手段を用いなくても、第一可動体や第二可動体を保持する被誘導部材を良好に誘導案内させることが可能となり、所望の大きさの第一可動体や第二可動体を遊技機に備えることができ、より興趣の高められるものとすることができる。
【００５８】
更に、摺動抵抗を低減させることができるので、静止状態の被誘導部材を移動させるために必要な駆動力が少なくて済み、容易に被誘導部材を移動開始させることができる。つまり、被誘導部材の移動レスポンスを高くすることができるので、被誘導部材すなわち第一可動体や第二可動体を機敏に移動させることが可能となり、それらの動きによるインパクトをより高めることができ、興趣が低下するのを抑制することができる。
【００５９】
また、誘導部材の表面に摩擦低減層が形成されており、誘導部材と摺動部材との摺動抵抗を低減させることができるので、摺動部材を介して被誘導部材を良好に誘導案内させることができると共に、摺動部における摩擦が低減されて摩耗し難くすることが可能となり、誘導部材や摺動部材が早期に摩耗して被誘導部材すなわち第一可動体や第二可動体の動作不良を招くのを防止することができる。
【００６０】
更に、二つの支持ブッシュを介して支持シャフトを被誘導部材に回転可能に保持するようにしているので、これにより、支持シャフトを被誘導部材がかかる部分全体で回動可能に保持する場合と比較して、支持シャフトとの接触部分が可及的に少なくなり、支持シャフトにかかる摩擦抵抗を低減させることが可能となり、支持シャフトを良好に回動させることができ、支持シャフトに支持された可動体をスムーズに演出動作させて、興趣の高められるものとすることができる。
【００６１】
また、被誘導部材の本体部と固定部材とで二つの摺動部材、及び二つの支持ブッシュを所定の位置に保持するようにしているので、これにより、二つの摺動部材、及び二つの支持ブッシュを本体部と固定部材とで簡単に保持することができ、容易に組み立てられるものとすることができる。
【００６２】
更に、第一可動体や第二可動体を駆動ベルトの回転駆動により移動させるようにしており、ネジ部材等の移動手段を用いた場合と比較して、第一可動体や第二可動体の移動速度をより速く移動させることができ、速く移動する第一可動体や第二可動体により遊技者に強く印象付けることができるので、第一可動体や第二可動体に注目させてその演出動作を楽しませることが可能となり、遊技に対する興趣が低下するのを防止することができる。また、同じ移動量をソレノイドやシリンダを用いて移動させる場合と比較してより小型化することが可能となり、遊技機に設置し易いものとすることができると共に、第一可動体や第二可動体の移動量をより大きくしても遊技機に設置することができるので、第一可動体や第二可動体をより大きく移動させることができ、第一可動体や第二可動体の演出動作を認識し易くして、その演出動作により興趣が低下するのを防止することができる。
【００６３】
また、被誘導部材を誘導部材により誘導案内するようにしているので、撓み易いベルトを用いて被誘導部材を移動させても、誘導部材により被誘導部材を真直ぐ誘導案内させることができ、移動の際に被誘導部材、つまり、可動体を所望の姿勢で良好に移動させることができる。
【００６４】
更に、駆動ベルトと駆動プーリの係合歯と被係合歯とを互いに係合させることで、駆動ベルトが駆動プーリの外周面上を滑り難くすることができ、駆動プーリから回転駆動を確実に駆動ベルトに伝達させることができると共に、駆動プーリの回転速度を速くしても、駆動プーリと駆動ベルトとの間で滑りが発生しないので、より速い速度で駆動ベルトを駆動させることが可能となり、被誘導部材を介して可動体をより速い速度で移動させることができ、よりインパクトの強い動きを第一可動体や第二可動体にさせて、興趣の高められるものとすることができる。
【００６５】
また、駆動プーリを上側に、従動プーリを下側に配置しているので、駆動ベルトは、固定された被誘導部材等の重さにより下方、つまり、駆動プーリとは離反する方向に引張られる力が作用し、その力により駆動プーリへの駆動ベルトの巻き掛け力が強くなり、駆動プーリと駆動ベルトとの摩擦力が大きくなって互いに滑り難くすることができ、駆動プーリにより確実に駆動ベルトを駆動させることができると共に、駆動プーリと駆動ベルトとが滑って被誘導部材が降下するのを防止することができ、被誘導部材を介して第一可動体や第二可動体に所望の動きをさせることが可能となり、第一可動体や第二可動体に所定の演出動作をさせて、興趣の高められるものとすることができる。
【００６６】
また、従動プーリを駆動プーリと離反する方向に付勢する付勢手段を備えているので、駆動ベルトに所定のテンションを付与することができ、駆動プーリと従動プーリとに巻き掛けられる駆動ベルトの張力を適宜なものとして、駆動ベルトを良好に回転駆動させることができる。
【００６７】
更に、駆動プーリと従動プーリを上下方向に配置し誘導部材が遊技盤の面に略沿うように上下方向に配置されている、つまり、第一可動体や第二可動体を、遊技機における遊技盤の面に直角方向（前後方向）の寸法に対して、相対的に大きい寸法とされている上下方向（遊技盤の面に沿った方向）に移動するようにしているので、第一可動体や第二可動体の移動量を可及的に大きくすることが可能となり、第一可動体や第二可動体の動きをより認識し易いようにして、その演出動作を楽しませて興趣が低下するのを防止することができる。また、第一可動体や第二可動体を上下方向に移動させることができるので、遊技領域を流下する遊技媒体の流れ方向と略同じ上下方向に第一可動体や第二可動体が移動し、遊技媒体と第一可動体や第二可動体との間での遊技者の目線移動がし易く早期に遊技者が疲労するのを抑制することができ興趣が低下するのを防止することができる。
【００６８】
また、板金からなるベースにより樹脂からなる第一支持部材及び第二支持部材部材を支持すると共に、それら第一支持部材及び第二支持部材部材により誘導部材を支持するようにしているので、大型化すると歪みの大きくなる樹脂部材を可及的に小さくすることが可能となり、誘導部材を大きく（長く）しても誘導部材を所望の位置に正確に支持することができ、誘導部材により被誘導部材を介して第一可動体や第二可動体を良好に誘導案内させることが可能となるので、第一可動体や第二可動体がより大きく動くようにすることができ、第一可動体や第二可動体の演出動作を認識し易くして、その演出動作により興趣が低下するのを防止することができる。
【００６９】
また、第一支持部材と第二支持部材とによりベース、誘導部材、及びガイド部材が一体的に組み付けられ、夫々の剛性の相乗効果によって全体的な強度剛性が高められているので、ベースや誘導部材を長くして被誘導部材の移動量を大きくしても、被誘導部材の移動によって発生する反力や振動等によりベースや誘導部材が変形するのを防止して、被誘導部材を介して第一可動体や第二可動体を良好に移動させることができると共に、第一可動体や第二可動体がより大きく動くようにして第一可動体や第二可動体の演出動作を認識し易くし、その演出動作により興趣が低下するのを防止することができる。
【００７０】
また、第一支持部材及び第二支持部材とベースとを組付ける際に、位置決め突起を位置決め孔に嵌合させるだけで、第一支持部材と第二支持部材とを所定距離離れた所定位置に容易に位置決め支持することができ、誘導部材を所望の位置に容易に配置支持することができる。
【００７１】
更に、第一可動体や第二可動体を支持する支持シャフトを回動させる回動手段を備えているので、第一可動体や第二可動体を支持シャフトの軸芯周りに回動させることができ、可動体を誘導部材の延在する上下方向だけでなく、支持シャフトの軸芯周りの方向にも動かすことが可能となり、第一可動体や第二可動体の動きをより複雑な動きとすることができると共に、所定キャラクタの口の開閉動作が、よりリアルな動作となって遊技者への訴求力が強くなり、より演出効果の高い動きをさせることで興趣の高められるものとすることができる。
【００７２】
また、支持シャフトを回動させる回動手段を、被誘導部材の可動体が保持される側とは誘導部材を挟んで反対側に配置したものである。これにより、被誘導部材は、誘導部材を挟んで一方の側に可動体を、他方の側に回動手段を夫々保持することとなり、誘導部材を挟んで両側に夫々所定の荷重がかかることとなるので、被誘導部材にかかる偏荷重が緩和され、被誘導部材と誘導部材との間で偏摩擦や偏摩耗が発生するのを抑制し、偏荷重により誘導部材に誘導案内される被誘導部材が滑らかに誘導されずぎこちない動きとなったり、誘導案内することができなくなったりするのを防止することができる。
【００７３】
また、回動手段の駆動源としてソレノイドを用いているので、モータを用いた場合と比較して、レスポンスの良い速い動きをさせることが可能となり、可動体によりインパクトの強い演出動作をさせることができ、より興趣の高められるものとすることができる。
【００７４】
また、回転防止手段により被誘導部材が誘導部材の軸芯周りに回転するのを防止することができるので、特に、振動の多い駆動ベルトにより被誘導部材を移動させても、被誘導部材に保持された第一可動体や第二可動体が誘導部材の軸芯周りに回転、つまり、軸芯周りに振れるのを良好に防止することが可能となり、意図しない振れを抑制して所望の演出動作を確実に行わせることができ、興趣が低下するのを防止することができると共に、第一可動体や第二可動体をより大きなものとすることが可能となり、第一可動体や第二可動体をより目立たせて、演出効果をより高めることができる。
【００７５】
更に、回転防止手段におけるガイド部材の両端を第一支持部材と第二支持部材とで支持するようにしているので、ガイド部材を支持するための支持部材を別途備える必要がなく、ガイド部材を支持するための構成を簡略化することができ、コストが増加するのを抑制することができる。また、誘導部材と同様にガイド部材の支持精度も向上させることができるので、誘導部材の長大化に伴ってガイド部材を長くしても、誘導部材とガイド部材との関係（例えば、平行度）を良好な状態で維持することが可能となり、被誘導部材の振れを良好に防止することができ、第一可動体や第二可動体をより目立つように大型化して第一可動体や第二可動体の演出動作によって興趣を高められるものとすることができる。
【００７６】
また、第一可動体を移動させる第一駆動ユニットでは回転防止手段のガイド部材を誘導部材を挟んで第一可動体の反対側に配置しており、誘導部材とガイド部材との距離を所定距離離して左右方向の長さを長くすることで回転防止手段による回転防止機能を高めると共に、回動手段と回転防止手段の重量によって第一可動体との重量バランスを良くして、被誘導部材つまり第一可動体を良好に誘導案内させることができる。一方、第二可動体を移動させる第二駆動ユニットでは回転防止手段のガイド部材を誘導部材の前後方向の何れかに配置したものとしているので、左右方向の長さを短くすることができ、左右方向の長さが第一駆動ユニットにおいて長くなった分を第二駆動ユニットで吸収させることができ、第一駆動ユニット及び第二駆動ユニットを含めた全体の左右方向の長さが長くなるのを抑制して、良好な状態で第一可動体及び第二可動体を遊技機に備えさせることができる。
【００７７】
更に、ベースを遊技盤の後面側に取付固定しているので、ベースやベースに支持された第一支持部材、第二支持部材、誘導部材、被誘導部材、及び移動手段等を貫通口にかからないように取付固定することで、それら部材が貫通口を通して遊技者側から見え難くすることができ、それらが見えることで煩雑な印象を与えるのを防止することができ、興趣が低下するのを抑制することができる。
【００７８】
また、転動演出面を有し枠状の主役物を遊技盤の貫通口を前方から覆うように配置すると共に、遊技盤の後方にベースを介して備えられた第一可動体や第二可動体が主役物の枠状の内側を通して視認可能としているので、これにより、上記の可動体の演出動作だけでなく、主役物の転動演出面（ステージ）上を転動する遊技媒体の動きによっても、遊技者の興趣を高めることができると共に、前側に主役物が後側に第一可動体や第二可動体が配置されることとなり、奥行きのある遊技機とすることができ、他の遊技機との差別化を図ることが可能となり、遊技者に注目させて、より興趣の高められるものとすることができる。
【００７９】
更に、移動手段を誘導部材及び被誘導部材と一体に構成したり、或いは、移動手段を回転防止手段と一体に構成したりしても良く、これにより、上記と同様の作用効果を奏することができると共に、移動手段にかかる構成を簡略化することができる。
【００８０】
また、第一可動体及び第二可動体の前側に前側可動体が備えられているから、例えば上下に可動する第一可動体及び第二可動体とは違う動きをさせることにより、より可動体に注目させることができ、第一可動体、第二可動体及び前側可動体による演出動作を楽しませて、興趣が低下するのを防止することができる。
【００８１】
また、前側装飾体が略水平な第一配置状態に配置された場合において、その後側に第一可動体または第二可動体の少なくとも何れか一方が配置され、遊技者から視認困難に遮蔽される。これにより、第一可動体（または第二可動体）を視認可能に露出させたり、視認困難に遮蔽させたりする演出を切り替えることが可能となり、遊技者をどっきりさせ、注目を惹きつける演出が可能となる。
【００８２】
また、前側可動体は、略垂直に配置される第二配置状態において、第一駆動ユニットと第一可動体との間、または第二駆動ユニットと第二可動体との間の少なくとも何れか一方を遮蔽可能である。これにより、可動体と駆動ユニットとの間、つまり連結部が遮蔽され得るので、支持シャフト等を隠蔽し、見栄えを向上させることができる。さらに、第一可動体（または／及び第二可動体）とは別の動きをする前側可動体によって当該連結部を遮蔽できるので、夫々の駆動ユニットと第一可動体（または／及び第二可動体）との関係を分かり難くすることが、どうやって第一可動体（または／及び第二可動体）が動かされているのかが分かり難いことから、まるで宙に浮いているかのような意外性のある演出を行えるので、遊技者の注目を惹きつけ、興趣を高めることができる。
【００８３】
更に、第一可動体や第二可動体の上下方向の動きとは異なる別途の動き（回動する）を用いて前側可動体を可動させることができるので、遊技領域内における動きのバリエーションを増加させ、より演出効果の高め遊技者の興趣の高められるものとすることができる。
【００８４】
また、略長尺状の本体部を持つ前側可動体のうち、第一可動体や第二可動体が片持ち支持されている側と同じ端部側を中心に回動させることにより、略垂直な第二配置状態時において、その他端側に向かって延設されている本体部が不可避的に可動体と駆動ユニットとの間を遮蔽する。これにより、ごく自然に第一可動体や第二可動体と夫々の駆動ユニットとの連結部分を遮蔽できるので、よりスムーズ且つ巧みに見栄えを向上させることができる。
【００８５】
また、前側可動体の端部側が回動可能に支持されているから、略中央付近側で支持されている場合等に比べ、前側可動体を回動している回動手段を遊技領域の端部側に配置しやすい。これにより、当該回動手段によって第一可動体や第二可動体、または演出表示手段などを遮蔽し難いので、これらが表現する演出態様を見易くでき、興趣の低下を防止することができる。
【００８６】
また、左右同じ高さに二つ一組で配置されており、換言すれば、一つの前側可動体を二分割して配置する構成であるため、一つの前側可動体の左右方向の長さを、約半分程度に短くできる。これにより、前側可動体一つあたりのサイズを小さくすることができるので、各駆動ユニットが負担する駆動負荷が軽くなり、より速い速度で前側可動体を駆動することが可能となる。従って、前側可動体によりスピーディでダイナミックな演出を行わせることが可能となり、前側可動体の演出動作を楽しませて、興趣が低下するのを防止することができる。
【００８７】
さらに、左右略同じ高さに配置された二つの前側可動体が一組セットで、つまり一体感を連想させる形状や模様に形成されていることにより、略垂直な第二配置状態から略水平状態に移行した際に、一つの統一された観念を引き起こさせる一体的な形状へと合体させる演出が可能となる。例えば、右側に配置された前側可動体と左側に配置された前側可動体とに夫々文字を象った装飾部材を取り付け、第一配置状態に移行して二つの前側可動体が同じ高さに配置されると、二つあわせて一つの連続した意味のある単語となるような演出が可能となる。このように、意外性のある演出を行うことができることにより、遊技者や、その他の見物者などの注意を惹き、集客力の強い面白味のある遊技機が提供できる。
【００８８】
また、前側可動体を主役物の枠状の内側に備えていることにより、当該内側で前側可動体を回動させた場合は、主役物の構成部材と前側可動体とが干渉しないためスムーズに回動させることができ、より好適である。
【００８９】
更に、前側可動体の本体部は、ステージ上に供給された遊技媒体に接触しない大きさで形成されている。つまり、装飾可動体として配置されているため、ステージ上で繰り広げられる遊技媒体の転動演出を妨げる虞がない。これにより、前側可動体による動きの演出に加え、ステージ上を転動する遊技媒体の転動演出も十分に提供することができ、遊技者の目を楽しませることができる。また、遊技媒体の動きを妨げないことから、接触によって遊技媒体を所定の流下口以外の場所へと流下させることで遊技者の興趣を低下させる懸念も払拭される。従って、より面白味の持続する魅力的な遊技機を提供できる。
【００９０】
また、前側可動体を発光可能な装飾可動体としたことから、前側可動体は、第一配置状態と第二配置状態との間を移動するだけでなく、発光することもできるので、発光によって遊技者に前側可動体に気付かせ注目を惹くことが可能となり、前側可動体の動きを楽しませて、興趣が低下するのを防止することができる。
【００９１】
また、本手段の構成によれば、発光手段、及び、複数の透過手段を具備する比較的シンプルな構成の発光装飾表示手段が第一可動体に具備され、発光手段から投光される光の色を変化させるだけで、様々な表示態様を表示することが可能である。さらに、複数の透過手段（第一透過手段及び第二透過手段等）は、互いに同一面上に重複して配置される場合には、当該重複部を、第一色及び第二色を夫々透過可能に構成されているため、対応する表示態様（第一表示態様及び第二表示態様）を明瞭に表示することが可能となる。
【００９２】
さらに、発光装飾表示手段には遮光手段が具備されていることにより、演出表示装置が他の光学表示装置（ＬＣＤやＣＲＴ等）であった場合でも、これら他の演出表示装置から照射される光が透過手段に投光されることを防ぐことができ、所望の表示態様を所望の表示タイミングで明瞭に表示することができる。加えて、色の三原色を発光させる発光手段がＬＥＤから構成されていることにより、比較的他の色の波長成分を低減させることが容易で、表示内容を直感的に伝達させやすい光学表示装置とすることができる。これにより、遊技者がストレスを感じ難く、遊技内容に関する興趣や注目度を低減させないばかりか一層向上させることが可能な遊技機を提供することができる。
【００９３】
一方、第一可動体を所定のキャラクタ体にした場合は、遊技内容とキャラクタ体とが関連付けやすく、コミカルで親しみやすい遊技機を提供できる。また、第一透過手段及び第二透過手段が、遮光性の部材を背景とする同一面上に形成されていることにより、これら透過手段の背面にある部材（例えば発光手段等）を見え難くすることができる。
【００９４】
さらに、白色の部材を背景とする場合に比べて、光が透過することによって表示される表示態様、つまり発光によって表示される表示態様を効果的に浮かび上がらせることができ、よりインパクトの強い華やかな光学表示装置を提供することができる。
【００９５】
また、可動体に光学表示装置を備えることにより、表示領域に囚われずに自由度の高い表示を行うことが可能となる。特に、発光装飾表示手段である光学表示装置は、発光手段、複数の透過手段、及び遮光手段から構成される比較的シンプルな構成を呈し、さらに第一透過手段及び第二透過手段が同一面上にコンパクトに形成されている。従って、可動体に好適に配置可能であるため、バラエティに富む演出を提供でき、広い年代層に受け入れられ易い遊技機が提供できる。
【００９６】
また、主役物には、後流下口が備えられているから、遊技媒体がステージの後方に流下するため、ステージに遮蔽されて遊技媒体の流下する様子が一瞬見え難くなる。従って、遊技媒体がステージ上から突然消えたような、思わず遊技者がドッキリするような新規な演出を行うことができ、流下する遊技媒体の動きに注目させることができる。また、ステージの前方と後方との両方に遊技媒体を流下させる流下口を備えているので、遊技媒体がステージの前方から流下するのか、それとも後方から流下するのかをわかり難くし、一体どちらに落ちるのか、といった遊技者の期待感や注目度を高められる遊技機が提供できる。
【００９７】
ところで、従来より、遊技領域の役物や入賞口等は左右対称に配置されていた。そして、これに伴い遊技媒体のステージへの受け入れ口（及びステージ上への供給口）も、左右双方に配置されていた。
【００９８】
しかし、上述した構成には、以下の問題点があった。すなわち、ステージ上の一端側より供給された遊技媒体が転動演出を終えてステージ上から流下する前に、次の遊技媒体が他端側より供給されると、一方の遊技媒体と他方の遊技媒体とが衝突し、何れか一方（もしくは両方）がステージ上より弾き落とされる可能性がある。特に、ステージの両端側より、ほぼ同時のタイミングで勢い良く遊技媒体が供給されると、ステージの略中央付近で遊技媒体同士が激しく衝突し、ステージの前方に脱落したり、ステージ後方の配置物にぶつかって傷をつける場合も考え得る。
【００９９】
これに対し、本手段の構成によると、供給口は、ステージの左右何れか一端側に備えられる。このような新規の構成を備えることにより、強いインパクトを与えて遊技者を驚かせ、興趣を惹き付ける効果が期待できると共に、両端側から供給される場合に比べて、複数の遊技媒体同士が激しく衝突する虞が軽減される。
【０１００】
この点を具体的に説明する。仮に、一端側の供給口より連続して供給された遊技媒体同士がステージ上で衝突することがあった場合、例えば先に供給された遊技媒体が、ステージの他端側で折り返した際に、次に一端側より供給された遊技媒体との間で衝突を起すことがあったとしても、先に供給された遊技媒体は、ステージ上を転動するうちに運動エネルギーの一部がステージとの摩擦により減衰され得るので、ステージの両端側よりほぼ同時のタイミングで勢い良く遊技媒体が供給された場合に比べ、遊技媒体の勢いが削がれており、比較的ゆっくりと衝突する。つまり、先に供給された遊技媒体の転動速度が遅くなることにより、二つの遊技媒体の相対速度が減少するので、衝突に際して発生するエネルギー量が小さくなる。従って、ステージ上より脱落しにくく、隔壁板などに衝突する虞が軽減するので、より遊技者の興趣を長く惹きつけ遊技を楽しませることが可能となる。
【０１０１】
さらに、本手段の構成によると、後流下口は、隔壁板に穿設された開口部を有して構成されているから、後流下口の位置を遊技者の視線に対して対向する位置に設けられる。従って、遊技者が流下位置を認識しやすく、注目を集めやすいため好適である。具体的には、ステージの下側に向けて（下側に窪んで）穿設された穴やステージの後側に設けられた空隙等に誘導される場合と比較して、ステージ上から消失する瞬間の遊技媒体の流下経路を視認可能に構成できる。従って、遊技媒体が遊技領域に復帰する以前の遊技媒体の挙動、つまりステージ上から流下する瞬間の遊技媒体の挙動に対しても遊技者の興味を惹く事が可能となるため、より多様な演出状態を提供することができ、遊技者の興趣の低下を効果的に防止することができる。
【０１０２】
また、開口部からステージの後方に突出して形成され、受部へと遊技媒体を誘導するドーム状の誘導凹部をさらに有して構成されている。これにより、遊技媒体は、勢い良く流下した場合であっても、ステージ下方且つ後方の受部へと確実に誘導され、脱落することなく受部へと受取られる。従って、遊技者の目を充分に楽しませることができ、興趣の低下を防止できる。
【０１０３】
なお、誘導凹部を隔壁板から一体的に、つまり隔壁板と同じ透明な部材等で構成した場合は、誘導凹部のさらに後方に位置する光源を効果的に取り入れることができ、遊技媒体をライトアップしたような演出効果を得ることができる。例えば、隔壁板の後方に液晶表示装置のような光学表示装置を配置した場合は、これらの装置が発する光を誘導凹部の内部に取り入れ、該内部を通過する遊技媒体を光源で照らし出すことができる。これにより、流出口より流出される遊技媒体を明るく照らし出すことができ、遊技媒体の動きをより華やかで人目を惹くものとすることが可能となる。
【０１０４】
また、主役物には、エネルギー付与手段が備えられているから遊技媒体に運動エネルギーが付与できることにより、ステージ上で遊技媒体が詰まってしまう虞が回避できる。従って、遊技を中断させたり、転動演出の後に続く各種の遊技状態（例えば始動口に入賞する等）を促進させ、よりエキサイティングな遊技状態を提供できる。これにより、遊技者の興趣の低下を防止できるため、より好適である。
【０１０５】
ところで、ステージの前後方向の幅（以下、単に「ステージの幅」と称す）が、仮に遊技媒体一つ分の幅と略等しかったり、もしくは狭かったりすると、ステージ上に供給された遊技媒体の軌道が僅かに逸れただけで、あっという間にステージ上より落下してしまう。そこで、ステージの幅は、遊技媒体一つ分よりも比較的余裕を持った広さに形成されている場合が一般的である。このように形成することにより、遊技媒体の軌道が多少ぶれた場合であっても、ステージ上から脱落することなく左右に繰り返し転動する演出を行わせることができる。
【０１０６】
しかし、あまりにステージの幅を広くすると、ステージの後方に他の配置物（例えば、演出表示装置や装飾体等）の配置やサイズに制限を受けることになり、好適ではない。また、ステージの前後方向に遊技媒体の軌道がぶれた場合は、例えば隔壁板等を設けることによって遊技媒体が所定の位置以外の場所から脱落することはある程度防止できるものの、軌道がぶれることによって転動エネルギーが浪費され、さらに、障壁板等に衝突して運動エネルギーが消費されてしまうことにより、遊技媒体の転動速度が急激に遅くなる場合が考えられる。このような場合は、ステージ上で遊技媒体が転動を終了して滞留する場合も発生し、遊技者の目を楽しませることができなくなるので好適ではなかった。
【０１０７】
これに対し、本手段の構成によれば、エネルギー付与手段には遊技媒体が略一つ分通過可能な幅で形成されている溝が備えられているから、遊技媒体の軌道が、ステージの前後方向へとぶれることなく略中央付近へと修正されるので、転動エネルギーが無駄に消費されること無く、効率良く左右方向への転動演出に生かされる。従って、遊技媒体がステージ上で滞留する虞がなく、良好にステージ上での転動演出を続行させることができる。また、遊技媒体がステージの略中央付近へと軌道修正されることから、ステージの前側や後側から脱落する虞が軽減され、より良好に転動演出を行わせることができる。
【０１０８】
また、軌道を修正できることから、遊技媒体の軌道ぶれを抑えることができ、これによりステージの幅を可及的に狭くできる。従って、主役物の後方に配置する配置物、例えば本手段における第一可動体や第二可動体などの配置やサイズに自由度が広がり、より多様な演出装置や装飾部材を備えた遊技機を提供できるので好適である。
【０１０９】
さらに、延長転動面の終端部に滞留防止手段が備えられているので、延長転動面に進入した遊技媒体は、譬え転動エネルギーがゼロになった場合でも、ステージの中央側へと押し戻され、滞留することなく転動演出を続行する。これにより、遊技者の目を十分に楽しませることができる。
【０１１０】
一方、遊技媒体に所望の転動演出を行わせようとする場合において、上記までとは反対に遊技媒体の供給スピードがあまりにも速いと、一端側から供給された遊技媒体が勢い良く他端側へと転動していき、そのまま他端側の突当たりに衝突してステージ外へと跳ねて落ちてしまう場合がある。また、ステージ上での軌道が逸れ、所定の位置以外の場所から遊技領域へと脱落する懸念も高まるし、ステージ後側の案内部材に勢い良く衝突して、その衝撃で破損させたり、跳ね飛んだ先で隔壁板や釘や始動口などの各種の配置物を壊してしまう懸念もあった。
【０１１１】
これに対し、本手段の構成によればエネルギー減衰手段が備えられているから、遊技媒体の余剰な転動エネルギーを減衰することができるため、遊技媒体が予期せぬ動きをするのを抑制でき、遊技媒体が当接した部材が破損するのを防止できる。なお、ここでいう「予期せぬ動き」としては、例えばステージ表面に多数の突起物を形成した従来の遊技機において、遊技媒体が当該突起物にぶつかって弾んでしまうことでステージ上から脱落し、前方に設置されたガラス板や、後方に配置されたもの（例えば、演出表示手段）に衝突して壊してしまう場合などを示す。つまり、本手段の構成によれば、遊技媒体の余剰な転動エネルギーを減衰することができるため、前述のような予期せぬ動きを抑制することができ、各種の部材（前述の例によれば、前方に設置されたガラス板や後方に配置された演出表示手段等）が破損するのを防止することができる。
【０１１２】
また、遊技媒体がステージ上で良好に転動できることにより、例えば、入賞始動口やアタッカー等の配置物の上方に本手段の主役物を備えた場合には、遊技媒体が転動する度に特典（抽選の開始や大当り状態の誘発、入賞による払い戻し等）に対する期待感を喚起させ、ドキドキハラハラさせながら転動状態を楽しませることができる。従って、この場合には、よりエキサイティングな遊技機を提供することが可能となる。
【０１１３】
また、エネルギー減衰手段として、延長転動面の前面側に壁状の衝突部材が設けられているから、延長転動面の前面側へと軌道が逸れた遊技媒体を延長転動面の前後略中央側へと押し戻すことができ、良好に転動演出を続行させることが可能となる。
【０１１４】
更に、本手段の構成によれば、ステージの後側には隔壁板が備えられているから、ステージの後方側の配置物（例えば第一可動体や第二可動体等）が遊技媒体に衝突して、その衝撃で遊技媒体がステージの前方側に弾かれて所定の位置以外の場所から脱落する虞が軽減する。つまり、遊技媒体の軌道がステージの後側へと逸れた場合であっても、隔壁板が備えられていることにより、当該隔壁板に沿って滑らかに転動演出を続けることができるので、遊技者の興趣を低下させることなく楽しませることができる。
【０１１５】
また、隔壁板は、演出画像が遊技者に視認可能に構成されているから、遊技者に対して、演出画像をストレス無く提供することができる。つまり、演出表示手段の前方に配置物を配置することで、遊技者から見て演出画像が視認困難に遮蔽されてしまった場合は、遊技者によっては、演出画像が見たいのに見えない（若しくは、見え難い）ことにより、イライラを感じる場合がある。これに対し、本手段の構成によれば、演出表示手段の前方に配置された隔壁板は、透明な部材を用いる等して演出画像を視認容易な状態で構成しているため、遊技者に対して、ストレスの無い（少ない）状態で演出画像を提供することができる。これにより、より長時間リラックスして遊技を楽しむことのできる遊技機を提供できる。
【０１１６】
隔壁板から一体的に形成された凸条のガイド部材が設けられており、さらに、当該ガイド部材は、後流下口に位置する部位が切り欠かれて構成されている。
【０１１７】
ところで、遊技機を設置するホールによっては、遊技機の上側を微妙に後方に傾けて設置したり、または（遊技機全体ではなく）遊技盤やステージが予め水平方向に対して後方側へと傾斜して取り付けられている場合がある。このような場合は、ステージ上へと供給された遊技媒体は、重力に従ってステージの後側に転がりやすくなる。
【０１１８】
これに対し、本手段の構成によれば、ステージの後側にガイド部材が設けられているから、ステージの後側に転がった遊技媒体がガイド部材によって堰きとめられ、ステージ後方へと脱落する虞が無い。また、ガイド部材は、後流下口に位置する部位が切り欠かれているから、当該切り欠かれた部位を遊技媒体が通過可能である。つまり、所定の位置に当該切り欠かれた部位を形成することにより、所望の部位より遊技媒体をステージの後ろ側へと流下させることが可能となる。
【０１１９】
一方、隔壁板とガイド部材とに開口部（後流下口）が設けられていると、ステージの後方へと軌道の逸れた遊技媒体が、繰り返し左右に転動することなくいきなり該開口部内に向けて突入する場合がある。もしくは、ガイド部材に沿って転動した遊技媒体が、ガイド部材と開口部との境界部、つまりガイド部材のエッジ部に衝突して、その勢いでステージの前方へと弾かれて脱落する場合が考え得る。
【０１２０】
これに対し、本手段の構成によれば、ガイド部材は、後流下口に位置する部位、つまり切り欠かれて形成されているエッジ部が、左右方向に斜めに傾斜して（面取りして）形成されている。これにより、左右方向に斜めに傾斜せずに、例えば上方から見て略直角形状に形成されている場合に比べて、遊技媒体をステージの前側ではなく、左右方向へと案内できる。詳細には、前述で例示したように、エッジ部が略直角形状をしていると、ガイド部材に沿って転動してきた遊技媒体が、角部にぶつかってステージの前側へと跳ねてしまう虞がある。これに対し、本手段の構成のように、エッジ部が左右方向に斜めに形成されていると、遊技媒体が当該左右に傾斜した面に案内されてステージの左右方向へと転動するよう誘導され得る。従って、ステージの前側へと脱落したり、逆に開口部内へと突然突入することなく、良好にステージの左右方向に転動を続行することが可能となり、より長く遊技者の目を楽しませることができる。
【０１２１】
なお、ガイド部材のエッジ部を左右方向に斜めに傾斜させる構成としては、本手段の構成ように、ガイド部材を隔壁板（つまりステージの後端側）よりステージの前側に突出して形成させ、そのエッジ部を斜めに面取りする構成もあるが、その他にも、隔壁板を分厚い素材で構成し、そのエッジ部を斜めに傾斜させて構成したり、後流下口をステージの後側に所定距離突出させて形成し、その所定距離分だけ角の部分を左右方向の傾斜を設ける構成も考え得る。要するに、左右方向斜めに傾斜する分だけの距離（厚み）が設けられる構成であれば良い。但し、本手段の構成のように、ガイド部材を凸条部材として形成すると、遊技媒体の軌道がステージの後側へと逸れて後方の配置物（隔壁板またはガイド部材）に衝突した際に、その衝撃で跳ね返ってステージの前側等から脱落するまでの時間を長くすることができ、結果としてより長くステージ上での転動演出を続行させることができる。
【０１２２】
より具体的に説明すると、例えば、隔壁板を分厚い素材で構成したり、後流下口をステージの後側に所定距離突出させて形成した場合は、ステージの後端側には、遊技媒体が乗り上げることができないような立壁部が立設されることとなる。これに対し、本手段の構成によれば、ガイド部材は凸条の部材を有しているので、その凸部の高さによっては、ただ立壁部に跳ね返される場合とは違って、ステージ上を転動する遊技媒体が凸条の上面に乗り上げ、さらにその後に隔壁板に衝突し、凸条から落ちるようにしてステージ上へと戻される場合が考え得る。つまり、ステージの後側に隔壁板のみの立壁部を設けた場合に比べて、凸条を乗り越える時間分、隔壁板に衝突するまでの時間を長くすることができ、その分だけ遊技媒体に長い距離を転動させることができる。従って、ステージ上で転動する時間を長くすることができ、より好適にステージ上での転動演出を続行させることができる。
【０１２３】
ところで、従来の遊技機では、役物は、ステージ上に遊技媒体を供給させて転動演出を行わせるだけであったが、さらに、遊技媒体をステージ上に供給することなく、遊技領域外の領域へと排出させる排出口へと案内する排出口案内手段を備えるようにすることもできる。これにより、排出口案内手段によって案内された遊技媒体は、ステージ上へと供給されることなく、そのまま排出口へと案内される。つまり、ステージ上で転動演出を行うことが無く、あっという間に遊技領域外へと排出されてしまう。このような状態は、遊技者にとってはつまらなく、損をしているように感じさせ得るものである。
【０１２４】
従って、なるべくなら排出口案内手段へと遊技媒体が受取られないように、ステージや他の遊技領域へと遊技媒体を集中して打ち込ませることができるので、遊技媒体の打ち込み方に変化や工夫を生じさせることができる。これにより、遊技を飽きさせ難いものに感じさせる演出が可能となり、遊技者の集中力と興味を惹きつけ、興趣を効果的に高めることができるが、排出口案内手段によって案内された遊技媒体は、遊技領域の上方から下方へと流下して排出口へと案内される。従って、上方から下方へと流下するにつれて重力によって運動エネルギーが付与されるので、だんだんと遊技媒体の勢いが増してきて、遊技領域の下方に備えられた排出口へと到達する頃には、高い運動エネルギーをもつようになり、排出口を構成する部材や、その他排出口近辺にある配置物（釘や入賞口等）に衝突してこれらの部材を破損させる虞がある。そして、これにより遊技を中断させ、遊技者の集中力や興趣を低下させる懸念があった。
【０１２５】
これに対し、手段１の構成によれば、主役物には、減速手段が備えられているから、遊技媒体が流下するに伴って付与されていく運動エネルギーは、減速手段によって減衰される。従って、遊技媒体の流下速度が減速され、排出口近辺にある配置物（釘や入賞口等）に衝突してこれらの部材を破損させ難くなるので、遊技を中断することがなく、遊技者の興趣の低下を防止することができる。また、排出口近辺にある配置物に衝突することなく排出口へとスムーズに排出されやすくなるので、遊技者にとっては、より排出口案内手段に遊技媒体が受取られたくないようにスリルを感じさせ、遊技に対する集中力を高めさせることが可能となり、より面白味のある主役物を備える遊技機を提供できる。
【０１２６】
また、遊技媒体を、主役物の外周面に形成された案内面に沿って転動させ、遊技領域の上方から下方へと流下させて排出口へと案内することができる。従って、主役物の前方を横切ることなく、且つ遊技盤の前方側（遊技者に視認可能な位置）に排出口案内手段を配置することができるため、遊技媒体が排出されるか否かでドキドキハラハラさせることができると共に、見えやすくすることで遊技者の目を疲弊させ難くでき、興趣を高められるものとすることができる。
【０１２７】
これにより、案内手段によって案内された遊技媒体が、勢い良く遊技領域へと放出された際に、より流下しやすい場所に排出口案内手段を配置しているので、遊技媒体が排出口へと案内されやすくなる。従って、遊技者は、注意深く力加減して遊技媒体を打ち込み、排出口へと遊技媒体が案内されないように集中して打ち込む必要が生じるため、より飽きさせない、スリリングな遊技機を提供できる。
【０１２８】
さらに、排出口案内手段は、水平断面が略コの字形、つまり一部が開放された形状をしているので、遊技媒体が排出口案内手段内で詰まったり、ゴミが付着して流れが悪くなった場合でも、遊技盤の前面から比較的簡易にメンテナンスすることができる。これにより、遊技を中断させる虞が低いので、より遊技者の集中力を低下させることなく快適に遊技を続行させることが可能な遊技機が提供できる。
【０１２９】
また、案内面と内周面とが略並行に配置されていることにより、案内面と内周面との協働で挟み込むようにして遊技媒体を案内することが可能となる。つまり、遊技領域の上方から下方までくまなくスムーズに遊技媒体を案内することができるので、排出口案内手段を配置することによる緊張感を効果的に高めることができ、より遊技者の興趣を惹きつける事が可能となる。
【０１３０】
また、複数の突起は、互いに対向する位置に交互に夫々形成されているから、例えば右側の内壁に形成された突起は、譬え遊技媒体が左側の内壁に沿って流下した場合でも、該左側の内壁の突起に衝突させることができ、遊技媒体を右側の内壁側へと押しやることができる。このように、対向して配置された複数の突起に次々と衝突されられることにより、遊技媒体が適度に減速されて排出口へと案内される。また、排出口案内手段の配置方法が、湾曲している場合に限らずストレートであっても減速できることにより、排出口案内手段の配置方法に自由度があり、主役物の形状や排出口案内手段の配置方法に制限を受けないためより好適である。
【０１３１】
更に、本手段の構成によれば、発光手段、及び、複数の透過手段を具備する比較的シンプルな構成の発光装飾表示手段が第一可動体に具備され、発光手段から投光される光の色を変化させるだけで、様々な表示態様を表示することが可能である。さらに、複数の透過手段（第一透過手段及び第二透過手段等）は、互いに同一面上に重複して配置される場合には、当該重複部を、第一色及び第二色を夫々透過可能に構成されているため、対応する表示態様（第一表示態様及び第二表示態様）を明瞭に表示することが可能となる。
【０１３２】
さらに、発光装飾表示手段には遮光手段が具備されていることにより、演出表示装置が他の光学表示装置（ＬＣＤやＣＲＴ等）であった場合でも、これら他の演出表示装置から照射される光が透過手段に投光されることを防ぐことができ、所望の表示態様を所望の表示タイミングで明瞭に表示することができる。加えて、色の三原色を発光させる発光手段がＬＥＤから構成されていることにより、比較的他の色の波長成分を低減させることが容易で、表示内容を直感的に伝達させやすい光学表示装置とすることができる。これにより、遊技者がストレスを感じ難く、遊技内容に関する興趣や注目度を低減させないばかりか一層向上させることが可能な遊技機を提供することができる。
【０１３３】
一方、第一可動体を所定のキャラクタ体にした場合は、遊技内容とキャラクタ体とが関連付けやすく、コミカルで親しみやすい遊技機を提供できる。また、第一透過手段及び第二透過手段が、遮光性の部材を背景とする同一面上に形成されていることにより、これら透過手段の背面にある部材（例えば発光手段等）を見え難くすることができる。
【０１３４】
さらに、白色の部材を背景とする場合に比べて、光が透過することによって表示される表示態様、つまり発光によって表示される表示態様を効果的に浮かび上がらせることができ、よりインパクトの強い華やかな光学表示装置を提供することができる。
【０１３５】
また、可動体に光学表示装置を備えることにより、表示領域に囚われずに自由度の高い表示を行うことが可能となる。特に、発光装飾表示手段である光学表示装置は、発光手段、複数の透過手段、及び遮光手段から構成される比較的シンプルな構成を呈し、さらに第一透過手段及び第二透過手段が同一面上にコンパクトに形成されている。従って、可動体に好適に配置可能であるため、バラエティに富む演出を提供でき、広い年代層に受け入れられ易い遊技機が提供できる。
【発明の効果】
【０１３６】
このように、本発明では、遊技を充分に楽しませることができ、遊技者の興趣が低下するのを防止することのできる遊技機が提供できる。
【発明を実施するための最良の形態】
【０１３７】
以下、本発明の一実施形態であるパチンコ遊技機（以下、単に「パチンコ機」という）を、図面に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれその本体枠の一側に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【０１３８】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を合成樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【０１３９】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【０１４０】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【０１４１】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【０１４２】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、合成樹脂製の前構成部材７９が装着されている。
【０１４３】
なお、本例の案内レール７８が、本発明の「案内手段」に相当する。
【０１４４】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えたボックス装着台９１が設けられている。このボックス装着台９１には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対しボックス装着台９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなくボックス装着台９１、副制御基板ボックス９３及び主制御基板ボックス９５が配置されている。
【０１４５】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な合成樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【０１４６】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【０１４７】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な合成樹脂材より形成され、これによって、レール通路内の遊技球の流れ状態が、レール構成部材１１７の後壁部１２２を透して視認可能となっている。
【０１４８】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【０１４９】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【０１５０】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【０１５１】
払出装置装着部１１３の凹部に球払出装置１２５が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【０１５２】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【０１５３】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【０１５４】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【０１５５】
［後カバー体の構成について］  図４及び図５に基づき説明する。
図５はパチンコ機の後側全体を右上後方から示す斜視図である。
遊技盤５後面に配置された表示装置制御基板ボックス１３５（図９参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な合成樹脂材によって略方形の箱形状に形成された後カバー体１３６がカバーヒンジ機構１３７によって開閉並びに着脱可能に装着されている。
【０１５６】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【０１５７】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図９参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【０１５８】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【０１５９】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【０１６０】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な合成樹脂材は、透明な合成樹脂材と比べ、リサイクル使用される合成樹脂材を材料として用いることが容易であるため、後カバー体１３６を安価に製作することができる。
【０１６１】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【０１６２】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【０１６３】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【０１６４】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【０１６５】
［遊技盤の構成について］
図１０は遊技領域を有した遊技盤の構成を示す拡大正面図である。図１１は遊技盤を斜め前方から示す斜視図であり、図１２は遊技盤を斜め後方から示す斜視図である。図１３は図１２における主制御基板ボックス、副制御基板ボックス等を外した状態で示す斜視図である。また、図１４は遊技盤を分解して斜め前方から示す斜視図である。
【０１６６】
図１０乃至図１４に示すように、遊技盤５は、略円形の開口２１０を有し開口２１０内に遊技球を案内する外レール７６及び内レール７７からなる案内レール７８を備えた前構成部材７９と、前面側に前構成部材７９が取り付けられると共に適宜形状の貫通口２１１を複数有した板状の遊技盤ベース２１２と、遊技盤ベース２１２の貫通口２１１を覆うように、遊技盤ベース２１２の前面側に取り付けられる主役物２１３、主入賞口ユニット２１４、及び遊技領域内装飾体２１５と、主役物２１３と対応し遊技盤ベース２１２の後面側に取り付けられる後装飾体２１６と、後装飾体２１６の後方に配置される演出表示装置２１７と、遊技盤ベース２１２の後面側に取り付けられ主入賞口ユニット２１４に入賞した遊技球を排出誘導する排出誘導部材２１８とを主に備えている。
【０１６７】
遊技盤５では、前構成部材７９における開口２１０の内側で、遊技盤ベース２１２の前面側において、主に遊技領域３７が区画形成されており、この遊技領域３７内には、図１０に示すように多数の障害釘が所定のゲージ配列をなして設けられているほか、その途中の適宜位置に風車２１９が設けられていると共に、上述の主役物２１３、主入賞口ユニット２１４、及び遊技領域内装飾体２１５が配置されている。なお、遊技領域３７内の中央最下部には、入賞口等に入賞しなかった遊技球を遊技領域３７内から排出するアウト口２２０が設けられている。
【０１６８】
なお、本例の演出表示装置２１７が、本発明の演出表示手段に相当している。また、アウト口２２０が、本発明の「排出口」に相当している。
【０１６９】
（主役物の構成について）
次に、遊技盤５における主役物２１３の具体的な構成について図１５乃至図２４に基づき詳細に説明する。図１５は主役物の正面図であり、図１６は主役物を斜め前方から示す斜視図であり、図１７は主役物を斜め後方から示す斜視図である。図１８は主役物を分解して斜め前方から示す分解斜視図である。また、図１９は主役物のステージ付近を拡大して示す拡大正面図である。図２０は左右の可動装飾体及び装飾体駆動ユニットを示す斜視図であり、図２１の（Ａ）は左可動装飾体を斜め後方から示す斜視図であり（Ｂ）は左可動装飾体を分解して斜め前方から示す分解斜視図である。図２２の（Ａ）は右可動装飾体を斜め後方から示す斜視図であり、（Ｂ）は右可動装飾体を分解して斜め前方から示す斜視図である。図２３の（Ａ）は左可動装飾体駆動ユニットの分解斜視図であり、（Ｂ）は右可動装飾体駆動ユニットの分解斜視図である。更に、図２４は左右の可動装飾体の動きを示す説明図である。
【０１７０】
遊技盤５における主役物２１３は、図１５乃至図１８に示すように、額縁状に形成された枠状装飾体２３０と、枠状装飾体２３０の前側の右下縁部に取り付けられるキャラクタ体２３１と、枠状装飾体２３０の前側の上縁部やや右寄りに取り付けられ自動車を模した装飾部材２３２と、枠状装飾体２３０の開口を閉鎖するように枠状装飾体２３０の後側に取り付けられる透明な板状の隔壁板２３３と、枠状装飾体２３０の上縁部の前面下側に配置される右可動装飾体２３４及び左可動装飾体２３５と、枠状装飾体２３０の後側に配置され右可動装飾体２３４及び左可動装飾体２３５を夫々所定軸周りに回動させるための右可動装飾体駆動ユニット２３６及び左可動装飾体駆動ユニット２３７とを備えている。
【０１７１】
また、主役物２１３には、遊技領域３７内の所定領域を通過する遊技球を検出可能なチャッカー２３８を更に備えている。このチャッカー２３８は、枠状装飾体２３０の左縁部に取り付けられ遊技球の通過を検出する通過検出センサ２３９と、通過検出センサ２３９を前方から覆うと共に上下方向に遊技球が通過可能な開口を有したチャッカーカバー２４０とを備えている。このチャッカー２３８は、チャッカーカバー２４０の上側から、遊技領域３７内を流下する遊技球が進入すると、その遊技球を通過検出センサ２３９によって検出し、その後、検出した遊技球をチャッカーカバー２４０の下側から、再び遊技領域３７内に戻すようになっている。
【０１７２】
この主役物２１３の枠状装飾体２３０には、通過検出センサ２３８が取り付けられる部位の下側に、ワープ入口２５０が設けられていると共に、ワープ入口２５０の下方には枠状装飾体２３０の内側に開口するワープ出口２５１が設けられており、枠状装飾体２３０内部にはワープ入口２５０とワープ出口２５１とを連通するワープ通路２５２が形成されている。このワープ通路２５２は、断面視コ字状に形成された枠状装飾体２３０の開放部が隔壁板２３３の一部によって閉鎖されることで形成されており、遊技盤面に沿って流下する遊技球を、枠状装飾体２３０の外側（外周）から内側へワープ通路２５２を介して取り込めるようになっている。
【０１７３】
主役物２１３の枠状装飾体２３０には、その下縁部における上面に、ワープ通路２５２のワープ出口２５１から連続し遊技球を左右方向に転動させることのできる転動面２５３と、転動面２５３の前側に設けられ左右に開放部２５４を有した所定高さの堰部２５５とからなるステージ２５６が備えられている。このステージ２５６は、ワープ通路２５２を介して取り込まれた遊技球を左右方向に転動させてその動きに様々な変化が付けられるようになっていると共に、ステージ２５６上を転動する遊技球が開放部２５４からステージ２５６の前方に流出するようになっている。なお、ステージ２５６上の遊技球は、枠状装飾体２３０の後側に取り付けられる隔壁板２３３によってステージ２５６の後方へ流出しないようになっている。また、ステージ２５６の左端側には、傾斜２８４（図１１参照）が設けられており、ワープ通路２５２を介して取り込まれた遊技球に適度な位置エネルギーを付加することが可能となっている。これにより、遊技球が適度に勢いのある状態でステージ２５６の中央側へと供給され、良好に転動させられるので、遊技者がより遊技球の転動演出を楽しめるよう構成されている。さらに、ステージ２５６の左端側には、ステージ２５６の前端側及び後端側から延出された段差状の部材の間に形成された溝３０５が形成されている。溝３０５は、遊技球一つ分と略等しい幅で形成されており、ワープ出口２５１から供給された遊技球のぶれ（ステージ２５６の前側または後側へと向かう力）を抑え、ステージ２５６上をより良好に転動させるための軌道修正手段としての作用効果を奏している。
【０１７４】
なお、ワープ出口２５１が、本発明の「供給口」に相当している。
【０１７５】
また、主役物２１３の枠状装飾体２３０には、ステージ２５６上の遊技球を、主入賞口ユニット２１４の略中央直上に流下するように誘導する球誘導路２５７を更に備えている。この球誘導路２５７は、ステージ２５６の左右の開放部２５４を挟むように略中央に配置され遊技球をステージ２５６の後側へ案内する球案内部２５８と、球案内部２５８の下方且つステージ２５６の後側に延出し上方から遊技球を受入可能とされた球受部２５９と、球受部２５９に受けられた遊技球を球案内部２５８の下方且つステージ２５６の前側に開口する球流出口２６０から流出するように誘導する球誘導部２６１とから構成されている。なお、隔壁板２３３の略中央下部には、後方に突出する球誘導凹部２６２が形成されており、球案内部２５８によってステージ２５６の後側に案内された遊技球が、球誘導凹部２６２に誘導されて隔壁板２３３の後側に流出することなく、良好に球受部２５９に受けられるようになっている。また、ステージ２５６の後側には、ステージの前側に向かって突出して形成された凸条部材３０２が隔壁板２３３から一体的に形成されている。さらに、凸条部材３０２のエッジ部３０３は、ステージ２５６の左右方向に対して斜めに傾斜して形成されており、隔壁板２３３の開口部３０４の縁に衝突した遊技球を、ステージ２５６の前方側ではなく左右方向へと案内するよう構成されている。
【０１７６】
更に、主役物２１３の枠状装飾体２３０には、ステージ２５６を挟んでワープ通路２５２の反対側に、枠状装飾体２３０の左右方向中央側が僅かに低くなるような面とされ、ステージ２５６の転動面２５３と連続するような延長転動面２６３を更に備えている。この延長転動面２６３は、ワープ入口２５０から取り込まれワープ通路２５２を介して所定の初速度でステージ２５６上に供給された遊技球が、ステージ２５６の堰部２５５を乗越えてステージ２５６から流出するのを防止するためのものである。なお、この延長転動面２６３の前側には、図示するように、キャラクタ体２３１の一部である装飾部材３０１が配置されるようになっており、隔壁板２３３と協働して所定深さの溝が形成されるようになっており、延長転動面２６３において遊技球が弾んだりしても、延長転動面２６３から遊技球が脱落し難くなっている（図１９参照）。また、装飾部材３０１は、その後方に配置される遊技媒体や各種の演出が視認可能な部材（透明性を有する部材３６０：図１９参照）で構成されているので、遊技者は、遊技媒体の転動演出や、演出表示装置２１７が表示する演出画像を部材３６０を通して視認することができ、邪魔にならないため好適である。
【０１７７】
なお、「球誘導路２５７」が本発明の「誘導手段」に、「球受部２５９」が「受部」に、夫々該当する。また、「凸条部材３０２」が「開口部案内手段」に、「球誘導凹部２６２」が本発明の「誘導凹部」に、夫々相当している。さらに、開放部２５４は、本発明の「前流下口」に、「開口部３０４」は、本発明の「後流下口」に、「球流出口２６０」が「流出口」に相当している。また、「傾斜２８４」及び「溝３０５」が、本発明の「エネルギー付与手段」に相当する。
【０１７８】
この延長転動面２６３の作用を詳述すると、ワープ通路２５２を介して所定の初速度で供給される遊技球は、ステージ２５６の左端から右端へと転動して延長転動面２６３上に供給され、その際に、ステージ２５６はその中央付近が低く左右両端が高くなるような形状とされているので、遊技球の速度はステージ２５６の右端に転動するのに従って低下するが、ワープ通路２５２内を流通する遊技球の速度は様々に異なるため、ステージ２５６へ供給される時の初速度も様々に異なり、例えば、ステージ２５６の右端に延長転動面２６３の代わりに球当接部を設けた場合、遊技球の速度によっては、球当接部への当接により弾んでしまいステージ２５６の堰部２５５を乗越えてステージ２５６から脱落し、ステージ２５６上で遊技球を良好に転動させることができなくなり、遊技球の動きを楽しませられなくなる虞がある。
【０１７９】
これに対して、本例では、ステージ２５６の右端に延長転動面２６３を設けており、所定の速度で転動する遊技球がステージ２５６の右端に到達しても、延長転動面２６３へと供給されてステージ２５６の右端で弾んでステージ２５６から脱落するのを防止することができるようになっている。また、延長転動面２６３では、キャラクタ体２３１の一部である装飾部材３０１及び隔壁板２３３と協働して所定深さの溝が形成されるので、延長転動面２６３上で遊技球が弾んでも、延長転動面２６３から遊技球が脱落するのを抑制することができるようになっている。更に、延長転動面２６３は、枠状装飾体２３０の中央側（左端）が僅かに下がった平坦面とされているので、延長転動面２６３からステージ２５６へ転動する遊技球の速度上昇を抑制させることが可能となり、好適な速度で遊技球をステージ２５６に戻すことができ、ステージ２５６上で遊技球を良好に転動させることができるようになっている。
【０１８０】
なお、「装飾部材３０１」が、本発明の「壁状の衝突部材」に相当し、「延長転動面２６３」及び「装飾部材３０１」が、本発明の「エネルギー減衰手段」に相当する。
【０１８１】
また、本例では、図１１及び図５８に示すように、延長転動面２６３の右端側（突当たり）に、突壁部２８０、及び段差２８１が備えられている。なお、図５８の一点鎖線円内は、ステージ２５６及び延長転動面２６３の一部を拡大したものであり、説明を簡略化するため、装飾部材３０１を省略して図示している。突壁部２８０は、枠状装飾体２３０から一体的に形成された部材であり、延長転動面２６３の右端側に、延長転動面２６３の中央側に向かって突出するように形成されている。段差２８１は、延長転動面２６３から一体的に形成された部材であり、延長転動面２６３の右端部に上方に突出するようにして形成されている。
【０１８２】
この突壁部２８０及び段差２８１の作用を詳述すると、ワープ通路２５２を介して所定の初速度で供給される遊技球は、ステージ２５６の左端から右端へと転動して延長転動面２６３上に供給される。ここで、ワープ通路２５２内を流通する遊技球の速度は様々に異なるため、ステージ２５６へ供給される時の初速度も様々に異なり、例えば、比較的ゆっくりとした速度で延長転動面２６３上に遊技球が供給された場合は、延長転動面２６３上で遊技球が転動を終了し、そのまま延長転動面２６３上に滞留する虞があった。特に、延長転動面２６３の終端部（すなわち右端部側）では、枠状装飾体２３０による立壁部２８２や装飾部材３０１に衝突することによって遊技球の転動エネルギーが減衰され、勢いを無くし易いから、ステージ２５６上へと戻ることなく球詰まりのような状態になることが考えられる。
【０１８３】
これに対し、本例では、延長転動面２６３の右端部側に突壁部２８０が設けられているから、突き当りまで転動してきた遊技球が突壁部２８０に衝突し、ステージ２５６側へと押し戻される。また、段差２８１に衝突することによって、ステージ２５６側へと弾かれて押し戻されるから、遊技球が延長転動面２６３上に滞留する虞が一層軽減される。これにより、遊技球をステージ２５６上で良好に転動させることができる。
【０１８４】
なお、「突壁部２８０」及び「段差２８１」が、本発明の「滞留防止手段」に相当する。
【０１８５】
さらに、本例では、ステージ２５６と延長転動面２６３との境界部に、エッジ２８３が設けられている。
【０１８６】
ところで、ステージ２５６は、前述したように、その中央付近が低く左右両端が高くなるような形状をしている。また、延長転動面２６３は、枠状装飾体２３０の中央側（左端）が僅かに下がった平坦面として形成されており（つまりステージ２５６に向かって低くなるよう傾斜しており）、且つ突壁部２８０及び段差２８１が設けられている。従って、ステージ２５６から延長転動面２６３へと転動してきた遊技球の転動エネルギーが比較的低い場合であっても、ステージ２５６へと押し戻されて付勢され、良好な速度で転動させられるが、逆に、比較的高い転動エネルギーを有した状態、つまり必要以上に高い速度でステージ２５６から延長転動面２６３へと遊技球が供給された場合は、突壁部２８０等に弾き返され、勢い余って装飾部材３０１等を乗り越え、延長転動面２６３上から脱落してしまう場合も考え得る。
【０１８７】
これに対し、本例では、ステージ２５６と延長転動面２６３との境界部にエッジ２８３が設けられているから、ステージ２５６から延長転動面２６３へと転動してきた遊技球は、その転動運動の進行方向が急激に変化させられ、適度に減速される。例えば、ステージ２５６と延長転動面２６３との境界部が一体的に滑らかに（エッジ２８３の無い状態で）形成された場合は、遊技球は、位置エネルギーの上昇による運動エネルギーの減少、及び延長転動面２６３を含むエネルギー減衰手段のみによりその転動速度が減速させられるが、本例では、エッジ２８３が形成されているから、ここを乗り越えることによる抵抗によって、さらに遊技球が減速される。従って、遊技球が適宜な速度で延長転動面２６３上へと侵入するため、勢い余って脱落する虞が軽減される。これにより、遊技者に、より遊技球の動きを楽しませることが可能となる。
【０１８８】
主役物２１３の枠状装飾体２３０は、図１６及び図１７に示すように、その左側外周に遊技球を外周に沿って下方に案内可能な球案内路２７０が備えられている。この球案内路２７０は、枠状装飾体２３０の外周面２７１と、遊技盤ベース２１２の前面側に当接し遊技盤ベース２１２の該当する貫通口２１１を閉鎖するように外方に延びるフランジ部２７２と、フランジ部２７２から前側に所定距離離反した位置で外方に延び前面に装飾の施された装飾フランジ部２７３とから構成されている。この球案内路２７０は、枠状装飾体２３０の外周面２７１、フランジ部２７２、及び装飾フランジ部２７３とにより、遊技盤５の盤面に沿った外方に開放された断面が略コ字形状に形成されており、その内部を遊技球が流通可能とされている。
【０１８９】
この球案内路２７０には、フランジ部２７２及び装飾フランジ部２７３の内面側（互いに対向する面側）に、複数の突起（突条）２７４が設けられており、フランジ部２７２側の突起２７４と、装飾フランジ部２７３側の突起２７４は、互いに対向しない位置に交互に夫々形成されている。この球案内路２７０は、その複数の突起２７４によって、球案内路２７０を流下する遊技球が突起２７４と当接することで、遊技球の流下速度を減衰させて、遊技球の流下速度が上昇するのを抑制することができるようになっている。なお、この球案内路２７０は、主入賞口ユニット２１４の下側付近まで遊技球を案内するように形成されている。
【０１９０】
なお、本例の球案内路２７０が、本発明の「排出口案内手段」に、外周面２７１が「案内面」に、フランジ部２７２が「第一フランジ部」に、装飾フランジ部２７３が「第二フランジ部」に、突起２７４が「減速手段」に、夫々該当する。
【０１９１】
この球案内路２７０は、図１０及び図１１に示すように、遊技領域３７の上部に打ち込まれた遊技球を、主入賞口ユニット２１４の下側付近まで案内しており、この球案内路２７０によって遊技球が案内されると、主入賞口ユニット２１４に入賞する可能性が低くなるので、球案内路２７０に遊技球が案内されないように、遊技球の打ち込み操作をさせることができ、打ち込み操作が単調となり興趣が低下するのを防止することができるようになっている。また、球案内路２７０によって遊技球が案内された場合、その突起２７４によって遊技球の流下速度が抑制されるので、球案内路２７０から勢い良く遊技球が放出されるのを防止して、放出された遊技球が主入賞口ユニット２１４や遊技領域内装飾体２１５等と当接するのを防止したり、当接してもその速度を遅くして衝撃を可及的に小さくし、主入賞口ユニット２１４等が破損するのを防止することができるようになっている。
【０１９２】
次に、図２０乃至図２４に基づいて、右可動装飾体２３４及び左可動装飾体２３５と、右可動装飾体駆動ユニット２３６及び左可動装飾体駆動ユニット２３７の構成を詳細に説明する。まず、主役物２１３の右可動装飾体２３４及び左可動装飾体２３５は、略水平方向に延びる水平状態と、略垂直方向に延びる垂直状態との間で回動可能とされている。これら右可動装飾体２３４及び左可動装飾体２３５は、図１５及び図２４に示すように、夫々水平状態となると、互いに連続した装飾体となるように構成されており、その前側には複数の文字（本例では、アルファベット）が立体的に造形され、それらの文字は右可動装飾体２３４及び左可動装飾体２３５とが一体となることで所定の単語となるようになっている。
【０１９３】
これら右可動装飾体２３４及び左可動装飾体２３５は、文字部２９０が透光性を有する部材とされた装飾部２９１と、装飾部２９１の後側に配置される枠状の本体部２９２と、本体部２９２内に配置され複数のＬＥＤ２９３を備えた発光基板２９４と、発光基板２９４の後側に配置され本体部２９２の枠内の閉鎖する背板２９５と、所定位置から後側に延出する回動軸２９６とを備えている。この装飾部２９１の後側にはネジ孔を有した取付ボス２９７が形成されていると共に、背板２９５には装飾部２９１の取付ボス２９７に対応した位置に貫通孔２９８が穿設されており、装飾部２９１と背板２９５とで本体部２９２及び発光基板２９４を挟んだ状態で、背板２９５の後側から貫通孔２９８を貫通して取付ボス２９７にビス（図示しない）をねじ込むことで、それらが一体に組み付けられるようになっている（図２１及び図２２参照）。
【０１９４】
なお、回動軸２９６は、背板２９５に設けられた取付孔に圧入固定されていると共に、回動軸２９６は、右可動装飾体２３４では右端部付近に、左可動装飾体２３５では左端部付近に夫々配置固定されている。また、夫々の背板２９５には、その後面の回動軸２９６付近の所定位置に突起２９９が形成されており、詳細は後述するが、この突起２９９は右可動装飾体２３４及び左可動装飾体２３５の夫々の回動位置を検出するためのものである。
【０１９５】
一方、右可動装飾体駆動ユニット２３６及び左可動装飾体駆動ユニット２３７は、右可動装飾体２３４及び左可動装飾体２３５を夫々の回動軸２９６の軸芯周りに回動させるものである。これら右可動装飾体駆動ユニット２３６及び左可動装飾体駆動ユニット２３７は、右可動装飾体２３４又は左可動装飾体２３５を回動させるための可動装飾体駆動モータ３１０と、可動装飾体駆動モータ３１０の回転軸３１１に固定される駆動ギヤ３１２と、駆動ギヤ３１２と噛合し駆動ギヤ３１２の回転を伝達する伝達ギヤ３１３と、伝達ギヤ３１３と噛合し右可動装飾体２３４又は左可動装飾体２３５の回動軸２９６が固定される出力ギヤ３１４と、後面に可動装飾体駆動モータ３１０を取り付け可能とされ、駆動ギア３１２、伝達ギア３１３、及び出力ギア３１４を収容可能なギヤケーシング３１５と、ギヤケーシング３１５の前側開口を閉鎖すると共に右可動装飾体２３４又は左可動装飾体２３５の回動軸２９６が通過可能な通孔３１６を有した前板３１７とを備えている（図２０、図２３及び図２４参照）。
【０１９６】
これら右可動装飾体駆動ユニット２３６又は左可動装飾体駆動ユニット２３７は、可動装飾体駆動モータ３１０が回転駆動させられると、その回転軸３１１に固定された駆動ギヤ３１２が回転し、駆動ギヤ３１２の回転が伝達ギヤ３１３を介して出力ギヤ３１４に回転伝達され、出力ギヤ３１４に固定された右可動装飾体２３４又は左可動装飾体２３５の回動軸２９６が出力ギア３１４と共に回転することで、夫々の回動軸２９６周りに右可動装飾体２３４又は左可動装飾体２３５を回動させることができるようになっている。
【０１９７】
また、右可動装飾体駆動ユニット２３６及び左可動装飾体駆動ユニット２３７には、右可動装飾体２３４又は左可動装飾体２３５の回動に伴って回転する回転部材３１８と、回転部材３１８の回転位置を検出する回転位置検出センサ３１９とを更に備えている。この回転部材３１８は、一端に右可動装飾体２３４又は左可動装飾体２３５の突起２９９と当接可能な当接ピン３２０と、他端に回転位置検出センサ３１９に検出される被検出部３２１とを有しており、当接ピン３２０と被検出部３２１との間の所定位置において回転可能に前板３１７の裏側に軸支されている。また、前板３１７には、回転部材３１８の当接ピン３２０が挿通可能な円弧状の長孔３２２が形成されており、右可動装飾体駆動ユニット２３６及び左可動装飾体駆動ユニット２３７が組み立てられた状態で、当接ピン３２０が長孔３２２を介して前板３１７の前側に突出するようになっていると共に、円弧状の長孔３２２により所定の回転角度の範囲内で回転するようになっている。
【０１９８】
この回転部材３１８は、図示するようにその軸支される回転軸で折れ曲がったような形状とされていると共に、当接ピン３２０側よりも被検出部３２１側の方が重くなるように形成されており、その重量差によって当接ピン３２０が上方に回転するようになっている。この回転部材３１８の当接ピン３２０は、夫々右可動装飾体２３４又は左可動装飾体２３５の突起２９９の下側に当接するような位置に配置されており、当接ピン３２０と被検出部３２１との重量差によって上方に回転しようとする当接ピン３２０の回転移動が突起２９９によって阻止されるようになっている。つまり、突起２９９の回転移動に伴って当接ピン３２０が回転移動するようになっており、回転部材３１８の回転位置を検出することで突起２９９、即ち、右可動装飾体２３４又は左可動装飾体２３５の回転位置を検出できるようになっている。
【０１９９】
なお、本例では、回転位置検出センサ３１９は、フォトセンサとされており、被検出部３２１がフォトセンサ用の遮蔽板とされている。また、本例では、右可動装飾体２３４及び左可動装飾体２３５が水平状態の時に、夫々の回転部材３１８の被検出部３２１が、回転位置検出センサ３１９により検出される、つまり、被検出部３２１がフォトセンサを遮蔽するようになっている。
【０２００】
ここで、「右可動装飾体２３４及び左可動装飾体２３５」が本発明の「前側可動体」に相当している。また、図５６における、右可動装飾体２３４及び左可動装飾体２３５が略水平な状態をが、本発明の「第一配置状態」に、図５４における、右可動装飾体２３４及び左可動装飾体２３５が略垂直な状態が、本発明の「第二配置状態」に夫々該当する。
【０２０１】
（主入賞口ユニット、遊技領域内装飾体、及び排出誘導部材の構成について）
次に、主入賞口ユニット２１４、遊技領域内装飾体２１５、及び排出誘導部材２１８の構成について、図２５乃至図３０に基づいて詳細に説明する。図２５は主入賞口ユニット、遊技領域内装飾体、及び排出誘導部材を斜め前方から示す斜視図である。図２６の（Ａ）は主入賞口ユニットにおける始動口の要部を拡大して示す斜視図であり、（Ｂ）はその側面図である。図２７の（Ａ）は主入賞口ユニットにおけるアタッカ装置の要部を示す斜視図であり、（Ｂ）はその側面図である。図２８は主入賞口ユニットを斜め後方下側から示す斜視図であり、図２９は遊技領域内装飾体を斜め後方から示す斜視図である。また、図３０は主入賞口ユニット、遊技領域内装飾体、及び排出誘導部材における遊技球の流路を示す断面図である。
【０２０２】
まず、主入賞口ユニット２１４は、図示するように、その前側の左右方向略中央上部に配置され上方に開口する第一始動口３３０と、第一始動口３３０の下方に配置され第一始動口３３０と一対の可動片３３１とで閉鎖又は開放可能な第二始動口３３２と、第二始動口３３２の下方に配置され左右方向に延びる矩形状の大入賞口３３３及び大入賞口３３３を閉鎖可能とし上辺が前方に回動する開閉扉３３４を有したアタッカ装置３３５と、アタッカ装置３３５の左右両側に配置され互いに離反するように斜め上方に開口する一般入賞口３３６とを備えている。なお、一対の可動片３３１は、夫々一端側が回転可能に軸支されていると共に、その回転軸とは偏芯した位置に後側に突出する突出ピンが夫々設けられている。
【０２０３】
また、主入賞口ユニット２１４は、第二始動口３３２を開閉する一対の可動片３３１を開閉駆動させる始動口開閉駆動ユニット３５０を更に備えている（図２６参照）。この始動口開閉駆動ユニット３５０は、前後方向に進退可能なプランジャ３５１を有した始動口ソレノイド３５２と、始動口ソレノイド３５２におけるプランジャ３５１の前後方向の進退に伴って水平方向且つ左右方向（遊技盤面に沿った方向）に延びる軸周りに回動し、一対の可動片３３１から後側に延在された突出ピン３３７を上下方向に移動可能な伝達部材３５３とを備えている。また、この伝達部材３５３には、その回動軸３５４よりも上側且つ後側にプランジャ３５１先端の鍔部３５５を係止する係止部３５６が形成されていると共に、回動軸３５４よりも前側に可動片３３１の突出ピン３３７が挿通される側面視コ字形状の伝達部３５７が形成されている。
【０２０４】
この主入賞口ユニット２１４では、始動口開閉駆動ユニット３５０における始動口ソレノイド３５２のプランジャ３５１が前進すると、伝達部材３５３の係止部３５６が前方に押圧されて、伝達部材３５３が図中反時計回りに回転し伝達部３５７の高さ位置が相対的に低くなると共に、伝達部３５７の下降に伴って可動片３３１の突出ピン３３７が下降し、可動片３３１の自由端側が上昇するように回動することとなる。これにより、一対の可動片３３１が夫々直立したような状態となり、一対の可動片３３１と第一始動口３３０とにより第二始動口３３２が閉鎖されるようになっている。なお、プランジャ３５１を後退させると、上述とは逆の動作をして、図示するように一対の可動片３３１の自由端側が互いに離反するように下降し、第二始動口３３２が開放された状態となるようになっている。また、第二始動口３３２が開放された状態では、その開口幅が、第一始動口３３０の開口幅よりも広くなり、遊技球が入賞し易くなるようになっている。
【０２０５】
また、図示するように、始動口ソレノイド３５２の下側には第二始動口センサ３５８が備えられており、第二始動口３３２に入賞した遊技球が、第二始動口センサ３５８の貫通孔を通過することで第二始動口センサ３５８に検出されると共に、主入賞口ユニット２１４の下側に形成された排出口３５９から排出されるようになっている（図２８参照）。
【０２０６】
また、主入賞口ユニット２１４のアタッカ装置３３５は、大入賞口３３３に入賞した遊技球を検出する大入賞口センサ３７０と、大入賞口３３３を閉鎖可能な左右方向に延びる矩形状とされ下辺側が軸支されると共に上辺側が直立状態から前方に回動可能とされた開閉扉３３４と、前後方向に進退可能なプランジャ３７１を有したアタッカソレノイド３７２と、アタッカソレノイド３７２におけるプランジャ３７１の前後方向の進退に伴って水平方向且つ左右方向（遊技盤面に沿った方向）に延びる軸周りに回動して開閉扉３３４を回動させる伝達部材３７３と、大入賞口センサ３７０、開閉扉３３４、アタッカソレノイド３７２、及び伝達部材３７３を支持すると共に大入賞口３３３に入賞した遊技球を大入賞口センサ３７０に検出されるように誘導する誘導路３７４を有したケーシング３７５とを備えている（図２７参照）。
【０２０７】
なお、本例では、図２７に示すように、アタッカソレノイド３７２及び伝達部材３７３は、大入賞口３３３よりも左側且つ後側となる位置にケーシング３７５に収容支持されている。また、開閉扉３３４の左側下端には、伝達部材３７３と当接する当接突起３７６が形成されている。更に、アタッカ装置３３５の伝達部材３７３には、その回動軸３７７よりも上側に配置されプランジャ３７１先端の鍔部３７８と係合する係合部３７９と、回動軸３７７よりも前側に配置され開閉扉３３４の当接突起３７６に上側から当接する当接ピン３８０とを備えている。
【０２０８】
このアタッカ装置３３５では、アタッカソレノイド３７２のプランジャ３７１が前進すると、伝達部材３７３の係合部３７９が前方に押圧され、伝達部材３７３が図中反時計回りに回転して伝達部材３７３の回動軸３７７の前方に設けられた当接ピン３８０が回転下降し、当接ピン３８０の下降により当接ピン３８０と当接する開閉扉３３４の当接突起３７６が下降して開閉扉３３４がその支持軸芯に対して時計回りに回動する。つまり、図示するような、開閉扉３３４の下辺を中心として上辺が前方に回転した開状態から、開閉扉３３４が略直立する閉状態へと回転し、大入賞口３３３が閉状態となるようになっている。なお、アタッカソレノイド３７２のプランジャ３７１が後退すると、上述とは逆の動作をして、開閉扉３３４の上辺が前方に回転して大入賞口３３３が開状態となるようになっている。
【０２０９】
なお、このアタッカ装置３３５は、大入賞口３３３の左右方向の幅が、一対の可動片３３１が開状態となり第二始動口３３２が開放状態となった時の幅よりも、更に広い幅とされており、遊技球がより入賞し易いようになっている。また、大入賞口３３３から進入し大入賞口センサ３７０で検出された遊技球は、そのまま主入賞口ユニット２１４の下方へ排出されるようになっている（図２８参照）。
【０２１０】
この主入賞口ユニット２１４には、前側に第一始動口３３０、大入賞口３３３、及び一般入賞口３３６が形成され後側にアタッカ装置３３５及び始動口開閉駆動ユニット３５０等が取り付けられる主入賞口ユニットベース３８１を更に備えている。この主入賞口ユニットベースの後側には、第一始動口３３０、第二始動口３３２、及び一般入賞口３３６と対応する位置に、遊技球を後方へ所定距離案内する球樋３８２が形成されている（図２５及び図２８参照）。また、主入賞口ユニットベース３８１の外形は、遊技盤ベース２１２に形成された対応する貫通口２１１の外形よりも大きい形状とされていると共に、後側に取り付けられるアタッカ装置３３５及び始動口開閉駆動ユニット３５０は、該当する貫通口２１１を通過可能な大きさとされている。
【０２１１】
また、主入賞口ユニット２１４は、図１０に示すように、その第一始動口３３０が、主役物２１３の球誘導路２５７における球流出口２６０の直下に位置するように遊技盤ベース２１２に取付固定されており、主役物２１３の球流出口２６０から流出した遊技球が、主入賞口ユニット２１４の第一始動口３３０に入賞する可能性が高くなるように配置されている。
【０２１２】
本例の主入賞口ユニット２１４は、遊技盤ベース２１２に、その前側から取り付けられるようになっており、詳述すると、遊技盤ベース２１２の前側から主入賞口ユニット２１４のアタッカ装置３３５及び始動口開閉駆動ユニット３５０を該当する貫通口２１１に挿通すると共に、主入賞口ユニットベース３８１の後面を遊技盤ベース２１２の前面と当接させ、図示しないビスにより主入賞口ユニットベース３８１を遊技盤ベース２１２に固定することで、主入賞口ユニット２１４が遊技盤ベース２１２に取り付けられるようになっている。この際に、遊技盤ベース２１２の該当する貫通口２１１は、主入賞口ユニットベース３８１によって前側からは見えないように隠蔽されるようになっている（図１１及び図１４参照）。
【０２１３】
次に、遊技領域内装飾体２１５は、特別図柄表示器３９０と、保留ランプ３９１と、発光装飾部３９３と、二つの一般入賞口３９４とを主に備えている。この特別図柄表示器３９０は、本例では複数の色を発光することのできる４つのＬＥＤから構成されており、第一始動口３３０及び第二始動口３３２への遊技球の入賞に応じて、夫々のＬＥＤが消灯、点灯、点滅、変色などをして、各始動口に対応した特別図柄を表示するようになっている。
【０２１４】
また、保留ランプ３９１は、４つのＬＥＤからなり、夫々のＬＥＤが消灯、点滅、点灯、することができ、それらＬＥＤの点滅、点灯の組合せにより、第一始動口３３０及び第二始動口３３２への遊技球の入賞による始動保留数を表示し、夫々４つまで始動保留を表示させることができるようになっている。
【０２１５】
更に、発光装飾部３９３は、前側に配置された透光性を有するレンズ部３９５の後側に、種々の色を発光することのできる複数のＬＥＤを有した発光基板３９６が配置されており、そのＬＥＤの発光により、光による装飾ができるようになっている。
【０２１６】
また、遊技領域内装飾体２１５の正面視左側の一般入賞口３９４は、入賞した遊技球が遊技領域内装飾体２１５の内部を通って、遊技領域内装飾体２１５の後側下部に開口した排出口３９７から外部へ排出されるようになっている。また、正面視右側の一般入賞口３９４は、入賞した遊技球が排出口３９７の略上側に設けられた排出部３９８から排出されるようになっており、この排出部３９８から遊技球がやや右側に誘導されるように外部へ排出されるようになっている。なお、この遊技領域内装飾体２１５には、正面視左側の一般入賞口３９４に入賞した遊技球を検出することができるように、センサ取付部３９９が備えられている（図２９参照）。
【０２１７】
この遊技領域内装飾体２１５は、その前後方向の略中間に、遊技盤ベース２１２の該当する貫通口２１１の外形よりも外方に延びるフランジ部４００が備えられており、遊技盤ベース２１２の前側から、その後側を該当する貫通口２１１に挿入し、フランジ部４００の後面側を遊技盤ベース２１２の前面側と当接させて貫通口２１１が前側から見えないように隠蔽すると共に、フランジ部４００をその前側からビス（図示しない）により遊技盤ベース２１２に取り付けることで、遊技領域内装飾体２１５が遊技盤ベース２１２に固定されるようになっている（図１１及び図１４参照）。
【０２１８】
次に、排出誘導部材２１８は、遊技盤ベース２１２を挟んで主入賞口ユニット２１４及び遊技領域内装飾体２１５の後側に配置され、遊技盤ベース２１２に固定された主入賞口ユニット２１４及び遊技領域内装飾体２１５の遊技盤ベース２１２の後面よりも後側に突出した部分の一部を覆うように形成され、主入賞口ユニット２１４及び遊技領域内装飾体２１５の入賞口に入賞した遊技球を誘導する各種誘導路を備えたものである（図２５参照）。
【０２１９】
この排出誘導部材２１８は、遊技盤ベース２１２の後面と当接し遊技盤ベース２１２に取付固定するためのビス（図示しない）を挿通する挿通孔４１０を有した取付固定部４１１と、主入賞口ユニット２１４の始動口開閉駆動ユニット３５０及びアタッカ装置３３５のケーシング３７５の一部を収容可能な収容凹部４１２と、主入賞口ユニット２１４の第一始動口３３０から続く球樋３８２と対応し第一始動口３３０に受入れられた遊技球を排出誘導部材２１８の下方へ誘導して排出する第一始動口排出誘導路４１３と、主入賞口ユニット２１４の正面視右側に配置された一般入賞口３３６から続く球樋３８２と対応し当該一般入賞口３３６に受入れられた遊技球を排出誘導部材２１８の下方から排出する右一般入賞口排出流路４１４と、主入賞口ユニット２１４の正面視左側に配置された一般入賞口３３６から続く球樋３８２と対応し当該一般入賞口３３６に受入れられた遊技球を排出誘導部材２１８の下方から排出する左一般入賞口排出流路４１５と、第一始動口排出流路４１３内を流通する遊技球を検出することで遊技球が第一始動口３３０に入賞したことを検出する第一始動口センサ４１６と、右一般入賞口排出流路４１４内の遊技球を検出することで右側の一般入賞口３３６に遊技球が入賞したことを検出する右一般入賞口センサ４１７ａと、左一般入賞口排出流路４１５内の遊技球を検出することで左側の一般入賞口３３６に遊技球が入賞したことを検出する左一般入賞口センサ４１７ｂとを備えている。
【０２２０】
この排出誘導部材２１８は、遊技領域内装飾体２１５の二つの一般入賞口３９４に受入れられた遊技球を、左一般入賞口排出流路４１５を介して排出誘導部材２１８の下方へ排出するようになっている。具体的には、左一般入賞口排出流路４１５には、遊技領域内装飾体２１５の排出口３９７から排出された遊技球を受けて左一般入賞口センサ４１７ｂへ導く第一誘導部４１８と、遊技領域内装飾体２１５の排出部３９８から排出された遊技球を受けて左一般入賞口センサ４１７ｂへ導く第二誘導部４１９とを備えている。なお、第二誘導部４１９には、第二誘導部４１９内の遊技球を検出できるようにセンサ取付部４２０が形成されている。
【０２２１】
この排出誘導部材２１８は、上述のように、主入賞口ユニット２１４及び遊技領域内装飾体２１５における第一始動口３３０、一般入賞口３３６，３９４に受入れられた遊技球を検出すると共に、排出誘導部材２１８の下方へ排出することができるようになっている（図３０参照）。なお、左一般入賞口センサは、主入賞口ユニット２１４の左側の一般入賞口３３６に受入れられた遊技球だけでなく、遊技領域内装飾体２１５の二つの一般入賞口３９４に受入れられた遊技球も検出することができるようになっており、入賞口の数に対して検出センサの数を少なくすることができるようになっている。また、遊技領域内装飾体２１５及び排出誘導部材２１８には、夫々センサ取付部３９９及びセンサ取付部４２０が設けられており、これらセンサ取付部３９９，４２０に遊技球の検出センサを取り付けることで、上記の何れの入賞口に遊技球が受入れられたのかを判別することができるようになり、各入賞口の差別化ができるようになっている。
【０２２２】
（後装飾体の構成について）
次に、後装飾体２１６の構成について、図３１乃至図５２、及び図５９に基づいて詳細に説明する。図３１は後装飾体を斜め前方から示す斜視図であり、図３２は後装飾体を分解して斜め前方から示す分解斜視図である。図３３は後装飾体を分解して斜め後方から示す分解斜視図である。図３４は後装飾体における第一装飾可動体ユニットを斜め前方から示す斜視図であり、図３５は第一装飾可動体ユニットを主要部毎に分解して斜め前方から示す分解斜視図である。図３６の（Ａ）は第一装飾可動体ユニットにおける第一装飾可動体を分解して斜め前方から示す分解斜視図であり、（Ｂ）は第一装飾可動体におけるレンズ部を示す拡大正面図である。図３７は第一装飾可動体ユニットにおける第一装飾可動体駆動ユニットを斜め前方から示す斜視図であり、図３８は第一装飾可動体駆動ユニットを斜め後方から示す斜視図である。図３９は第一装飾可動体駆動ユニットを主要部毎に分解して示す分解斜視図である。図４０は図３９よりも更に分解して示す分解斜視図である。図４１の（Ａ）は第一装飾可動体駆動ユニットにおける第一昇降部材を示す斜視図であり、（Ｂ）は第一昇降部材の分解斜視図である。図４２は第一昇降部材における第一装飾可動体ソレノイドと回動伝達部材との関係を示す説明図である。図４３は後装飾体における第二装飾可動体ユニットを斜め前方から示す斜視図であり、図４４は第二装飾可動体ユニットを主要部毎に分解して斜め前方から示す分解斜視図である。図４５は第二装飾可動体ユニットにおける第二装飾可動体を分解して示す分解斜視図である。図４６は第二装飾可動体ユニットにおける第二装飾可動体駆動ユニットを斜め前方から示す斜視図である。図４７は第二装飾可動体駆動ユニットを主要部毎に分解して示す分解斜視図である。図４８は図４７よりも更に分解して示す分解斜視図である。図４９の（Ａ）は第二装飾可動体駆動ユニットにおける第二昇降部材を示す斜視図であり、（Ｂ）は第二昇降部材の分解斜視図である。図５０は第二昇降部材における第二装飾可動体ソレノイドとリンク機構との関係を示す説明図である。図５１は装飾可動体ユニットカバーを斜め前方から示す斜視図であり、図５２は装飾可動体ユニットカバーの要部を示す説明図である。図５９は第一装飾可動体におけるレンズ部の別の形態を示す拡大正面図である。
【０２２３】
この後装飾体２１６は、遊技盤ベース２１２の後面側で正面視中央よりも右側に取付固定され主に上下方向に移動し所定のキャラクタの上顎を含む顔上部が造形された第一装飾可動体４３０を有した第一装飾可動体ユニット４３１と、第一装飾可動体ユニット４３１に対して左右方向反対側の遊技盤ベース２１２の後面側に取付固定され第一装飾可動体４３０の下側で上下方向に移動し第一装飾可動体４３０と対応する下顎が造形された第二装飾可動体４３２を有した第二装飾可動体ユニット４３３と、第一装飾可動体ユニット４３１及び第二装飾可動体ユニット４３３の外周側と後側を覆い中央に矩形状の開口４３４を有すると共に後側に演出表示装置２１７が取付可能とされた装飾可動体ユニットカバー４３５と、第一装飾可動体ユニット４３１と装飾可動体ユニットカバー４３５との間に配置される第一装飾体４３６と、第二装飾可動体ユニット４３３と装飾可動体ユニットカバー４３５との間に配置される第二装飾体４３７とを備えている。
【０２２４】
この後装飾体２１６は、第一装飾可動体ユニット４３１の第一装飾可動体４３０と、第二装飾可動体ユニット４３３の第二装飾可動体４３２とを、互いに接近させたり離反させたりするように夫々を上下方向に移動させることで、所定のキャラクタの口が開いたり閉じたりするような演出動作をさせることができるものである。
【０２２５】
この後装飾体２１６の第一装飾可動体ユニット４３１は、所定のキャラクタの上顎から眉毛までの間の顔上部を造形した第一装飾可動体４３０と、第一装飾可動体４３０を上下方向に移動させると共に遊技盤５の左右方向に延びる軸周りに回動させ、遊技盤ベース２１２の後面側に取付固定される第一装飾可動体駆動ユニット４５０と、第一装飾可動体駆動ユニット４５０に取り付けて装飾するユニット装飾体４５１とを備えている。
【０２２６】
この第一装飾可動体ユニット４３１の第一装飾可動体４３０は、略黒色のレンズ部４５２を有したサングラス４５３と、キャラクタの目に相当する位置に貫通する開口孔４５４を有した第一装飾可動体本体４５５と、第一装飾可動体本体４５５の後側に配置され第一装飾可動体本体４５５の開口孔４５４を介して前側に所定色の光を発光可能な複数のＬＥＤ４５６が取り付けられた発光基板４５７と、発光基板４５７の後側に配置され、サングラス４５３、第一装飾可動体本体４５５、及び発光基板４５７と一体に組み付けられるベース部材４５８とを備えている。なお、第一装飾可動体４３０が本発明の「光学表示装置」に、ＬＥＤ４５６が「発光手段」に、夫々該当する。
【０２２７】
この第一装飾可動体４３０におけるサングラス４５３のレンズ部４５２は、図示するように、発光基板４５７のＬＥＤ４５６が発する光の色に応じて、その表面に模様が現れるようになっており、具体的には、ＬＥＤ４５６から赤色の光が発せられると「三日月状の模様」が現れ、ＬＥＤ４５６から青色の光が発せられるとキャラクタに関係する「所定の漢字」（ここでは、「所」）が現れるようになっている。このレンズ部４５２の構造は、上述の「三日月状の模様」と「所定の漢字」とが重なるように配置されていると共に、重なった部分が無色又は白色の透光性を有する白色部４５９とされ、「三日月状の模様」の重なっていない部分が赤色の透光性を有する赤色部４６０とされると共に、「所定の漢字」の重なっていない部分が青色の透光性を有する青色部４６１とされ、その他の部分が略黒色の黒色部４６２とされている。なお、赤色部４６０が本発明の「第一透過手段」に、青色部４６１が「第二透過手段」に、白色部４５９が「重複部」に、黒色部４６２が「遮光性の部材」に夫々該当する。これに伴って、赤色が本発明の「第一色」に、青色が「第二色」に対応している。
【０２２８】
本例ではレンズ部４５２が上述の構成となっているので、例えば、ＬＥＤ４５６から赤色の光を照射すると、白色部４５９と赤色部４６０では、その赤色光が透過し、青色部４６１及び黒色部４６２では赤色光が透過しないので、白色部４５９と赤色部４６０とによる「三日月状の模様」が現れる。一方、ＬＥＤ４５６から青色の光を照射すると、白色部４５９と青色部４６１では青色光が透過し、赤色部４６０と黒色部４６２では青色光が透過しないので、白色部４５９と青色部４６１とによる「所定の漢字」が現れることとなる。このように、有色光と透光性を有した有色部材とを適宜組み合わせることで、ＬＣＤ等の高価な表示装置を用いなくても容易に所望の模様を表示することができるようになっている。
【０２２９】
ところで、図３６における白色部４５９、赤色部４６０、及び青色部４６１を、図５９に示す白色部５００、赤色部５０１、及び青色部５０２とすることで、別途の新たな模様を用いた演出を行うことができる。白色部５００、赤色部５０１、及び青色部５０２における光の透過状態は、白色部４５９、赤色部４６０、及び青色部４６１と同様であり、ＬＥＤ４５６から赤色の光を照射すると、白色部５００と赤色部５０１とによる「三日月状の模様」（笑い顔の目の模様）が現れる。一方、ＬＥＤ４５６から青色の光を照射すると、白色部５００と青色部５０２とによる「泣き顔の目の模様」が現れる。このように、例えば液晶表示装置のような比較的重い表示装置を用いなくとも、シート状部材であるレンズ部４５２とＬＥＤ４５６のみでキャラクターの表情を変えることができるため、第一装飾可動体本体４５５のような可動する部材にも好適に表示装置を付加することができる。また、比較的簡単にキャラクターの表情を変えられるから、遊技者の目を強く惹き付ける面白味のある遊技機が提供できる。
【０２３０】
なお、本例では、ＬＥＤ４５６が取り付けられる発光基板４５７が、遮光性の高い部材（本発明の「遮光手段」に該当）に形成されている。具体的には、発光基板４５７の裏側に遮光性の高い黒色塗料や黒色フィルム等からなる遮光部材が備えられている。これにより、レンズ部４５２の後側からＬＥＤ４５６以外の光が入光するのを防止して、ＬＥＤ４５６の消灯時に、黒色部４６２以外の白色部４５９、赤色部４６０、及び青色部４６１が見えるのを抑制するようになっている。また、光源としてＬＥＤ４５６を用いており、他の光源と比較して発光させる色の波長帯域が狭く他の色の成分の含有が少ないので、より確実に所望の色の模様を現すことができるようになっている。
【０２３１】
また、第一装飾可動体４３０には、そのベース部材４５８に第一装飾可動体駆動ユニット４５０に固定支持されるための固定部４６３が備えられており、この固定部４６３により第一装飾可動体４３０が第一装飾可動体駆動ユニット４５０に支持されるようになっている。
【０２３２】
次に、第一装飾可動体駆動ユニット４５０は、第一装飾可動体４３０を支持し第一装飾可動体４３０と共に上下方向に昇降する第一昇降部材４７０と、第一昇降部材４７０を上下方向に案内する案内レール４７１と、案内レール４７１の上端部を支持する第一上部支持部材４７２と、案内レール４７１の下端部を支持する第一下部支持部材４７３と、第一上部支持部材４７２及び第一下部支持部材４７３を上下方向に所定距離離間して支持すると共に遊技盤ベース２１２の後面側と当接する取付当接面４７４を有し板金を屈曲形成した第一ベース４７５と、第一ベース４７５の第一上部支持部材４７２の反対側に配置され第一ベース４７５及び第一上部支持部材４７２を貫通してその回転する駆動軸４７６が突出する第一駆動モータ４７７と、第一駆動モータ４７７の駆動軸４７６の回転に伴って回転する駆動プーリ４７８と、駆動プーリ４７８と対となるように第一下部支持部材４７３の近傍に配置される従動プーリ４７９と、駆動プーリ４７８と従動プーリ４７９とに巻き掛けられる駆動ベルト４８０と、駆動ベルト４８０の一部を第一昇降部材４７０と連結固定するベルト固定部４８１とを備えている。
【０２３３】
なお、本例では、第一駆動モータ４７７による駆動プーリ４７８の回転駆動は、第一駆動モータ４７７の駆動軸４７６に固定された駆動ギヤ４８２の回転が、駆動ギヤ４８２の上側に配置され駆動ギヤ４８２と噛合し駆動プーリ４７８と一体に回転する伝達ギヤ４８３に伝達されることで駆動プーリ４７８が回転駆動するようになっている。この駆動ギヤ４８２と伝達ギヤ４８３を用いることで、第一駆動モータ４７７の駆動軸４７６よりも駆動プーリ４７８の位置をより高くして第一昇降部材４７０の上下方向の可動範囲が大きくなるようになっている。また、駆動ベルト４８０の内周面には全周に亘って所定間隔で係合歯４８４が設けられていると共に、駆動プーリ４７８には係合歯４８４と係合する被係合歯４８５が歯車状に設けられており（図４０参照）、被係合歯４８５と係合歯４８４との係合により駆動プーリ４７８の回転駆動が確実に駆動ベルト４８０に伝達されるようになっている。なお、従動プーリ４７９は、被係合歯のない平プーリとされている。
【０２３４】
この第一装飾可動体駆動ユニット４５０には、第一昇降部材４７０が案内レール４７１の延びる軸方向周りに回転するのを防止するための第一回転防止手段４９０が更に備えられている。この第一回転防止手段４９０は、第一上部支持部材４７２及び第一下部支持部材４７３にその上端及び下端が支持されると共に案内レール４７１と略平行に配置される案内ロッド４９１と、前後方向から案内ロッド４９１に当接可能とされ第一昇降部材４７０に取り付けられる案内部材４９２とを備えている。この第一回転防止手段４９０は、図示するように、案内ロッド４９１が案内レール４７１の右側に所定距離離れて配置されていると共に、断面が略コ字状とされた案内部材４９２が案内ロッド４９１の前後側の何れかに当接することで、第一昇降部材４７０が案内レール４７１の軸芯周りに回転するのを良好に防止することができるようになっている。
【０２３５】
なお、本例では、案内レール４７１及び案内ロッド４９１は、共に金属製の丸棒とされており、案内レール４７１の表面には摺動抵抗を低減させるための摩擦低減層が形成されている。この摩擦低減層は、例えば、フッ素系樹脂としてポリテトラフルオロエチレン（ＰＴＦＥ，（例えば、テフロン（登録商標）））が所定の厚さでコーティングされており、これにより、案内レール４７１により案内される第一昇降部材４７０の動摩擦抵抗の値と静摩擦抵抗の値とを可及的に近づけることができ、静止した第一昇降部材４７０が移動を開始する際に滑らかに移動開始させることができると共に、案内レール４７１等の摩耗を低減させて耐久性を向上させることができるようになっている。また、案内ロッド４９１の表面は、クロムメッキが施されており、錆び等の腐食を防止して耐久性を高めると共に、案内レール４７１よりは安価なものとなりコストが増加するのを防止することができるようになっている。
【０２３６】
また、第一装飾可動体駆動ユニット４５０には、駆動ベルト４８０に所定の張力を付与するテンション機構４９３を更に備えている。このテンション機構４９３は、案内レール４７１に案内されると共に従動プーリ４７９を回転可能に支持する移動体４９４と、一端が移動体４９４に他端が第一ベース４７５に取付けられ移動体４９４を下方に付勢するテンションバネ４９５とを備えている。
【０２３７】
このテンション機構４９３の移動体４９４は、案内レール４７１を挿通する案内孔４９６と、下方に開放され従動プーリ４７９の両端から突出する軸部４９７を係止するフック状の係止部４９８と、案内孔４９６と係止部４９８との間に配置されテンションバネ４９５の一端を取付けるバネ取付部４９９とを備えている。これにより、従動プーリ４７９に駆動ベルト４８０を巻き掛けた状態で、従動プーリ４７９を移動体４９４に支持させることができ、組立が容易にできるようになっている。また、案内孔４９６と従動プーリ４７９の軸部４９７を係止する係止部４９８との間でテンションバネ４９５により駆動ベルト４８０を引張るようにしているので、案内レール４７１の軸に対して案内孔４９６の軸が大きく傾くのを防止すことができ、案内レール４７１における移動体４９４の摺動抵抗が増加するのを抑制し、移動体４９４がスムーズに移動できるようになっていると共に、移動体４９４の姿勢が大きく変化するのを防止して駆動ベルト４８０に良好にテンションがかかるようになっている。
【０２３８】
この第一装飾可動体駆動ユニット４５０は、図示するように、駆動プーリ４７８が上側に、従動プーリ４７９が下側に夫々配置されていると共に、駆動プーリ４７８と従動プーリ４７９とに巻き掛けられる駆動ベルト４８０が、従動プーリ４７９を介してテンション機構４９３により下方に付勢されるようになっている。また、駆動ベルト４８０に第一昇降部材４７０が固定されているので、第一昇降部材４７０及び第一装飾可動体４３０の重量が駆動ベルト４８０にかかり、駆動ベルト４８０の一方側のみに下方に引張る力が作用するようになっていると共に、第一昇降部材４７０及び第一装飾可動体４３０の重量により駆動ベルト４８０が駆動プーリ４７８に強く巻き掛けられるようになっている。
【０２３９】
一方、上側の駆動プーリ４７８には、駆動ベルト４８０の係合歯４８４と係合する被係合歯４８５が備えられており、第一昇降部材４７０及び第一装飾可動体４３０の重量によって駆動ベルト４８０が駆動プーリ４７８に強く巻き掛けられることで駆動ベルト４８０の係合歯４８４と駆動プーリ４７８の被係合歯４８５との係合がより強くなると共に、第一駆動モータ４７７による駆動プーリ４７８の回転が阻止されることで、駆動ベルト４８０の回転が阻止され、第一昇降部材４７０及び第一装飾可動体４３０の重量が駆動ベルト４８０を介して駆動プーリ４７８に支持されることとなり、第一昇降部材４７０及び第一装飾可動体４３０の重量が下側の従動プーリ４７９やテンション機構４９３にかからないようになっている。これにより、テンション機構４９３に余分な負荷をかけることなく良好に第一昇降部材４７０等を上下動させることができると共に、テンション機構４９３による付勢力を最小限のものとしてテンション機構４９３等にかかるコストを低減させることができるようになっている。
【０２４０】
ところで、駆動プーリ４７８と従動プーリ４７９及びテンション機構４９３の上下配置を逆にした場合、第一昇降部材４７０及び第一装飾可動体４３０の重量が駆動ベルト４８０を介して従動プーリ４７９にかかるが、従動プーリ４７９には、駆動ベルト４８０の係合歯４８４と係合する被係合歯が備えられておらず、また、従動プーリ４７９は自由回転するようになっているので、従動プーリ４７９により第一昇降部材４７０及び第一装飾可動体４３０の重量を支持することができず、第一昇降部材４７０が降下すると共に、駆動ベルト４８０が所定方向に回転することとなる。また、下側の駆動プーリ４７８では駆動ベルト４８０が第一昇降部材４７０及び第一装飾可動体４３０の重量により下方に引張られるので、駆動プーリ４７８での駆動ベルト４８０の巻き掛け力が弱くなる。つまり、駆動ベルト４８０の係合歯４８４と駆動プーリ４７８の被係合歯４８５との係合が弱くなり、互いに滑り易くなる。
【０２４１】
そして、駆動プーリ４７８と駆動ベルト４８０との間で滑が発生すると、駆動ベルト４８０が第一駆動モータ４７７の回転に関係なく、第一昇降部材４７０及び第一装飾可動体４３０の重量によって回転してしまい、第一昇降部材４７０が下降することとなり、第一昇降部材４７０を良好に上下動させることができなくなる。そこで、テンション機構４９３による付勢力を大きくすることで、駆動プーリ４７８と駆動ベルト４８０との滑りを防止することが考えられるが、付勢力を大きくすると、テンション機構４９３だけでなく、駆動プーリ４７８、従動プーリ４７９、駆動ベルト４８０、及び第一ベース４７５等の強度を高くする必要があり、第一装飾可動体駆動ユニット４５０のコストが高くなる問題が発生することとなり、本例のように、駆動プーリ４７８を上側に、従動プーリ４７９を下側に夫々配置することが望ましい。
【０２４２】
本例の第一装飾可動体駆動ユニット４５０では、また、第一ベース４７５に、第一上部支持部材４７２と第一下部支持部材４７３の取付位置を位置決めするための支持面５０９に位置決め孔５１０が穿設されていると共に、第一上部支持部材４７２及び第一下部支持部材４７３の第一ベース４７５との当接部には、位置決め孔５１０と嵌合する位置決め突起５１１が夫々形成されている。これにより、第一ベース４７５の位置決め孔５１０に、対応する第一上部支持部材４７３及び第一下部支持部材４７３の位置決め突起５１１を嵌合させた上で、夫々を第一ベース４７５に固定することで、第一上部支持部材４７２及び第一下部支持部材４７３を所定位置に正確に位置させることができ、案内レール４７１、駆動プーリ４７８、及び従動プーリ４７９等の組立精度を高精度且つ容易に組み立てられるようになっている。なお、第一ベース４７５の取付当接面４７４には、遊技盤ベース２１２に取付固定するための取付孔５１２が穿設されている。
【０２４３】
この第一装飾可動体駆動ユニット４５０では、図示するように、その第一ベース４７５の取付当接面４７４が、第一ベース４７５の上部に備えられており、遊技盤ベース２１２に対して、第一ベース４７５の上部のみが取付固定されるようになっている。これにより、遊技盤ベース２１２への取付箇所を少なくすることができ、組立コストを低減させることができるようになっている。また、第一ベース４７５の上部で遊技盤ベース２１２に固定するようにしている、つまり、第一ベース４７５にかかる重量の重心よりも上側で固定しているので、仮に第一ベース４７５がその取付当接面４７４を中心として左右に振れても、その重心にかかる重力により元の位置に復帰しようとするので第一ベース４７５をその上部のみで固定しても、第一ベース４７５を良好な状態で固定することができるようになっている。即ち、第一装飾可動体駆動ユニット４５０を、遊技盤ベース２１２に良好に取付固定できるようになっている。
【０２４４】
次に、第一装飾可動体駆動ユニット４５０の第一昇降部材４７０は、第一装飾可動体４３０が取付支持される棒状の支持シャフト５３０と、支持シャフト５３０に挿通される二つの支持ブッシュ５３１と、案内レール４７１に挿通される二つの支持ブッシュ５３２と、案内レール４７１を挿通可能な挿通孔５３３を有し案内レール４７１に挿通される二つの支持ブッシュ５３２を上下方向に所定間隔離れて位置させると共に、支持シャフト５３０に挿通される二つの支持ブッシュ５３１を左右方向に所定間隔離れて位置させることの可能な本体部５３４と、本体部５３４の後側に配置され本体部５３４と協働して案内レール４７１に挿通される二つの支持ブッシュ５３２及び支持シャフト５３０に挿通される二つの支持ブッシュ５３１の位置を固定するブッシュ固定部材５３５とを備えている。
【０２４５】
この第一昇降部材４７０の本体部５３４には、その挿通孔５３３の両端に案内レール４７１に挿通される支持ブッシュ５３２を嵌合可能な段付凹部５３６が形成されていると共に、挿通孔５３３の内径は案内レール４７１が接触しない径とされ、挿通孔５３３と案内レール４７１との間には所定寸法のクリアランスが形成されるようになっている。また、本体部５３４には、支持シャフト５３０に挿通される二つの支持ブッシュ５３１を嵌合可能な半円筒状の嵌合凹部５３７が、左右方向に所定距離離れて対向するように形成されていると共に、対向する二つの嵌合凹部５３７の間には、半円筒状の収容部５３８が形成されており、支持ブッシュ５３１に挿通支持された支持シャフト５３０が本体部５３４と接触しないようになっている。
【０２４６】
一方、第一昇降部材４７０のブッシュ固定部材５３５には、前側に延在された平面視略Ｕ字状の抜止片５３９が二つ形成されていると共に、これら抜止片５３９の距離が本体部５３４の挿通孔５３３の長さに対応した距離とされており、本体部５３４にブッシュ固定部材５３５を組み付けることで、二つの抜止片５３９によって挿通孔５３３の段付凹部５３６に嵌合された支持ブッシュ５３２が、段付凹部５３６から抜けるのを防止するようになっている。
【０２４７】
また、ブッシュ固定部材５３５には、その前側の本体部５３４の二つの嵌合凹部５３７と対応する位置に、支持シャフト５３０に挿通される二つの支持ブッシュ５３１を嵌合可能な半円筒状の嵌合凹部５４０が形成されていると共に、二つの嵌合凹部５４０の間には半円筒状の収容部５４１が形成されている。このブッシュ固定部材５３５の嵌合凹部５４０と本体部５３４の嵌合凹部５３７に夫々支持シャフト５３０に挿通される支持ブッシュ５３１を嵌合させ上で、本体部５３４にブッシュ固定部材５３５を組付固定することで、二つの支持ブッシュ５３１が所定距離離反した位置に固定支持されるようになっている。また、本体部５３４の収容部５３８とブッシュ固定部材５３５の収容部５４１とにより、二つの支持ブッシュ５３１の間では支持シャフト５３０との間に所定寸法のクリアランスが形成されるようになっている。
【０２４８】
更に、ブッシュ固定部材５３５には、その後側に、下側の抜止片５３９よりも下方に延び、上下方向に延びる溝を有した延出部５４２が形成されている。この延出部５４２は、第一装飾可動体４３０の発光基板４５７に接続される複数の配線コードを保持するものである。
【０２４９】
上述のように、本体部５３４にブッシュ固定部材５３５を組み付けることで、各支持ブッシュ５３１，５３２が所定の位置に固定支持されると共に、夫々二つの支持ブッシュ５３２及び支持ブッシュ５３１によって、案内レール４７１及び支持シャフト５３１が相対回転可能且つそれらの軸方向に相対摺動可能に支持されるようになっている。なお、本体部５３４の挿通孔５３３の長さは、案内レール４７１に案内される第一昇降部材４７０が他の部材に支障を来たさない最大の長さとされており、これによって、二つの支持ブッシュ５３２の距離を可及的に長くすることができ、案内レール４７１に対する第一昇降部材４７０のガタツキを小さくすることができるようになっている。
【０２５０】
本例の第一昇降部材４７０には、本体部５３４に取付けられ前後方向に進退可能なプランジャ５５０を有した第一装飾可動体ソレノイド５５１と、一端が第一装飾可動体ソレノイド５５１におけるプランジャ５５０先端の鍔部５５２に係止され他端が支持シャフト５３１に一体回転可能に固定される回動伝達部材５５３とを更に備えている。この第一装飾可動体ソレノイド５５１は、支持シャフト５３０の下方で支持シャフト５３０とプランジャ５５０とが交差するような位置に配置されており、プランジャ５５０を進退させることで回動伝達部材５５３を介して支持シャフト５３０をその軸周りに所定角度範囲内で回動させることができるようになっている。なお、本体部５３４及びブッシュ固定部材５３５には、回動伝達部材５５３の一部を収容可能な収容窪部５５４が夫々形成されており、この収容窪部５５４に回動伝達部材５５３を収容させることで、回動伝達部材５５３の左右方向の移動を規制することができる、つまり、支持シャフト５３０の左右方向（その軸方向）の移動が規制されるようになっており、支持シャフト５３０が本体部５３４及びブッシュ固定部材５３５により固定支持された支持ブッシュ５３１から抜けないようになっている。
【０２５１】
なお、第一昇降部材４７０の本体部５３４には、挿通孔５３３の前面側に駆動ベルト４８０を固定するベルト固定部４８１が取付けられていると共に、第一装飾可動体ソレノイド５５１が取付けられる取付部５５５の下側に第一回転防止手段４９０の案内部材４９２が取付けられている。また、図中符号５５６は、本体部５３４の前側に取付けられる装飾体である。
【０２５２】
また、第一昇降部材４７０には、そのブッシュ固定部材５３５の後側に位置検出片５５７が設けられている。この位置検出片５５７は、装飾可動体ユニットカバー４３５の所定位置に取付けられる第一装飾可動体位置検出センサ５５８に検出されるようになっており、本例では、第一昇降部材４７０が上側端に位置した時に、第一装飾可動体位置検出センサ５５８によって検出されるようになっている。
【０２５３】
この第一昇降部材４７０は、図示するように、案内レール４７１を挿通する挿通孔５３３の左側に支持シャフト５３０を大きく延びださせて第一装飾可動体４３０を支持すると共に、挿通孔５３３の右側に第一装飾可動体ソレノイド５５１を配置して、挿通孔５３３を挟んで、第一昇降部材４７０の左右の重量バランスのアンバランスが少なくなるようになっており、案内レール４７１や支持ブッシュ５３２が偏摩耗するのを抑制するようにしている。
【０２５４】
次に、第一装飾可動体ユニット４３１のユニット装飾体４５１は、図示するように、第一装飾可動体駆動ユニット４５０の左側面に取付けられ、第一装飾可動体駆動ユニット４５０の案内レール４７１、従動プーリ４７９、駆動ベルト４８０、及びテンション機構４９３等が遊技盤５の前側から視認し難くなるように、それらを覆うと共に、表面の装飾により第一装飾可動体ユニット４３１を装飾するものである。このユニット装飾体４５１には、第一装飾可動体駆動ユニット４５０から延びる支持シャフト５３０が通過可能とされていると共に、支持シャフト５３０が上下方向に移動できるように、上下方向に延びた開口部５７０を備えている。
【０２５５】
本例の第一装飾可動体ユニット４３１は、第一駆動モータ４７７の回転駆動により、第一昇降部材４７０、つまり、第一装飾可動体４３０を上下方向に移動させることができると共に、第一装飾可動体ソレノイド５５１により第一装飾可動体４３０を前後方向に回動させることができるようになっている。
【０２５６】
また、本例の第一装飾可動体ユニット４３１は、第一昇降部材４７０の支持シャフト５３０に支持された第一装飾可動体４３０を、第一駆動モータ４７７の回転駆動により遊技盤５の面に略沿うように上下方向に移動させても、第一回転防止手段４９０により案内レール４７１の軸芯周りへの回転が防止されているので、第一装飾可動体４３０が不要に揺れるのを防止することができ、意図しない振れを抑制して所望の演出動作を確実に行わせることができ、興趣が低下するのを防止することができると共に、第一装飾可動体４３０をより大きなものとすることが可能となり、第一装飾可動体４３０をより目立たせることができ、第一装飾可動体４３０による演出効果をより高められるようになっている。
【０２５７】
また、本例の第一装飾可動体ユニット４３１は、これにより、第一装飾可動体４３０が、第一駆動モータ４７７の回転駆動により案内レール４７１の延在する上下方向に移動すると共に、第一装飾可動体ソレノイド５５１により支持シャフト５３０の軸芯周りに回転することができ、第一装飾可動体４３０により複雑な動きをさせることができるので、可動体の動きを飽き難くすることができ、飽きにより興趣が低下するのを防止することができるようになっていると共に、第一装飾可動体ソレノイド５５１におけるプランジャ５５０の進退方向を略水平方向（前後方向）としているので、プランジャ５５０の進退にかかる重力の影響を可及的に少なくすることができ、プランジャ５５０の進退を確実に行わせることで、第一装飾可動体４３０を確実に動かして所望の演出動作をさせることが可能となり、動きによる演出効果を充分に発揮させて、遊技者の興趣が低下するのを防止することができるようになっている。
【０２５８】
更に、本例の第一装飾可動体ユニット４３１では、第一上部支持部材４７２及び第一下部支持部材４７３の素材が夫々樹脂とされていると共に、第一ベース４７５の素材が板金とされている。そして、樹脂からなる第一上部支持部材４７２及び第一下部支持部材４７３の大きさを可及的に小さくすることができるので、樹脂成形による歪を相対的に小さくすることができると共に、精度の高い板金からなる第一ベース４７５により第一上部支持部材４７２及び第一下部支持部材４７３を所定位置に位置決め支持しているので、案内レール４７１の支持精度を良好に維持することができる。つまり、案内レール４７１を長くしても案内レール４７１を所望の位置に支持して、案内レール４７１により第一昇降部材４７０を介して第一装飾可動体４３０を良好に誘導案内させることが可能となるので、第一装飾可動体４３０がより大きく動くようにすることができ、第一装飾可動体４３０の演出動作を認識し易くして、その演出動作により興趣が低下するのを防止することができるようになっている。
【０２５９】
続いて、後装飾体２１６の第二装飾可動体ユニット４３３は、第一装飾可動体４３０の所定のキャラクタの下顎部分を造形した第二装飾可動体４３２と、第二装飾可動体を上下方向に移動させると共に遊技盤５の左右方向に延びる軸周りに回動させ、遊技盤ベース２１２の後面側に取付固定される第二装飾可動体駆動ユニット６１０と、第二装飾可動体駆動ユニット６１０に取り付けて装飾するユニット装飾体６１１とを備えている。
【０２６０】
この第二装飾可動体ユニット４３３の第二装飾可動体４３２は、所定のキャラクタの唇と下歯が造形された第二装飾可動体本体６１２と、第二装飾可動体本体６１２の顎内に配置されると共に所定のキャラクタの舌として造形され透光性を有した舌部材６１３と、舌部材６１３と第二装飾可動体本体６１２との間に配置され舌部材６１３に向かって光を照射するように複数のＬＥＤ６１４を有した発光基板６１５と、発光基板６１５と舌部材６１３との間に配置され第二装飾可動体駆動ユニット６１０に支持されると共に発光基板６１５からの光を拡散させるレンズ部６１６を有したベース部材６１７とを備えている。
【０２６１】
この第二装飾可動体４３２は、発光基板６１５のＬＥＤ６１４が発光することで、その舌部材６１３が光るようになっている。
【０２６２】
また、第二装飾可動体４３２には、そのベース部材６１７に第二装飾可動体駆動ユニット６１０に固定支持されるための固定部６１８が備えられており、この固定部６１８により第二装飾可動体４３２が第二装飾可動体駆動ユニット６１０に支持されるようになっている。
【０２６３】
次に、第二装飾可動体駆動ユニット６１０は、第二装飾可動体４３２を支持し第二装飾可動体４３２と共に上下方向に昇降する第二昇降部材６３０と、第二昇降部材６３０を上下方向に案内する案内レール６３１と、案内レール６３１の上端部を支持する第二上部支持部材６３２と、案内レール６３１の下端部を支持する第二下部支持部材６３３と、第二上部支持部材６３２及び第二下部支持部材６３３を上下方向に所定距離離間して支持すると共に遊技盤ベース２１２の後面側と当接する取付当接面６３４を有し板金を屈曲形成した第二ベース６３５と、第二ベース６３５の第二上部支持部材６３２の反対側に配置され第二ベース６３５及び第二上部支持部材６３２を貫通してその回転する駆動軸６３６が突出する第二駆動モータ６３７と、第二駆動モータ６３７の駆動軸６３６の回転に伴って回転する駆動プーリ６３８と、駆動プーリ６３８と対となるように第二下部支持部材６３３の近傍に配置される従動プーリ６３９と、駆動プーリ６３８と従動プーリ６３９とに巻き掛けられる駆動ベルト６４０と、駆動ベルト６４０の一部を第二昇降部材６３０と連結固定するベルト固定部６４１とを備えている。
【０２６４】
なお、本例では、第二駆動モータ６３７による駆動プーリ６３８の回転駆動は、第二駆動モータ６３７の駆動軸６３６に固定された駆動ギヤ６４２の回転が、駆動ギヤ６４２の略下側に配置され駆動ギヤ６４２と噛合し駆動プーリ６３８と一体に回転する伝達ギヤ６４３に伝達されることで駆動プーリ６３８が回転駆動するようになっている。また、駆動ベルト６４０の内周面には全周に亘って所定間隔で係合歯６４４が設けられていると共に、駆動プーリ６３８には係合歯６４４と係合する被係合歯６４５が歯車状に設けられており、被係合歯６４５と係合歯６４４との係合により駆動プーリ６３８の回転駆動が確実に駆動ベルト６４０に伝達されるようになっている。なお、従動プーリ６３９は、被係合歯のない平プーリとされている。
【０２６５】
この第二装飾可動体駆動ユニット６１０には、第二昇降部材６３０が案内レール６３１の延びる軸方向周りに回転するのを防止するための第二回転防止手段６５０が更に備えられている。この第二回転防止手段６５０は、第二上部支持部材６３２及び第二下部支持部材６３３にその上端及び下端が支持されると共に案内レール６３１と略平行に配置される案内ロッド６５１と、左右方向から案内ロッド６５１に当接可能とされ第二昇降部材６３０に取り付けられる案内部材６５２とを備えている。この第二回転防止手段６５０は、図示するように、案内ロッド６５１が案内レール６３１の後側に所定距離離れて配置されていると共に、断面が略コ字状とされた案内部材６５２が案内ロッド６５１の左右側の何れかに当接することで、第二昇降部材６３０が案内レール６３１の軸芯周りに回転するのを良好に防止することができるようになっている。
【０２６６】
なお、本例では、案内レール６３１及び案内ロッド６５１は、共に金属製の丸棒とされており、案内レール６３１の表面には摺動抵抗を低減させるための摩擦低減層が形成されている。この摩擦低減層は、例えば、フッ素系樹脂としてポリテトラフルオロエチレン（ＰＴＦＥ，（例えば、テフロン（登録商標）））が所定の厚さでコーティングされており、これにより、案内レール６３１により案内される第二昇降部材６３０の動摩擦抵抗の値と静摩擦抵抗の値とを可及的に近づけることができ、静止した第二昇降部材６３０が移動を開始する際に滑らかに移動開始させることができると共に、案内レール６３１等の摩耗を低減させて耐久性を向上させることができるようになっている。また、案内ロッド６５１の表面は、クロムメッキが施されており、錆び等の腐食を防止して耐久性を高めると共に、案内レール６３１よりは安価なものとなりコストが増加するのを防止することができるようになっている。
【０２６７】
また、第二装飾可動体駆動ユニット６１０には、駆動ベルト６４０に所定の張力を付与するテンション機構６５３を更に備えている。このテンション機構６５３は、第一装飾可動体駆動ユニット４５０に備えられたテンション機構４９３と同じ機構であり、案内レール６３１に案内されると共に従動プーリ６３９を回転可能に支持する移動体６５４と、一端が移動体６５４に他端が第二ベース６３５に取付けられ移動体６５４を下方に付勢するテンションバネ６５５とを備えている。
【０２６８】
このテンション機構６５３の移動体６５４は、案内レール６３１を挿通する案内孔６５６と、下方に開放され従動プーリ６３９の両端から突出する軸部６５７を係止するフック状の係止部６５８と、案内孔６５６と係止部６５８との間に配置されテンションバネ６５５の一端を取付けるバネ取付部６５９とを備えている。これにより、従動プーリ６３９に駆動ベルト６４０を巻き掛けた状態で、従動プーリ６３９を移動体６５４に支持させることができ、組立が容易にできるようになっている。また、案内孔６５６と従動プーリ６３９の軸部６５７を係止する係止部６５８との間でテンションバネ６５５により駆動ベルト６４０を引張るようにしているので、案内レール６３１の軸に対して案内孔６５６の軸が大きく傾くのを防止すことができ、案内レール６３１における移動体６５４の摺動抵抗が増加するのを抑制し、移動体６５４がスムーズに移動できるようになっていると共に、移動体６５４の姿勢が大きく変化するのを防止して駆動ベルト４８０に良好にテンションがかかるようになっている。
【０２６９】
この第二装飾可動体駆動ユニット６１０は、図示するように、駆動プーリ６３８が上側に、従動プーリ６３９が下側に夫々配置されていると共に、駆動プーリ６３８と従動プーリ６３９とに巻き掛けられる駆動ベルト６４０が、従動プーリ６３９を介してテンション機構６５３により下方に付勢されるようになっている。また、駆動ベルト６４０に第二昇降部材６３０が固定されているので、第二昇降部材６３０及び第二装飾可動体４３２の重量が駆動ベルト６４０にかかり、駆動ベルト６４０の一方側のみに下方に引張る力が作用するようになっていると共に、第二昇降部材６３０及び第二装飾可動体４３２の重量により駆動ベルト６４０が駆動プーリ６３８に強く巻き掛けられるようになっている。
【０２７０】
一方、上側の駆動プーリ６３８には、駆動ベルト６４０の係合歯６４４と係合する被係合歯６４５が備えられており、第二昇降部材６３０及び第二装飾可動体４３２の重量によって駆動ベルト６４０が駆動プーリ６３８に強く巻き掛けられることで駆動ベルト６４０の係合歯６４４と駆動プーリ６３８の被係合歯６４５との係合がより強くなると共に、第二駆動モータ６３７による駆動プーリ６３８の回転が阻止されることで、駆動ベルト６４０の回転が阻止され、第二昇降部材６３０及び第二装飾可動体４３２の重量が駆動ベルト６４０を介して駆動プーリ６３８に支持されることとなり、第二昇降部材６３０及び第二装飾可動体４３２の重量が下側の従動プーリ６３９やテンション機構６５３にかからないようになっている。これにより、テンション機構６５３に余分な負荷をかけることなく良好に第二昇降部材６３０等を上下動させることができると共に、テンション機構６５３による付勢力を最小限のものとしてテンション機構６５３等にかかるコストを低減させることができるようになっている。
【０２７１】
ところで、駆動プーリ６３８と従動プーリ６３９及びテンション機構６５３の上下配置を逆にした場合、第二昇降部材６３０及び第二装飾可動体４３２の重量が駆動ベルト６４０を介して従動プーリ６３９にかかるが、従動プーリ６３９には、駆動ベルト６４０の係合歯６４４と係合する被係合歯６４５が備えられておらず、また、従動プーリ６３９は自由回転するようになっているので、従動プーリ６３９により第二昇降部材６３０及び第二装飾可動体４３２の重量を支持することができず、第二昇降部材６３０が降下すると共に、駆動ベルト６４０が所定方向に回転することとなる。また、下側の駆動プーリ６３８では駆動ベルト６４０が第二昇降部材６３０及び第二装飾可動体４３２の重量により下方に引張られるので、駆動プーリ６３８での駆動ベルト６４０の巻き掛け力が弱くなる。つまり、駆動ベルト６４０の係合歯６４４と駆動プーリ６３８の被係合歯６４５との係合が弱くなり、互いに滑り易くなる。
【０２７２】
そして、駆動プーリ６３８と駆動ベルト６４０との間で滑が発生すると、駆動ベルト６４が第二駆動モータ６３７の回転に関係なく、第二昇降部材６３０及び第二装飾可動体４３２の重量によって回転してしまい、第二昇降部材６３０が下降することとなり、第二昇降部材６３０を良好に上下動させることができなくなる。そこで、テンション機構６５３による付勢力を大きくすることで、駆動プーリ６３８と駆動ベルト６４０との滑りを防止することが考えられるが、付勢力を大きくすると、テンション機構６５３だけでなく、駆動プーリ６３８、従動プーリ６３９、駆動ベルト６４０、及び第二ベース６３５等の強度を高くする必要があり、第二装飾可動体駆動ユニット４３３のコストが高くなる問題が発生することとなり、本例のように、駆動プーリ６３８を上側に、従動プーリ６３９を下側に夫々配置することが望ましい。
【０２７３】
本例の第二装飾可動体駆動ユニット６１０では、また、第二ベース６３５に、第二上部支持部材６３２と第二下部支持部材６３３の取付位置を位置決めするための支持面６６９位置決め孔６７０が穿設されていると共に、第二上部支持部材６３２及び第二下部支持部材６３３の第二ベース６３５との当接部には、位置決め孔６７０と嵌合する位置決め突起６７１が夫々形成されている。これにより、第二ベース６３５の位置決め孔６７０に、対応する第二上部支持部材６３２及び第二下部支持部材６３３の位置決め突起６７１を嵌合させた上で、夫々を第二ベース６３５に固定することで、第二上部支持部材６３２及び第二下部支持部材６３３を所定位置に正確に位置させることができ、案内レール６３１、駆動プーリ６３８、及び従動プーリ６３９等の組立精度を高精度且つ容易に組み立てられるようになっている。なお、第二ベース６３５の取付当接面６３４には、遊技盤ベース２１２に取付固定するための取付孔６７２が穿設されている。
【０２７４】
この第二装飾可動体駆動ユニット６１０では、図示するように、その第二ベース６３５の取付当接面６３４が、第二ベース６３５の上部に備えられており、遊技盤ベース２１２に対して、第二ベース６３５の上部のみが取付固定されるようになっている。これにより、遊技盤ベース２１２への取付箇所を少なくすることができ、組立コストを低減させることができるようになっている。また、第二ベース６３５の上部で遊技盤ベース２１２に固定するようにしている、つまり、第二ベース６３５にかかる重量の重心よりも上側で固定しているので、仮に第二ベース６３５がその取付当接面６３４を中心として左右に振れても、その重心にかかる重力により元の位置に復帰しようとするので、第二ベース６３５をその上部のみで固定しても、第二ベース６３５を良好な状態で固定することができるようになっている。即ち、第二装飾可動体駆動ユニット６１０を、遊技盤ベース２１２に良好に取付固定できるようになっている。
【０２７５】
次に、第二装飾可動体駆動ユニット６１０の第二昇降部材６３０は、第二装飾可動体４３２が取付支持される棒状の支持シャフト６９０と、支持シャフト６９０に挿通される二つの支持ブッシュ６９１と、案内レール６３１に挿通される二つの支持ブッシュ６９２と、案内レール６３１を挿通可能な挿通孔６９３を有し案内レールに挿通される二つの支持ブッシュ６９２を上下方向に所定間隔離れて位置させると共に、支持シャフト６９０に挿通される二つの支持ブッシュ６９１を左右方向に所定間隔離れて位置させることの可能な本体部６９４と、本体部６９４の後側に配置され本体部６９４と協働して案内レール６３１に挿通される二つの支持ブッシュ６９２及び支持シャフト６９０に挿通される二つの支持ブッシュ６９１の位置を固定するブッシュ固定部材６９５とを備えている。
【０２７６】
この第二昇降部材６３０の本体部６９４には、その挿通孔６９３の両端に案内レール６３１に挿通される支持ブッシュ６９２を嵌合可能な段付凹部６９６が形成されていると共に、挿通孔６９３の内径は案内レール６３１が接触しない径とされ、挿通孔６９３と案内レール６３１との間には所定寸法のクリアランスが形成されるようになっている。また、本体部６９４には、支持シャフト６９０に挿通される二つの支持ブッシュ６９１を嵌合可能な半円筒状の嵌合凹部６９７が、左右方向に所定距離離れて対向するように形成されていると共に、対向する二つの嵌合凹部６９７の間には、半円筒状の収容部６９８が形成されており、支持ブッシュ６９１に挿通支持された支持シャフト６９０が本体部６９４と接触しないようになっている。
【０２７７】
一方、第二昇降部材６３０のブッシュ固定部材６９５には、前側に延在された平面視略Ｕ字状の抜止片６９９が二つ形成されていると共に、これら抜止片６９９の距離が本体部６９４の挿通孔６９３の長さに対応した距離とされており、本体部６９４にブッシュ固定部材６９５を組み付けることで、二つの抜止片６９９によって挿通孔６９３の段付凹部６９６に嵌合された支持ブッシュ６９２が、段付凹部６９６から抜けるのを防止するようになっている。
【０２７８】
また、ブッシュ固定部材６９５には、その前側の本体部６９４の二つの嵌合凹部６９７と対応する位置に、支持シャフト６９０に挿通される二つの支持ブッシュ６９１を嵌合可能な半円筒状の嵌合凹部７００が形成されていると共に、二つの嵌合凹部７００の間には半円筒状の収容部７０１が形成されている。このブッシュ固定部材６９５の嵌合凹部７００と本体部６９４の嵌合凹部６９７に夫々支持シャフト６９０に挿通される支持ブッシュ６９１を嵌合させ上で、本体部６９４にブッシュ固定部材６９５を組付固定することで、二つの支持ブッシュ６９１が左右方向に所定距離離反した位置に固定支持されるようになっている。また、本体部６９４の収容部６９８とブッシュ固定部材６９５の収容部７０１とにより、二つの支持ブッシュ６９１の間では支持シャフト６９０との間に所定寸法のクリアランスが形成されるようになっている。
【０２７９】
上述のように、本体部６９４にブッシュ固定部材６９５を組み付けることで、各支持ブッシュ６９２，６９１が所定の位置に固定支持されると共に、夫々二つの支持ブッシュ６９２及び支持ブッシュ６９１によって、案内レール６３１及び支持シャフト６９０が相対回転可能且つそれらの軸方向に相対摺動可能に支持されるようになっている。なお、本体部６９４の挿通孔６９３の長さは、案内レール６３１に案内される第二昇降部材６３０が他の部材に支障を来たさない最大の長さとされており、これによって、二つの支持ブッシュ６９２の距離を可及的に長くすることができ、案内レール６３１に対する第二昇降部材６３０のガタツキを小さくすることができるようになっている。
【０２８０】
本例の第二昇降部材６３０には、ブッシュ固定部材６９５に取付けられ上下方向に進退可能なプランジャ７１０を有した第二装飾可動体ソレノイド７１１と、第二装飾可動体ソレノイド７１１におけるプランジャ７１０の進退により支持シャフト６９０を回動させるリンク機構７１２とを更に備えている。この第二装飾可動体ソレノイド７１１は、プランジャ７１０の先端に鍔部７１３が形成されていると共に、プランジャ７１０を前進させる方向に付勢するバネ７１４が備えられており、本例では、プランジャ７１０が第二装飾可動体ソレノイド７１１の下側から上下方向に進退するようになっている。
【０２８１】
また、リンク機構７１２は、前後方向に延びるように配置され一端側（後側）がブッシュ固定部材６９５に回転可能に支持され、一端側と他端側との間に第二装飾可動体ソレノイド７１１におけるプランジャ７１０先端の鍔部７１３を係止する係止部７１５を有すると共に、他端側に長孔からなる連結部７１６を有した第一棹部材７１７と、第一棹部材７１７の連結部７１６と連結する被連結部７１８が一端側に形成され他端側が支持シャフト６９０に固定される第二棹部材７１９とから構成されている。この第一棹部材７１７は、その一端側が、支持シャフト６９０の後側に配置された第二装飾可動体ソレノイド７１１のプランジャ７１０よりも更に後側の位置でブッシュ固定部材６９５に軸支されると共に、他端側が支持シャフト６９０よりも前側に位置するように配置されている。なお、支持シャフト６９０は、その端部にリンク機構７１２の第二棹部材７１９が固定されることで、軸方向への移動が阻止されて、支持ブッシュ６９１から抜けないようになっている。
【０２８２】
この第二装飾可動体ユニット４３３では、リンク機構７１２によって、第二装飾可動体ソレノイド７１１のプランジャ７１０を前進（突出）させると、リンク機構７１２及び支持シャフト６９０を介して第二装飾可動体４３２の先端（前側）が上がるように回動し、プランジャ７１０を後退（没入）させると、リンク機構７１２及び支持シャフト６９０を介して第二装飾可動体の先端が下がるように回動するようになっている。
【０２８３】
なお、第二昇降部材６３０の本体部６９４には、挿通孔６９３の前面側に駆動ベルト６４０を固定するベルト固定部６４１が取付けられていると共に、挿通孔６９３の後面側にブッシュ固定部材６９５を挟んで第二回転防止手段６５０の案内部材６５２が取付けられている。また、図中符号７３０は、本体部６９４の前側に取付けられる装飾体である。
【０２８４】
また、第二昇降部材６３０には、そのブッシュ固定部材６９５の正面視左側に位置検出片７３１が設けられていると共に、第二下部支持部材６３３の所定位置には位置検出片７３１を検出可能な第二装飾可動体位置検出センサ７３２が取付けられている。本例では、第二昇降部材６３０が下側端に位置した時に、第二装飾可動体位置検出センサ７３２によって第二昇降部材６３０の位置検出片７３１が検出されるようになっている。
【０２８５】
この第二昇降部材６３０は、図示するように、案内レール６３１を挿通する挿通孔６９３の正面視右側に支持シャフト６９０を大きく延びださせて第二装飾可動体４３２を支持すると共に、挿通孔６９３の左側に第二装飾可動体ソレノイド７１１を配置して、挿通孔６９３を挟んで、第二昇降部材６３０の左右の重量バランスのアンバランスが少なくなるようになっており、案内レール６３１や支持ブッシュ６９２が偏摩耗するのを抑制するようにしている。
【０２８６】
次に、第二装飾可動体ユニット４３３のユニット装飾体６１１は、図示するように、第二装飾可動体駆動ユニット６１０の正面視右側面に取付けられ、第二装飾可動体駆動ユニット６１０の案内レール６３１、駆動プーリ６３８、従動プーリ６３９、駆動ベルト６４０、及びテンション機構６５３等が遊技盤５の前側から視認し難くなるように、それらを覆うと共に、表面の装飾により第二装飾可動体ユニット４３３を装飾するものである。このユニット装飾体６１１には、第二装飾可動体駆動ユニット６１０から延びる支持シャフト６９０が通過可能とされていると共に、支持シャフト５９０が上下方向に移動できるように、上下方向に延びた開口部７３３を備えている。
【０２８７】
本例の第二装飾可動体ユニット４３３は、第二駆動モータ６３７の回転駆動により、第二昇降部材６３０、つまり、第二装飾可動体４３２を上下方向に移動させることができると共に、第二装飾可動体ソレノイド７１１により第二装飾可動体４３２の先端を上下方向に回動させることができるようになっている。
【０２８８】
また、本例の第二装飾可動体ユニット４３３は、第二昇降部材６３０の支持シャフト６９０に支持された第二装飾可動体４３２を、第二駆動モータ６３７の回転駆動により遊技盤５の面に略沿うように上下方向に移動させても、第二回転防止手段６５０により案内レール６３１の軸芯周りへの回転が防止されているので、第二装飾可動体４３２が不要に揺れるのを防止することができ、意図しない振れを抑制して所望の演出動作を確実に行わせることができ、興趣が低下するのを防止することができると共に、第二装飾可動体４３２をより大きなものとすることが可能となり、第二装飾可動体４３２をより目立たせることができ、第二装飾可動体４３２による演出効果をより高められるようになっている。
【０２８９】
また、本例の第二装飾可動体ユニット４３３は、第二装飾可動体４３２が、第二駆動モータ６３７の回転駆動により案内レール６３１の延在する上下方向に移動すると共に、第二装飾可動体ソレノイド７１１により支持シャフト６９０の軸芯周りに回転することができ、第二装飾可動体４３２により複雑な動きをさせることができるので、第二装飾可動体４３２の動きを飽き難くすることができ、飽きにより興趣が低下するのを防止することができるようになっている。
【０２９０】
また、第二装飾可動体ソレノイド７１１におけるプランジャ７１０の進退方向を略上下方向としているので、支持シャフト６９０の延出方向の寸法が全体的に長くなったり、支持シャフト６９０と第二装飾可動体ソレノイド７１１との重なりが大きくなったりして、パチンコ機１に備える際に支持シャフト６９０に支持される第二装飾可動体４３２の大きさが相対的に小さくなり、第二装飾可動体４３２が目立ち難くなるのを防止することが可能となり、第二装飾可動体４３２を可及的に大型化することができ、第二装飾可動体４３２によるインパクトを高めて、興趣を高められる効果を期待することができるようになっている。また、支持シャフト６９０の軸直角方向の寸法が大きくなるのを抑制することができるので、他の部材と緩衝し難くすることが可能となり、容易にパチンコ機１に備えることができるようになっている。
【０２９１】
更に、本例の第二装飾可動体ユニット４３３では、第二上部支持部材６３２及び第二下部支持部材６３３の素材が夫々樹脂とされていると共に、第二ベース６３５の素材が板金とされている。そして、樹脂からなる第二上部支持部材６３２及び第二下部支持部材６３３の大きさを可及的に小さくすることができるので、樹脂成形による歪を相対的に小さくすることができると共に、精度の高い板金からなる第二ベース６３５により第二上部支持部材６３２及び第二下部支持部材６３３を所定位置に位置決め支持しているので、案内レール６３１の支持精度を良好に維持することができる。つまり、案内レール６３１を長くしても案内レール６３１を所望の位置に支持して、案内レール６３１により第二昇降部材６３０を介して第二装飾可動体４３２を良好に誘導案内させることが可能となるので、第二装飾可動体４３２がより大きく動くようにすることができ、第二装飾可動体４３２の演出動作を認識し易くして、その演出動作により興趣が低下するのを防止することができるようになっている。
【０２９２】
また、本例の第二装飾可動体ユニット４３３では、案内レール６３１と案内ロッド６５１との内側の位置で第二昇降部材６３０に第二装飾可動体４３２を支持シャフト６９０を介して保持するようにしているので、これにより、第二昇降部材６３０が案内レール６３１と案内ロッド６５１との外側で第二装飾可動体４３２を保持する場合と比較して、案内レール６３１と案内ロッド６５１とが並んだ方向の幅が長くなるのを抑制することが可能となり、全体として小型化することができ、パチンコ機１に備え易くして、より興趣の高められるパチンコ機１とすることができるようになっている。
【０２９３】
なお、本例の第一装飾可動体４３０及び第二装飾可動体４３２が本発明の第一可動体及び第二可動体に、本例の第一装飾可動体駆動ユニット４５０及び第二装飾可動体駆動ユニット６１０が本発明の第一駆動ユニット及び第二駆動ユニットに夫々相当している。また、本例の第一昇降部材４７０及び第二昇降部材６３０が本発明の被誘導部材に、また、本例の案内レール４９１及び案内レール６３１が本発明の誘導部材に夫々相当している。また、本例の第一上部支持部材４７２及び第二上部支持部材６３２が本発明の第一支持部材に、本例の第一下部支持部材４７３及び第二下部支持部材６３３が本発明の第二支持部材に、本例の第一ベース４７５及び第二ベース６３５が本発明のベースに夫々相当している。更に、本例の第一駆動モータ４７７及び第二駆動モータ６３７が本発明の回転駆動手段に、本例のテンションバネ４９５，６５５が本発明の付勢手段に夫々相当している。
【０２９４】
また、本例の第一回転防止手段４９０及び第二回転防止手段６５０が本発明の回転防止手段に、本例の案内ロッド４９１，６５１が本発明のガイド部材に、本例の案内部材４９２，６５２が本発明の被ガイド部材に夫々相当している。また、本例の支持ブッシュ５３２，６９２が本発明の摺動部材に、本例の第一装飾可動体ソレノイド５５１及び第二装飾可動体ソレノイド７１１が本発明のソレノイドに、本例の回動伝達部材５５３及びリンク機構７１２が本発明の伝達手段に夫々相当している。
【０２９５】
続いて、装飾可動体ユニットカバー４３５は、第一装飾可動体ユニット４３１及び第二装飾可動体ユニット４３３を取付固定するための取付部７５０が複数備えられており、この取付部７５０は、夫々ビス孔と位置決めボスとから構成されている。一方、第一装飾可動体ユニット４３１の第一ベース４７５、及び第二装飾可動体ユニット４３３の第二ベース６３５の対応する位置には、ビス挿通孔と位置決め孔とが夫々形成されており、取付部７５０の位置決めボスを、第一ベース４７５又は第二ベース６３５の対応する位置決め孔に嵌合させることで、取付部７５０のビス孔と第一ベース４７５又は第二ベース６３５のビス挿通孔とが略一致するようになっており、第一ベース４７５又は第二ベース６３５のビス挿通孔を貫通するように前側からビスをビス孔にねじ込むことで、装飾可動体ユニットカバー４３５の所定位置に第一装飾可動体ユニット４３１及び第二装飾可動体ユニット４３３が取付けられるようになっている。
【０２９６】
また、装飾可動体ユニットカバー４３５には、遊技盤ベース２１２の後面と当接し、ビスを挿通可能なビス孔７５１を有した当接面７５２が複数形成されており、この当接面７５２を遊技盤ベース２１２の後面に当接させた上で、図示しないビスを当接面７５２の後側からビス孔７５１を介して遊技盤ベース２１２にねじ込むことで装飾可動体ユニットカバー４３５を遊技盤ベース２１２に取付けられるようになっている。
【０２９７】
なお、本例の装飾可動体ユニットカバー４３５は、第一装飾可動体ユニット４３１及び第二装飾可動体ユニット４３３を取付けた状態では、それらの第一ベース４７５及び第二ベース６３５における取付当接面４７４，６３４の取付孔５１２，６７２が、装飾可動体ユニットカバー４３５の外周よりも外側に位置するようになっている。これにより、第一装飾可動体ユニット４３１及び第二装飾可動体ユニット４３３は、装飾可動体ユニットカバー４３５に取付けられた状態で、それらの第一ベース４７５及び第二ベース６３５の取付孔５１２，６７２を介して図示しないビスにより直接遊技盤ベース２１２の後面側に取付けられるようになっている。
【０２９８】
また、装飾可動体ユニットカバー４３５には、第一装飾可動体駆動ユニット４５０及び第二装飾可動体駆動ユニット６１０の後側と対向する所定の位置に、配線保持手段７７０が夫々備えられている。この配線保持手段７７０は、第一昇降部材４７０に支持される発光基板４５７、及び第二昇降部材６３０に支持される発光基板６１５と接続される複数の配線コード７７１の所定位置に固定された配線バンド７７２を保持して、第一昇降部材４７０や第二昇降部材６３０が上下動する際に、それらの発光基板４５７，６１５に接続された配線コード７７１が他の部材に絡まったり、挟まったりしないようにするためのものである。
【０２９９】
この配線保持手段７７０は、具体的には、配線コード７７１の端部（先端部）に取付けられる接続コネクタが通過可能な貫通口からなるコネクタ通過部７７３と、コネクタ通過部７３３に隣接して設けられ配線コード７７１に固定された配線バンド７７２が通過不能且つ配線コード７７１のみが通過可能とされた第一通過部７７４と、第一通過部７７４に隣接して設けられ配線コード７７１に固定された配線バンド７７２が通過不能且つ配線コード７７１のみが通過可能とされた第二通過部７７５とから構成されている。これら第一通過部７７４、及び第二通過部７７５は、細長いスリット状に形成されていると共に、互いに略平行となるように配置されている。
【０３００】
また、配線保持手段７７０には、第一通過部７７４と、第二通過部７７５とを連通すると共に、配線コード７７１が通過可能とされた連通部７７６と、連通部７７６に臨み第一通過部７７４と第二通過部７７５との間に配置され第一通過部７７４及び第二通過部７７５の開口面に対して略直角方向に突出する突出部７７７とを更に備えている。なお、本例では、連通部７７６は、配線コード７７１に固定された配線バンド７７２が通過可能な大きさとされていると共に、突出部７７７は、装飾可動体ユニットカバー４３５の前側と後側の両側に、夫々突出するように備えられている。
【０３０１】
この配線保持手段７７０は、所定の位置に配線バンド７７２が固定された配線コード７７１を、第一装飾可動体ユニット４３１及び第二装飾可動体ユニット４３３の配置される前側から、後側へそのコネクタ通過部７７３を通過するように挿通させる。続いて、挿通した配線コード７７１の配線バンド７７２よりも基端側を、連通部７７６を介して第一通過部７７４に、装飾可動体ユニットカバー４３５の後側から前側へ通過させ、更に配線バンド７７２の先端側を、同じく連通部７７６を介して第二通過部７７５に、装飾可動体ユニットカバー４３５の前側から後側に通過させる。そして、配線コード７７１に固定された配線バンド７７２を第一通過部７７４の開口部と当接（装飾可動体ユニットカバー４３５の前側と当接）させると共に、第一通過部７７４と第二通過部７７５との間で配線コード７７１が弛まないようにすることで、配線コード７７１をその基端側から引張っても、配線バンド７７２から先端側が動かないように保持することができるようになっている。
【０３０２】
なお、配線保持手段７７０には、突出部７７７が備えられているので、スリット状の第一通過部７７４及び第二通過部７７５に沿って配線コード７７１が移動しても、突出部７７７によりその移動が規制されるので、配線コード７７１が連通部７７６を介して第一通過部７７４及び第二通過部７７５から外れるのを防止することができるようになっている。
【０３０３】
［主基板及び周辺基板の機能的な構成について］  図５３に基づき説明する。
図５３は、制御構成を概略的に示すブロック図である。本例のパチンコ機１の制御は、大きく分けて主基板８１０のグループと周辺基板８１１のグループとで分担されており、このうち主基板８１０のグループが遊技動作（入賞検出や当り判定、特別図柄表示、賞球払出等）を制御しており、周辺基板８１１のグループが演出動作（発光装飾や音響出力、液晶表示等）を制御している。
【０３０４】
主基板８１０は、主制御基板９４と払出制御基板１３３とから構成されている。主制御基板９４は、中央演算装置としてのＣＰＵ８１２、読み出し専用メモリとしてのＲＯＭ８１３、読み書き可能メモリとしてのＲＡＭ８１４を備えている。ＣＰＵ８１２は、ＲＯＭ８１３に格納されている制御プログラムを実行することによりパチンコ機１で行われる各種遊技を制御したり、周辺基板８１１や払出制御基板１３３に出力するコマンド信号を作成したりする。ＲＡＭ８１４には、主制御基板９４で実行される種々の処理において生成される各種データや入力信号等の情報が一時的に記憶される。
【０３０５】
この主制御基板９４には、通過検出センサ２３９、第一始動口センサ４１６、第二始動口センサ３５８、大入賞口センサ３７０、一般入賞口センサ４１７（右一般入賞口センサ４１７ａ，左一般入賞口センサ４１７ｂ）等からの検出信号が入力される。一方、主制御基板９４は、始動口ソレノイド３５２、アタッカソレノイド３７２、特別図柄表示器３９０、保留ランプ３９１等へ駆動信号を出力する。また、払出制御基板１３３は、中央演算装置としてのＣＰＵ８１５、読み出し専用メモリとしてのＲＯＭ８１６、読み書き可能メモリとしてのＲＡＭ８１７を備えている。そして、払出制御基板１３３は、主制御基板９４から入力したコマンド信号を処理し、球払出装置１２５に駆動信号を出力する。これにより、球払出装置１２５は、駆動信号に従って遊技球を払い出す。
【０３０６】
主制御基板９４と払出制御基板１３３との間では、それぞれの入出力インタフェースを介して双方向通信が実施されており、例えば主制御基板９４が賞球コマンドを送信すると、これに応えて払出制御基板１３３から主制御基板９４にＡＣＫ信号が返される。
【０３０７】
一方、周辺基板８１１には、副制御基板９２を含むサブ統合基板８３０のほかに例えば複数の電飾制御基板８３１，８３２や波形制御基板８３３等が含まれる。上記の主制御基板９４とサブ統合基板８３０との間では、それぞれの入出力インタフェースと入力インタフェースとの間で一方向だけの通信が行われており、主制御基板９４からサブ統合基板８３０へのコマンドの送信はあっても、その逆は行われない。
【０３０８】
サブ統合基板８３０もまた、ＣＰＵ８３４をはじめＲＯＭ８３５やＲＡＭ８３６等の電子部品を有しており、これら電子部品によって所定の演出制御プログラムを実行することができる。サブ統合基板８３０とその他の電飾制御基板８３１，８３２や波形制御基板８３３との間では、それぞれの入出力インタフェースとの間で双方向に通信が行われる。
【０３０９】
１つ目の電飾制御基板８３１には主にサイド装飾装置５２、主役物２１３、遊技領域内装飾体２１５、後装飾体２１６等に含まれる装飾ランプ８３７が接続されており、サブ統合基板８３１から電飾制御基板８３１に対して装飾ランプ８３７の点灯信号が送信されると、これを受けて電飾制御基板８３１が装飾ランプ８３７を点灯させる処理を行う。
【０３１０】
また、電飾制御基板８３１には、回転位置検出センサ３１９、第一装飾可動体位置検出センサ５５８、第二装飾可動体位置検出センサ７３２等からの検出信号が入力される。一方、電飾制御基板８３１は、可動装飾体駆動モータ３１０、第一駆動モータ４７７、第一装飾可動体ソレノイド５５１、第二駆動モータ６３７、第二装飾可動体ソレノイド７１１等へ駆動信号を出力する。この電飾制御基板８３１では、各検出センサ３１９，５５８，７３２からの検出信号に基づいて、各駆動モータ３１０，４７７，６３７の回転制御が行われる。
【０３１１】
一方、２つ目の電飾制御基板８３２には演出表示装置２１７とともに演出ランプ８３８が接続されている。例えばサブ統合基板８３０から演出表示装置２１７に対する表示コマンドが電飾制御基板８３２に送信されると、これを受けて電飾制御基板８３２は実際に演出表示装置２１７を作動させる処理を行う。
【０３１２】
波形制御基板８３３は、音響出力としての可聴音波のほか、不可聴である超音波等の波形信号を生成・送受信する処理を実行している。例えば、サブ統合基板８３０から音響出力コマンドが波形制御基板８３３に送信されると、これを受けて波形制御基板８３３は上記のスピーカ１８，５７を駆動する処理を行う。このほかにも、波形制御基板８３３には超音波送受信装置８３９が接続されており、この超音波送受信装置８３９は、複数の台間で超音波による通信を可能とする。通常、ホールの島設備には複数台のパチンコ機１が並べて設置されるが、超音波送受信装置８３９を装備しているパチンコ機１同士の間では、相互に超音波通信が可能となる。この通信機能を用いて、複数のパチンコ機１で演出動作をシンクロナイズさせたり、特定の台間で遊技情報の交換を行ったりすることができる。
【０３１３】
なお、電飾制御基板８３１，８３２、及び波形制御基板８３３にも、それぞれ中央演算装置としてのＣＰＵ８５０，８５１，８５２、読み出し専用メモリとしてのＲＯＭ８５３，８５４，８５５、及び読み書き可能メモリとしてのＲＡＭ８５６，８５７，８５８を備えている。
【０３１４】
［主役物及び後装飾体の動作について］  図５４乃至図５７、及び図６０、図６１に基づき説明する。
図５４は、主役物における可動装飾体が略垂直方向に回動した状態を示す遊技領域の正面図である。図５５は、図５４の状態から更に後装飾体の第一装飾可動体及び第二装飾可動体を可動させた状態を示す遊技領域の正面図である。図５６は、主役物における可動装飾体が略水平方向に回動した状態において、後装飾体の第一装飾可動体及び第二装飾可動体を可動させた状態を示す遊技領域の正面図である。図５７は、第一装飾可動体及び第二装飾可動体の可動範囲を示す説明図である。図６０は、主役物における可動装飾体が略水平方向に回動した後装飾体の第一装飾可動体及び第二装飾可動体を可動させた状態の別の状態を示す正面図である。
【０３１５】
まず、電飾制御基板８３１では、パチンコ機１の電源投入時や、リセット時において、右可動装飾体２３４及び左可動装飾体２３５の回転位置を検出する左右の回転位置検出センサ３１９の検出信号の受信の有無を確認し、回転位置検出センサ３１９からの検出信号がなければ、右可動装飾体２３４及び左可動装飾体２３５が夫々水平状態となるような方向に左右の可動装飾体駆動モータ３１０を回転駆動させて、各回転位置検出センサ３１９から検出信号を受信すると、可動装飾体駆動モータ３１０の回転を停止させる。これにより、右可動装飾体２３４及び左可動装飾体２３５は図１０に示すような、略水平状態となる。
【０３１６】
その後、遊技状態の変化に伴って、サブ統合基板８３０から電飾制御基板８３１へ、可動装飾体２３４，２３５を駆動制御する所定の制御コマンドが送信されると、電飾制御基板８３１では、可動装飾体駆動モータ３１０を回転駆動させて、図５４に示すように右可動装飾体２３４及び左可動装飾体２３５が夫々垂直状態となるように回転させる。図示するように、この状態では、主役物２１３における枠状装飾体２３０の上縁部下側に、後装飾体２１６の第一装飾可動体４３０の一部が見える状態となる。
【０３１７】
なお、サブ統合基板８３０からの制御コマンドによっては、可動装飾体駆動モータ３１０を短周期で正転、逆転を繰り返させて、可動装飾体２３４，２３５がブルブル振動するように駆動することもできるようになっている。
【０３１８】
この状態で、サブ統合基板８３０から電飾制御基板８３１へ、後装飾体２１６の第一装飾可動体４３０及び第二装飾可動体４３２を駆動制御する所定の制御コマンドが送信されると、電飾制御基板８３１では、第一装飾可動体４３０及び第二装飾可動体４３２が互いに接近する方向に第一駆動モータ４７７及び第二駆動モータ６３７を回転駆動させて、演出表示装置２１７の前面に第一装飾可動体４３０及び第二装飾可動体４３１が位置するように移動させる（図５５参照）。なお、これら第一装飾可動体４３０及び第二装飾可動体４３１は、サブ統合基板８３０からの制御コマンドに応じて、適宜、互いに接近したり、離反したりするように駆動され、第一装飾可動体４３０と第二装飾可動体４３１とで表現される所定のキャラクタの口がパクパクと開閉するような動作をさせることができるようになっている。
【０３１９】
例えば、図６０に示すように、右可動装飾体２３４と左可動装飾体２３５が夫々水平な状態において、第一装飾可動体４３０及び第二装飾可動体４３１が離反するように駆動されると、第一装飾可動体４３０は右可動装飾体２３４及び左可動装飾体２３５の後に配置され、遊技者からは見えない位置で遮蔽され得る。また、第二装飾可動体４３２ｈｓ主役物２１３の下部の後側に配置され、同様にして遊技者からは見えない位置で遮蔽され得る。その後、サブ統合基板８３０からの制御コマンドに応じて、第一装飾可動体４３０及び第二装飾可動体４３１が接近するように駆動されると、図５６に示すように、主役物２１３の後方から突然第一装飾可動体４３０及び第二装飾可動体４３１が出現し、所謂「いないいないばぁ」のような状態で、遊技者を驚かせるような新規な演出動作が可能となる。
【０３２０】
また、サブ統合基板８３０からの制御コマンドに応じて、電飾制御基板８３１では、第一装飾可動体ソレノイド５５１及び第二装飾可動体ソレノイド７１１を駆動させて、第一装飾可動体４３０及び第二装飾可動体４３１を夫々左右方向に延びる軸周りに回転させることで、第一装飾可動体４３０においてはその顔を前後に回動させると共に、第二装飾可動体４３２においてはその下顎を前後に回動させ、キャラクタの口の動作をよりリアルな動作となるようにしている。
【０３２１】
なお、図５５に示すように、下方に移動した第一装飾可動体４３０は、その左右両端が右可動装飾体２３４及び左可動装飾体２３５によって遮られるので、あたかも第一装飾可動体４３０が宙に浮いているように見せることができるようになっている。また、第二装飾可動体４３０では、第二装飾可動体ユニット４３３の第二昇降部材６３０に取付けられた装飾体７３０によって、第二装飾可動体４３２を支持する支持シャフト６９０が隠蔽されている。
【０３２２】
また、サブ統合基板８３０からの制御コマンドによっては、図５６に示すように、第一装飾可動体４３０及び第二装飾可動体４３１のみを駆動することもできるようになっている。なお、第一装飾可動体４３０を備えた第一装飾可動体ユニット４３１の第一昇降部材４７０に取付けられた装飾体５５６によって、第一装飾可動体４３０を支持する支持シャフト５３０が隠蔽されており、見栄えを良くして意匠性が高められるようになっている。
【０３２３】
なお、第一装飾可動体４３０及び第二装飾可動体４３２の可動範囲は、図５７に示すように、夫々ＲＬ３及びＬＬ３の範囲内で上下方向に移動するようになっている。また、第一昇降部材４７０及び第二昇降部材６３０における上下方向の寸法ＲＬ１及びＬＬ１は、夫々案内レール４７１，６３１の有効長ＲＬ２及びＬＬ２から、上述の第一装飾可動体４３０及び第二装飾可動体４３２の移動距離ＲＬ３及びＬＬ３を夫々減算した値とおおよそ同じ値とされており、第一昇降部材４７０及び第二昇降部材６３０における上下方向の寸法つまり夫々に保持される二つの支持ブッシュ５３２，６９２の間隔を、第一昇降部材４７０及び第二昇降部材６３０の移動距離に対して可及的に大きい距離とされており、第一昇降部材４７０及び第二昇降部材６３０のガタツキを可及的に少なくして第一装飾可動体４３０及び第二装飾可動体４３２を安定した状態で移動させることができるようになっている。
【０３２４】
このように、本実施形態のパチンコ機１によると、ステージ２５６を有し枠状の主役物２１３を遊技盤ベース２１２の貫通口２１１を前方から覆うように配置すると共に、遊技盤ベース２１２の後方に第一ベース４７５，第二ベース６３５を介して備えられた第一装飾可動体４３０，第二装飾可動体４３２が主役物２１３の枠状の内側を通して視認可能としているので、これにより、第一装飾可動体４３０，第二装飾可動体４３２の演出動作だけでなく、主役物２１３のステージ２５６上を転動する遊技球の動きによっても、遊技者の興趣を高めることができると共に、前側に主役物２１３が後側に第一装飾可動体４３０，第二装飾可動体４３２が配置されることとなり、奥行きのあるパチンコ機１とすることができ、他のパチンコ機との差別化を図ることが可能となり、遊技者に注目させて、より興趣の高められるものとすることができる。
【０３２５】
更に、演出表示装置２１７の前面側で第一装飾可動体４３０，第二装飾可動体４３２が移動するようにしているので、これにより、演出表示装置２１７に表示させる演出態様と第一装飾可動体４３０，第二装飾可動体４３２とを可及的に近づけることが可能となり、演出態様と第一装飾可動体４３０，第二装飾可動体４３２の演出動作とをより関連付けたものにし易くすることができ、演出態様と第一装飾可動体４３０，第二装飾可動体４３２の演出動作によるコラボレーションによって、これまでにないインパクトの高い演出を提供して、遊技者の興趣を高められるものとすることができる。
【０３２６】
また、第一装飾可動体４３０及び第二装飾可動体４３２の前側に右可動装飾体２３４及び左可動装飾体２３５が備えられているから、例えば上下に可動する第一装飾可動体４３０及び第二装飾可動体４３２とは違う動きをさせることにより、より可動体に注目させることができ、第一装飾可動体４３０、第二装飾可動体４３２及び右可動装飾体２３４及び左可動装飾体２３５による演出動作を楽しませて、興趣が低下するのを防止することができる。
【０３２７】
また、右可動装飾体２３４及び左可動装飾体２３５が略水平な第一配置状態に配置された場合において、その後側に第一装飾可動体４３０が配置され、遊技者から視認困難に遮蔽される。これにより、第一装飾可動体４３０を視認可能に露出させたり、視認困難に遮蔽させたりする演出を切り替えることが可能となり、遊技者をどっきりさせ、注目を惹きつける演出が可能となる。
【０３２８】
また、右可動装飾体２３４及び左可動装飾体２３５は、略垂直に配置される第二配置状態において、第一装飾可動体駆動ユニット４５０と第一装飾可動体４３０との間を遮蔽可能である。これにより、可動体と駆動ユニットとの間、つまり連結部が遮蔽され得るので、支持シャフト５３０等を隠蔽し、見栄えを向上させることができる。さらに、第一装飾可動体４３０とは別の動きをする右可動装飾体２３４及び左可動装飾体２３５によって当該連結部を遮蔽できるので、夫々の駆動ユニットと第一装飾可動体４３０との関係を分かり難くすることが、どうやって第一装飾可動体４３０が動かされているのかが分かり難いことから、まるで宙に浮いているかのような意外性のある演出を行えるので、遊技者の注目を惹きつけ、興趣を高めることができる。
【０３２９】
更に、第一装飾可動体４３０や第二装飾可動体４３２の上下方向の動きとは異なる別途の動き（回動する）を用いて右可動装飾体２３４及び左可動装飾体２３５を可動させることができるので、遊技領域内における動きのバリエーションを増加させ、より演出効果の高め遊技者の興趣の高められるものとすることができる。
【０３３０】
また、略長尺状の本体部２９２を持つ右可動装飾体２３４及び左可動装飾体２３５のうち、第一装飾可動体４３０や第二装飾可動体４３２が片持ち支持されている側と同じ端部側を中心に回動させることにより、略垂直な第二配置状態時において、その他端側に向かって延設されている本体部２９２が不可避的に第一装飾可動体４３０と第一装飾可動体駆動ユニット４５０との間を遮蔽する。これにより、ごく自然に第一装飾可動体４３０や第二装飾可動体４３２と夫々の駆動ユニットとの連結部分（支持シャフト５３０等）であるを遮蔽できるので、よりスムーズ且つ巧みに見栄えを向上させることができる。
【０３３１】
また、右可動装飾体２３４及び左可動装飾体２３５の端部側が回動可能に支持されているから、略中央付近側で支持されている場合等に比べ、右可動装飾体２３４及び左可動装飾体２３５を回動している回動手段（第一装飾可動体ソレノイド５５１，第二装飾可動体ソレノイド７１１）を遊技領域３７の端部側に配置しやすい。これにより、当該回動手段によって第一装飾可動体４３０や第二装飾可動体４３２、または演出表示手段２１７などを遮蔽し難いので、これらが表現する演出態様を見易くでき、興趣の低下を防止することができる。
【０３３２】
また、左右同じ高さに二つ一組で配置されており、換言すれば、一つの可動装飾体を二分割して配置する構成であるため、右可動装飾体２３４及び左可動装飾体２３５の一つ当りの左右方向の長さを、約半分程度に短くできる。これにより、右可動装飾体２３４及び左可動装飾体２３５一つあたりのサイズを小さくすることができるので、各駆動ユニットが負担する駆動負荷が軽くなり、より速い速度で右可動装飾体２３４及び左可動装飾体２３５を駆動することが可能となる。従って、右可動装飾体２３４及び左可動装飾体２３５によりスピーディでダイナミックな演出を行わせることが可能となり、右可動装飾体２３４及び左可動装飾体２３５の演出動作を楽しませて、興趣が低下するのを防止することができる。
【０３３３】
さらに、左右略同じ高さに配置された二つの右可動装飾体２３４及び左可動装飾体２３５が一組セットで、つまり一体感を連想させる形状や模様に形成されていることにより、略垂直な第二配置状態から略水平状態に移行した際に、一つの統一された観念を引き起こさせる一体的な形状へと合体させる演出が可能となる。例えば、右側に配置された右可動装飾体２３４及び左可動装飾体２３５と左側に配置された右可動装飾体２３４及び左可動装飾体２３５とに夫々文字を象った装飾部材を取り付け、第一配置状態に移行して二つの右可動装飾体２３４及び左可動装飾体２３５が同じ高さに配置されると、二つあわせて一つの連続した意味のある単語となるような演出が可能となる。このように、意外性のある演出を行うことができることにより、遊技者や、その他の見物者などの注意を惹き、集客力の強い面白味のあるパチンコ機１が提供できる。
【０３３４】
また、右可動装飾体２３４及び左可動装飾体２３５を主役物２１３の枠状の内側に備えていることにより、当該内側で右可動装飾体２３４及び左可動装飾体２３５を回動させた場合は、主役物の構成部材と右可動装飾体２３４及び左可動装飾体２３５とが干渉しないためスムーズに回動させることができ、より好適である。
【０３３５】
更に、右可動装飾体２３４及び左可動装飾体２３５の本体部２９２は、ステージ２５６上に供給された遊技球に接触しない大きさで形成されている。つまり、装飾可動体として配置されているため、ステージ２５６上で繰り広げられる遊技球の転動演出を妨げる虞がない。これにより、右可動装飾体２３４及び左可動装飾体２３５による動きの演出に加え、ステージ２５６上を転動する遊技球の転動演出も十分に提供することができ、遊技者の目を楽しませることができる。また、遊技球の動きを妨げないことから、接触によって遊技球を所定の開放部２５４や開口部３０４以外の場所へと流下させることで遊技者の興趣を低下させる懸念も払拭される。従って、より面白味の持続する魅力的なパチンコ機１を提供できる。
【０３３６】
また、右可動装飾体２３４及び左可動装飾体２３５を発光可能な装飾可動体としたことから、右可動装飾体２３４及び左可動装飾体２３５は、第一配置状態と第二配置状態との間を移動するだけでなく、発光することもできるので、発光によって遊技者に右可動装飾体２３４及び左可動装飾体２３５に気付かせ注目を惹くことが可能となり、右可動装飾体２３４及び左可動装飾体２３５の動きを楽しませて、興趣が低下するのを防止することができる。
【０３３７】
また、第一装飾可動体４３０には、ＬＥＤ４５６、レンズ部４５２、及び遮光性の高い部材からなる発光基板４５７より主に構成される比較的シンプルな構成の発光装飾表示手段が具備され、ＬＥＤ４５６から投光される光の色を変化させるだけで、様々な表示態様（「三日月状の模様」、「所定の漢字」等）を表示することが可能である。さらに、レンズ部４５２を構成する赤色部４６０及び青色部４６１は、互いに同一面上に重複して配置される重複部が、白色部４５９として構成され、赤色及び青色を夫々透過可能である。従って、比較的簡易な構造を用いて赤色及び青色に対応する夫々の表示態様（「三日月状の模様」及び「所定の漢字」）を明瞭に表示することが可能となっている。
【０３３８】
さらに、本実施形態のパチンコ機１によると、第一装飾可動体４３０の発光装飾表示手段に発光基板４５７の裏側に遮光性の高い黒色塗料や黒色フィルム等からなる遮光部材が備えられている。従って、演出表示装置２１７から照射される光がレンズ部４５２に投光されることを防ぐことができ、所望の表示態様を所望の表示タイミングで明瞭に表示することができる。加えて、色の三原色を発光させる発光手段がＬＥＤ４５６から構成されていることにより、比較的他の色の波長成分を低減させることが容易で、表示内容を直感的に伝達させやすい第一装飾可動体４３０とすることができる。これにより、遊技者がストレスを感じ難く、遊技内容に関する興趣や注目度を低減させないばかりか一層向上させることが可能なパチンコ機１を提供することができる。
【０３３９】
一方、後装飾体２１６がキャラクタ体で構成されているから、遊技内容とキャラクタ体とが関連付けやすく、コミカルで親しみやすいパチンコ機１を提供できる。また、赤色部４６０及び青色部４６１が、黒色部４６２を背景とする同一面上に形成されていることにより、レンズ部４５２の背面にある部材（例えばＬＥＤ４５６や発光基板４５７）を見え難くすることができる。
【０３４０】
さらに、白色の部材を背景とする場合に比べて、光が透過することによって表示される表示態様、つまり発光によって表示される表示態様を効果的に浮かび上がらせることができ、よりインパクトの強い華やかな第一装飾可動体４３０を提供することができる。特に、第一装飾可動体４３０をキャラクタ体の一部に備え、サングラス４５３の中に適用していることで、黒色部４６２を生かした面白味の強いコミカルな演出を実現している。
【０３４１】
また、可動部材である第一装飾可動体４３０として構成していることにより、サングラス４５３内の表示領域に囚われずに自由度の高い演出を行うことが可能となる。特に、本実施形態のパチンコ機１によれば、第一装飾可動体４３０は、ＬＥＤ４５６、レンズ部４５２、及び遮光性の高い部材からなる発光基板４５７より主に構成される比較的シンプルな構成を呈し、さらに赤色部４６０及び青色部４６１が同一面上にコンパクトに形成されている。従って、可動体に好適に配置可能であるため、バラエティに富む演出を提供でき、広い年代層に受け入れられ易いパチンコ機１が提供できる。
【０３４２】
また、本実施形態のパチンコ機１によると、突起（突条）２７４が備えられているので、球案内路２７０内を流下する遊技球の流下方向が変えられたり、運動エネルギーの一部が吸収または消費されたりし、適度に減速されながらアウト口２２０へと流下していく。従って、流下途中で勢いがつきすぎて、アウト口２２０以外の場所へと跳ね飛んでいったり、他の配置物に衝突して破損させるようなトラブルを起こしにくく、好適にアウト口２２０へと案内される。さらに、好適にアウト口２２０へと案内されることから、遊技者に対して適度な緊張感（球案内路２７０へと遊技球を打ち込ませないよう集中する、といったような）を与えることが可能であり、遊技をよりスリリングなものとすることができる。
【０３４３】
また、突起（突条）２７４によって適度に減速され、スムーズにアウト口２２０へと案内できることにより、球案内路２７０に遊技球が受取られないように、ステージ２５６や他の遊技領域へと集中して遊技球を打ち込ませることができ、遊技球の打ち込み方に変化や工夫を生じさせることができる。従って、ステージ２５６に供給されなかった遊技球を用いて、遊技を飽きさせ難いものに感じさせる演出が可能となり、遊技者の集中力と興味を惹きつけ、興趣を効果的に高めることができる。
【０３４４】
また、遊技球を、主役物の外周面２７１に沿って転動させ、遊技領域３７の上方から下方へと流下させてアウト口２２０へと案内することができる。従って、主役物２１３の前方を横切ることなく、且つ遊技盤５の前方側（遊技者に視認可能な位置）に球案内路２７０を配置することができるため、遊技球が排出されるか否かでドキドキハラハラさせることができると共に、見えやすくすることで遊技者の目を疲弊させ難くでき、興趣を高められるものとすることができる。
【０３４５】
これにより、案内レール７８によって案内された遊技球が、勢い良く遊技領域３７へと放出された際に、より流下しやすい場所に球案内路２７０を配置しているので、遊技球がアウト口２２０へと案内されやすくなる。従って、遊技者は、注意深く力加減して遊技球を打ち込み、アウト口２２０へと遊技球が案内されないように集中して打ち込む必要が生じるため、より飽きさせない、スリリングなパチンコ機１を提供できる。
【０３４６】
さらに、球案内路２７０が、水平断面が略コの字形、つまり一部が開放された形状をしているので、遊技球が球案内路２７０内で詰まったり、ゴミが付着して流れが悪くなった場合でも、遊技盤５の前面から比較的簡易にメンテナンスすることができる。これにより、遊技を中断させる虞が低いので、より遊技者の集中力を低下させることなく快適に遊技を続行させることが可能なパチンコ機１が提供できる。
【０３４７】
また、外周面２７１と遊技盤ベース２１２の貫通孔２１１の内周面とが略並行に配置されていることにより、外周面２７１と貫通孔２１１の内周面との協働で挟み込むようにして遊技球を案内することが可能となる。つまり、遊技領域３７の上方から下方までスムーズに遊技球を案内することができるので、球案内路２７０を配置することによる緊張感を効果的に高めることができ、より遊技者の興趣を惹きつける事が可能となる。
【０３４８】
また、複数の突起２７４は、互いに対向する位置に交互に夫々形成されているから、例えばフランジ部２７２に形成された突起２７４は、譬え遊技球が装飾フランジ部２７３に沿って流下した場合でも、装飾フランジ部２７３の内壁の突起２７４に衝突させることができ、遊技球をフランジ部２７２へと押しやることができる。このように、対向して配置された複数の突起２７４に次々と衝突されられることにより、遊技球が適度に減速されてアウト口２２０へと案内される。また、球案内路２７０の配置方法が、湾曲している場合に限らずストレートであっても減速できることにより、球案内路２７０の配置方法に自由度があり、主役物２１３の形状や球案内路２７０の配置方法に制限を受けないためより好適である。
【０３４９】
また、ステージ２５６の後方に遊技球を流下させ遊技盤５の前面へと誘導する球誘導路２５７が備えられている。これにより、ステージ２５６の前方からのみから遊技球が流下する場合に比べて、より遊技者の注目を惹く事ができるパチンコ機１を提供できる。さらに、球誘導路２５７には、球受部２５９以外の場所から遊技球が脱落するのを防止する隔壁板２３３と凸条部材３０２、及び遊技球が球受部２５９から脱落しないよう防止する球誘導凹部２６２がさらに具備されているから、遊技球を確実に遊技領域３７へと復帰させることができるので、遊技者の目を楽しませることができ、効果的である。また、球誘導凹部２６２が透明な隔壁板２３３に設けられているので、遊技球が流下する位置を遊技者の視線に対して対向する位置に設けられる。従って、遊技者が流下位置を認識しやすく、注目を集めやすいため好適である。
【０３５０】
また、隔壁板２３３及び凸条部材３０２が設けられているから、開放部２５４や開口部３０４以外の場所から遊技球が脱落するのが防止される。さらに、球誘導凹部２６２が備えられているから、所望の位置、つまりステージ２５６の後側且つ下方の球受部２５９へと遊技球が確実に誘導され、遊技領域３７へと復帰させることができる。これにより、遊技者の目を充分に楽しませると共に、遊技球の脱落よって遊技に対する興趣が低下するのを防止できる。
【０３５１】
さらに、球誘導路２５７が透明な隔壁板２３３に設けられているので、遊技球が流下する位置を遊技者の視線に対して対向する位置に設けられる。従って、遊技者が流下位置を認識しやすく、遊技球の動きに注目を集められるためより好適である。
【０３５２】
また、凸条部材３０２のエッジ部３０３、つまり開口部３０４との境界部に遊技球が衝突し、ステージ２５６の前方側へと跳ね飛んで脱落するのを防止できると共に、ステージ２５６の左右方向に案内することで良好な転動演出を促進させることができる。さらに、エッジ部３０３を左右方向に斜めに傾斜させて形成したり、エッジ部３０３の角部を丸めて（所謂面取りをして）形成した場合は、遊技球の衝突による応力の集中を防止し、衝撃に強い構造とすることができる。すなわち、凸条部材３０２を壊れ難くすることができ、遊技を中断させてしまうことによる遊技者の集中力低下を防止できるから、より長い時間ストレス無く遊技を続行できるパチンコ機１を提供できる。
【０３５３】
さらに、傾斜２８４によってステージ２５６に供給された遊技球に運動エネルギーが付与されるので、球詰まりや滞留を起こしにくく、ステージ２５６上で躍動感に溢れる転動演出を行わせることが可能となる。また、延長転動面２６３などのエネルギー減衰手段によって、ステージ２５６上を転動する遊技球の余剰な転動エネルギーが適度に減衰されるので、譬え必要以上に転動速度が高くなってしまった場合であっても、遊技球が跳ね飛んで脱落したり、開口部３０４や開放部２５４以外の場所で落ちる虞が軽減される。これにより、遊技球をステージ２５６上で良好に転動させることができるので、遊技者の目を楽しませることができ好適である。
【０３５４】
また、軌道修正手段としての溝３０５が備えられているから、遊技球の転動する軌道がステージ２５６の前側または後側へと逸れにくく、ステージ２５６の前後略中央付近で良好に転動させることができる。
【０３５５】
また、延長転動面２６３が備えられているから、遊技球の転動距離が延長されるため、摩擦力として転動エネルギーが効果的に消費され、転動速度が減速される。また、延長転動面２６３がステージ２５６に向かって傾斜していることにより、ステージ２５６から遠ざかって延長転動面２６３上へと進入する遊技球の転動速度を効率的に減速させることができる。一方、延長転動面２６３上からステージ２５６上へと向かう遊技球は、当該傾斜を下ることによって加速され、元気良くステージ２５６上へと押し戻される。これにより、遊技球に躍動感のある良好な転動演出を行わせることができるため、より遊技者の目を楽しませることができ好適である。
【０３５６】
さらに、延長転動面２６３の前面に、隔壁板２３３との協働で溝を形成する装飾部材３０１が備えられている。これにより、溝内に遊技球が衝突することでより減速できることに加え、延長転動面２６３上から逸れて脱落しそうになる遊技球を延長転動面２６３上へと押し戻すことができる。従って、より安定してステージ２５６上で好適に遊技球を転動させることができるので、遊技者の興趣を惹き付け、魅力あるパチンコ機１を提供することができる。
【０３５７】
また、演出表示手段２１７を遊技盤５の後方に配置していることにより、ステージ２５６上で転動する遊技球の動きを遮蔽することがなく、遊技球の動きをより楽しみやすいため好適である。また、延長転動面２６３の前方に位置するキャラクタ体２３１の一部が透明なので、その後方に位置する遊技球の転動演出や、さらに後方に位置する演出画像を遮ることがなく、各種演出を楽しみやすくて好適である。さらに、ステージ２５６が、演出表示手段２１７の下側に備えられていることによりステージ２５６で遮蔽して邪魔する虞も少なく、双方の演出をより簡易に楽しむことができる。従って、遊技者が、より多様な演出を容易に楽しむことができるため、飽きさせ難いパチンコ機１を提供できる。
【０３５８】
また、ステージ２５６の後方且つ演出表示手段２１７の前方に、透明な板状の隔壁板２３３が備えられている。これにより、ステージ２５６の後方から遊技球が脱落せず、より良好に転動演出を行えるようになる。さらに、隔壁板２３３が透明であるから、後方に位置する演出表示手段２１７によって表示される演出画像を遮蔽することが無い。従って、より遊技者の目を楽しませることができ好適である。
【０３５９】
また、本実施形態のパチンコ機１によると、延長転動面２６３を、ステージ２５６上の何れかの場所に設けたり、ステージ上以外の場所に設ける（つまり、所定値以上の速度で転動する遊技球を誘導して減速させる）のではなく、ステージ２５６の一端側に形成する構成である。これにより、主役物２１３内に進入した遊技球に余すことなく転動演出を行わせることができ、遊技者の目を楽しませることができる。また、遊技球がステージ２５６上に供給される速度を制限しないため、元気良くステージ２５６上を転動させることができ、転動状態を躍動的に楽しませることが可能となる。これにより、遊技者の興趣の低減を効果的に防止することができる。
【０３６０】
また、第一ベース４７５，第二ベース６３５の全長に対してその一部である取付当接面４７４，６３４のみを遊技盤ベース２１２と当接させて取付固定するようにしているので、遊技盤ベース２１２や第一ベース４７５，第二ベース６３５等の寸法誤差等があっても、その誤差による影響を可及的に少なくすることが可能となり、遊技盤ベース２１２に第一ベース４７５，第二ベース６３５を取付固定してもそれらに歪等の不具合が発生するのを防止することができ、遊技盤ベース２１２（遊技盤５）に第一ベース４７５，第二ベース６３５を良好に取付けることができる。そのため、第一装飾可動体４３０，第二装飾可動体４３２を誘導案内する案内レール４７１，６３１の長さを長くすることで案内レール４７１，６３１を支持する第一ベース４７５，第二ベース６３５が長くなっても、遊技盤５に第一ベース４７５，第二ベース６３５を良好に取付固定することができるので、案内レール４７１，６３１の長さを長くして第一装飾可動体４３０，第二装飾可動体４３２が大きく移動するようにさせることが可能となり、第一装飾可動体４３０，第二装飾可動体４３２の演出動作を認識し易くして、その演出動作により遊技者の興趣が低下するのを防止することのできるものとすることができる。
【０３６１】
また、第一ベース４７５，第二ベース６３５の上側に配置された取付当接面４７４，６３４で遊技盤ベース２１２に取付固定するようにしている。つまり、第一ベース４７５，第二ベース６３５の一方の側でのみ取付固定するようにしているので、遊技盤ベース２１２への取付けが第一ベース４７５，第二ベース６３５の上側だけで済み、取付けにかかる手間を簡略化することができると共に、例えば、遊技盤５の面に対して左右方向の力が作用して取付当接面４７４，６３４の垂直線上から第一ベース４７５，第二ベース６３５の重心が左右の何れかにずれても、その重心にかかる回転モーメントが、第一ベース４７５，第二ベース６３５の重心を取付当接面４７４，６３４の垂直線上に戻すように作用し、第一ベース４７５，第二ベース６３５が元の位置に復帰するので、取付当接面４７４，６３４やビス等に第一ベース４７５，第二ベース６３５にかかる重量以外の力が作用するのを抑制することができ、第一ベース４７５，第二ベース６３５を良好に取付固定することができると共に、第一ベース４７５，第二ベース６３５等が変形して不具合が発生するのを防止することができる。
【０３６２】
更に、第一ベース４７５，第二ベース６３５の取付当接面４７４，６３４の上部にビスを挿通する取付孔５１２，６７２を穿設しており、これにより、第一ベース４７５，第二ベース６３５の上部のみで取付けているので、ビスの数を可及的に少なくすることができ、取付けにかかる手間を簡略化することができると共に、上述と同様の理由により、ビスや取付当接面４７４，６３４にかかる回転モーメントを可及的にかかり難くすることができ、第一ベース４７５，第二ベース６３５を良好に遊技盤ベース２１２に取付固定することができる。
【０３６３】
また、遊技盤ベース２１２へ取付固定するための第一ベース４７５，第二ベース６３５の取付当接面４７４，６３４が配置された側と同じ上側に、移動手段の駆動プーリ４７８，６３８が配置されている。つまり、駆動プーリ４７８，６３８を回転駆動する第一駆動モータ４７７，第二駆動モータ６３７が取付当接面４７４，６３４に近い第一ベース４７５，第二ベース６３５の上側で支持されるので、振動や駆動反力の発生源である第一駆動モータ４７７，第二駆動モータ６３７に可及的に近い位置で取付当接面４７４，６３４を介して遊技盤ベース２１２に取付固定することとなり、第一駆動モータ４７７，第二駆動モータ６３７からの振動等が第一ベース４７５，第二ベース６３５全体に伝わるのを防止することができると共に、第一ベース４７５，第二ベース６３５の振動により第一ベース４７５，第二ベース６３５に支持された案内レール４７１，６３１等の各部材が振動し、他の部材と当接して破損したり、各部材同士の組付けが緩んだりして第一昇降部材４７０，第二昇降部材６３０を良好に誘導案内させることができなくなるのを防止することができる。
【０３６４】
更に、第一装飾可動体４３０，第二装飾可動体４３２を保持する第一昇降部材４７０，第二昇降部材６３０は、二つの支持ブッシュ５３２，６９２を介して案内レール４７１，６３１に摺動案内されるので、摺動部分の接触面積を可及的に少なくすることが可能となり、摺動抵抗を低減させることができ、第一装飾可動体４３０，第二装飾可動体４３２と共に第一昇降部材４７０，第二昇降部材６３０を上下方向に良好に誘導案内させることができると共に、第一装飾可動体４３０，第二装飾可動体４３２を大型化することが可能となり、第一装飾可動体４３０，第二装飾可動体４３２をより目立たせてより演出効果の高いものとすることができ、興趣が低下するのを防止することができる。また、第一装飾可動体４３０，第二装飾可動体４３２を大型化しても摺動抵抗が増加するのを抑制することができるので、駆動力の大きい大型の第一駆動モータ４７７，第二駆動モータ６３７等からなる移動手段を用いなくても、第一装飾可動体４３０，第二装飾可動体４３２を保持する第一昇降部材４７０，第二昇降部材６３０を良好に誘導案内させることが可能となり、所望の大きさの第一装飾可動体４３０，第二装飾可動体４３２を遊技機に備えることができ、より興趣の高められるものとすることができる。
【０３６５】
また、摺動抵抗を低減させることができるので、静止状態の第一昇降部材４７０，第二昇降部材６３０を移動させるために必要な駆動力が少なくて済み、容易に第一昇降部材４７０，第二昇降部材６３０を移動開始させることができる。つまり、第一昇降部材４７０，第二昇降部材６３０の移動レスポンスを高くすることができるので、第一昇降部材４７０，第二昇降部材６３０すなわち第一装飾可動体４３０，第二装飾可動体４３２を機敏に移動させることが可能となり、第一装飾可動体４３０，第二装飾可動体４３２の動きによるインパクトをより高めることができ、興趣が低下するのを抑制することができる。
【０３６６】
また、案内レール４７１，６３１の表面に摩擦低減層が形成されており、案内レール４７１，６３１と支持ブッシュ５３２，６９２との摺動抵抗を低減させることができるので、支持ブッシュ５３２，６９２を介して第一昇降部材４７０，第二昇降部材６３０を良好に誘導案内させることができると共に、摺動部における摩擦が低減されて摩耗し難くすることが可能となり、案内レール４７１，６３１や支持ブッシュ５３２，６９２が早期に摩耗して第一昇降部材４７０，第二昇降部材６３０すなわち第一装飾可動体４３０，第二装飾可動体４３２の動作不良を招くのを防止することができる。
【０３６７】
更に、二つの支持ブッシュ５３１，６９１を介して支持シャフト５３０，６９０を第一昇降部材４７０，第二昇降部材６３０に回転可能に保持するようにしているので、これにより、支持シャフト５３０，６９０を第一昇降部材４７０，第二昇降部材６３０がかかる部分全体で回動可能に保持する場合と比較して、支持シャフト５３０，６９０との接触部分が可及的に少なくなり、支持シャフト５３０，６９０にかかる摩擦抵抗を低減させることが可能となり、支持シャフト５３０，６９０を良好に回動させることができ、支持シャフト５３０，６９０に支持された第一装飾可動体４３０，第二装飾可動体４３２をスムーズに演出動作させて、興趣の高められるものとすることができる。
【０３６８】
また、第一昇降部材４７０，第二昇降部材６３０の本体部５３４，６９４とブッシュ固定部材５３５，６９５とで各支持ブッシュ５３２，６９２、及び５３１，６９１を所定の位置に保持するようにしているので、これにより、これら支持ブッシュ５３２，６９２、及び５３１，６９１を本体部５３４，６９４とブッシュ固定部材５３５，６９５とで簡単に保持することができ、容易に組み立てられるものとすることができる。
【０３６９】
更に、第一装飾可動体４３０，第二装飾可動体４３２を駆動ベルト４８０，６４０の回転駆動により移動させるようにしており、ネジ部材等の移動手段を用いた場合と比較して、第一装飾可動体４３０，第二装飾可動体４３２の移動速度をより速く移動させることができ、速く移動する第一装飾可動体４３０，第二装飾可動体４３２により遊技者に強く印象付けることができるので、第一装飾可動体４３０，第二装飾可動体４３２に注目させてその演出動作を楽しませることが可能となり、遊技に対する興趣が低下するのを防止することができる。また、同じ移動量をソレノイドやシリンダを用いて移動させる場合と比較してより小型化することが可能となり、遊技機に設置し易いものとすることができると共に、第一装飾可動体４３０，第二装飾可動体４３２の移動量をより大きくしても遊技機に設置することができるので、第一装飾可動体４３０，第二装飾可動体４３２をより大きく移動させることができ、第一装飾可動体４３０，第二装飾可動体４３２の演出動作を認識し易くして、その演出動作により興趣が低下するのを防止することのできる。
【０３７０】
また、第一昇降部材４７０，第二昇降部材６３０を案内レール４７１，６３１により誘導案内するようにしているので、撓み易い駆動ベルト４８０，６４０を用いて第一昇降部材４７０，第二昇降部材６３０を移動させても、案内レール４７１，６３１により第一昇降部材４７０，第二昇降部材６３０を真直ぐ誘導案内させることができ、移動の際に第一昇降部材４７０，第二昇降部材６３０、つまり、第一装飾可動体４３０，第二装飾可動体４３２を所望の姿勢で良好に移動させることができる。
【０３７１】
更に、駆動ベルト４８０，６４０と駆動プーリ４７８，６３８の係合歯４８４，６４４と被係合歯４８５，６４５とを互いに係合させることで、駆動ベルト４８０，６４０が駆動プーリ４７８，６３８の外周面上を滑り難くすることができ、駆動プーリ４７８，６３８から回転駆動を確実に駆動ベルト４８０，６４０に伝達させることができると共に、駆動プーリ４７８，６３８の回転速度を速くしても、駆動プーリ４７８，６３８と駆動ベルト４８０，６４０との間で滑りが発生しないので、より速い速度で駆動ベルト４８０，６４０を駆動させることが可能となり、第一昇降部材４７０，第二昇降部材６３０を介して第一装飾可動体４３０，第二装飾可動体４３２をより速い速度で移動させることができ、よりインパクトの強い動きを第一装飾可動体４３０，第二装飾可動体４３２にさせて、興趣の高められるものとすることができる。
【０３７２】
また、駆動プーリ４７８，６３８を上側に、従動プーリ４７９，６３９を下側に配置しているので、駆動ベルト４８０，６４０は、これに固定された第一昇降部材４７０，第二昇降部材６３０等の重さにより下方、つまり、駆動プーリ４７８，６３８とは離反する方向に引張られる力が作用し、その力により駆動プーリ４７８，６３８への駆動ベルト４８０，６４０の巻き掛け力が強くなり、それらの間で摩擦力が大きくなって互いに滑り難くすることができ、駆動プーリ４７８，６３８により確実に駆動ベルト４８０，６４０を駆動させることができると共に、駆動プーリ４７８，６３８と駆動ベルト４８０，６４０とが滑って第一昇降部材４７０，第二昇降部材６３０が降下するのを防止することができ、第一昇降部材４７０，第二昇降部材６３０を介して第一装飾可動体４３０，第二装飾可動体４３２に所望の動きをさせることが可能となり、第一装飾可動体４３０，第二装飾可動体４３２に所定の演出動作をさせて、興趣の高められるものとすることができる。
【０３７３】
また、従動プーリ４７９，６３９を駆動プーリ４７８，６３８と離反する方向に付勢するテンションバネ４９５，６５５を備えているので、駆動ベルト４８０，６４０に所定のテンションを付与することができ、駆動プーリ４７８，６３８と従動プーリ４７９，６３９とに巻き掛けられる駆動ベルト４８０，６４０の張力を適宜なものとして、駆動ベルト４８０，６４０を良好に回転駆動させることができる。
【０３７４】
更に、駆動プーリ４７８，６３８と従動プーリ４７９，６３９とを上下方向に配置し、案内レール４７１，６３１が遊技盤５（遊技盤ベース２１２）の面に略沿うように上下方向に配置されている。つまり、第一装飾可動体４３０及び第二装飾可動体４３２を、パチンコ機１における遊技盤５の面に直角方向（前後方向）の寸法に対して、相対的に大きい寸法とされている上下方向（遊技盤の面に沿った方向）に移動するようにしているので、第一装飾可動体４３０及び第二装飾可動体４３２の移動量を可及的に大きくすることが可能となり、第一装飾可動体４３０及び第二装飾可動体４３２の動きをより認識し易いようにして、その演出動作を楽しませて興趣が低下するのを防止することができる。また、第一装飾可動体４３０及び第二装飾可動体４３２を上下方向に移動させることができるので、遊技領域３７を流下する遊技球の流れ方向と略同じ上下方向に第一装飾可動体４３０及び第二装飾可動体４３２が移動し、遊技球と第一装飾可動体４３０及び第二装飾可動体４３２との間での遊技者の目線移動がし易く早期に遊技者が疲労するのを抑制することができ興趣が低下するのを防止することができる。
【０３７５】
また、板金からなる第一ベース４７５及び第二ベース６３５により、樹脂からなる第一上部支持部材４７２，第二上部支持部材６３２、及び第一下部支持部材４７３，第二下部支持部材６３３を支持すると共に、それら第一上部支持部材４７２，第二上部支持部材６３２、及び第一下部支持部材４７３，第二下部支持部材６３３により案内レール４７１，６３１を支持するようにしているので、大型化すると歪みの大きくなる樹脂部材を可及的に小さくすることが可能となり、案内レール４７１，６３１を長くしても案内レール４７１，６３１を所望の位置に正確に支持することができ、案内レール４７１，６３１により第一昇降部材４７０及び第二昇降部材６３０を介して第一装飾可動体４３０及び第二装飾可動体４３２を良好に誘導案内させることが可能となるので、第一装飾可動体４３０及び第二装飾可動体４３２がより大きく動くようにすることができ、第一装飾可動体４３０及び第二装飾可動体４３２の演出動作を認識し易くして、その演出動作により興趣が低下するのを防止することができる。
【０３７６】
また、第一上部支持部材４７２，第二上部支持部材６３２、及び第一下部支持部材４７３，第二下部支持部材６３３とにより第一ベース４７５，第二ベース６３５、案内レール４７１，６３１、及び案内ロッド４９１，６５１が一体的に組み付けられ、夫々の剛性の相乗効果によって全体的な強度剛性が高められているので、第一ベース４７５，第二ベース６３５や案内レール４７１，６３１を長くして第一昇降部材４７０，第二昇降部材６３０の移動量を大きくしても、第一昇降部材４７０，第二昇降部材６３０の移動によって発生する反力や振動等により第一ベース４７５，第二ベース６３５や案内レール４７１，６３１が変形するのを防止して、第一昇降部材４７０，第二昇降部材６３０を介して第一装飾可動体４３０，第二装飾可動体４３２を良好に移動させることができると共に、第一装飾可動体４３０，第二装飾可動体４３２がより大きく動くようにして第一装飾可動体４３０，第二装飾可動体４３２の演出動作を認識し易くし、その演出動作により興趣が低下するのを防止することができる。
【０３７７】
また、第一上部支持部材４７２，第二上部支持部材６３２、及び第一下部支持部材４７３，第二下部支持部材６３３と、第一ベース４７５及び第二ベース６３５とを組付ける際に、位置決め突起５１１，６７１を位置決め孔５１０，６７０に嵌合させるだけで、第一上部支持部材４７２と第一下部支持部材４７３、或いは、第二上部支持部材６３２と第二下部支持部材６３３を所定距離離れた所定位置に容易に位置決め支持することができ、案内レール４７１，６３１を所望の位置に容易に配置支持することができる。
【０３７８】
更に、第一装飾可動体４３０及び第二装飾可動体４３２を支持する支持シャフト５３０，６９０を回動させる第一装飾可動体ソレノイド５５１，第二装飾可動体ソレノイド７１１等の回動手段を備えているので、第一装飾可動体４３０及び第二装飾可動体４３２を支持シャフト５３０，６９０の軸芯周りに回動させることができ、第一装飾可動体４３０及び第二装飾可動体４３２を案内レール４７１，６３１の延在する上下方向だけでなく、支持シャフト５３０，６９０の軸芯周りの方向にも動かすことが可能となり、第一装飾可動体４３０及び第二装飾可動体４３２の動きをより複雑な動きとすることができ、より演出効果の高い動きをさせることで興趣の高められるものとすることができる。
【０３７９】
また、支持シャフト５３０，６９０を回動させる第一装飾可動体ソレノイド５５１，第二装飾可動体ソレノイド７１１等の回動手段を、第一昇降部材４７０，第二昇降部材６３０の第一装飾可動体４３０，第二装飾可動体４３２が保持される側とは案内レール４７１，６３１を挟んで反対側に配置したものである。これにより、第一昇降部材４７０，第二昇降部材６３０は、案内レール４７１，６３１を挟んで一方の側に第一装飾可動体４３０，第二装飾可動体４３２を、他方の側に第一装飾可動体ソレノイド５５１，第二装飾可動体ソレノイド７１１等の回動手段を夫々保持することとなり、案内レール４７１，６３１を挟んで両側に夫々所定の荷重がかかることとなるので、第一昇降部材４７０，第二昇降部材６３０にかかる偏荷重が緩和され、第一昇降部材４７０，第二昇降部材６３０と、案内レール４７１，６３１との間で偏摩擦や偏摩耗が発生するのを抑制し、偏荷重により案内レール４７１，６３１に誘導案内される第一昇降部材４７０，第二昇降部材６３０が滑らかに誘導されずぎこちない動きとなったり、誘導案内することができなくなったりするのを防止することができる。
【０３８０】
また、回動手段の駆動源として第一装飾可動体ソレノイド５５１，第二装飾可動体ソレノイド７１１を用いているので、モータを用いた場合と比較して、レスポンスの良い速い動きをさせることが可能となり、第一装飾可動体４３０，第二装飾可動体４３２によりインパクトの強い演出動作をさせることができ、より興趣の高められるものとすることができる。
【０３８１】
また、第一回転防止手段４９０，第二回転防止手段６５０により第一昇降部材４７０，第二昇降部材６３０が案内レール４７１，６３１の軸芯周りに回転するのを防止することができるので、特に、振動の多い駆動ベルト４８０，６４０により第一昇降部材４７０，第二昇降部材６３０を移動させても、第一昇降部材４７０，第二昇降部材６３０に保持された第一装飾可動体４３０，第二装飾可動体４３２が案内レール４７１，６３１の軸芯周りに回転、つまり、軸芯周りに振れるのを良好に防止することが可能となり、意図しない振れを抑制して所望の演出動作を確実に行わせることができ、興趣が低下するのを防止することができると共に、第一装飾可動体４３０，第二装飾可動体４３２をより大きなものとすることが可能となり、第一装飾可動体４３０，第二装飾可動体４３２をより目立たせて、第一装飾可動体４３０，第二装飾可動体４３２による演出効果をより高めることができる。
【０３８２】
更に、第一回転防止手段４９０，第二回転防止手段６５０における案内ロッド４９１，６５１の両端を第一上部支持部材４７２，第二上部支持部材６３２と、第一下部支持部材４７３，第二下部支持部材６３３とで支持するようにしているので、案内ロッド４９１，６５１を支持するための支持部材を別途備える必要がなく、案内ロッド４９１，６５１を支持するための構成を簡略化することができ、コストが増加するのを抑制することができる。また、案内レール４７１，６３１と同様に案内ロッド４９１，６５１の支持精度も向上させることができるので、案内レール４７１，６３１の長大化に伴って案内ロッド４９１，６５１を長くしても、案内レール４７１，６３１と案内ロッド４９１，６５１との関係を良好な状態で維持することが可能となり、第一昇降部材４７０，第二昇降部材６３０の振れを良好に防止することができ、第一装飾可動体４３０，第二装飾可動体４３２をより目立つように大型化して第一装飾可動体４３０，第二装飾可動体４３２の演出動作によって興趣を高められるものとすることができる。
【０３８３】
また、遊技盤ベース２１２に対して第一ベース４７５，第二ベース６３５を、後面側に取付固定すると共に、遊技盤ベース２１２に前後方向に貫通する貫通口２１１を設けて、その貫通口２１１を通して第一ベース４７５，第二ベース６３５に支持された第一装飾可動体４３０，第二装飾可動体４３２が遊技者側から視認可能としているので、これにより、遊技盤ベース２１２の後面側に第一ベース４７５，第二ベース６３５を取付けても、貫通口２１１を通して第一ベース４７５，第二ベース６３５に支持された案内レール４７１，６３１に誘導案内される第一装飾可動体４３０，第二装飾可動体４３２を遊技者に視認させることができ、第一装飾可動体４３０，第二装飾可動体４３２の動きを楽しませて興趣が低下するのを抑制することができるものとすることができる。
【０３８４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０３８５】
すなわち、上記実施形態では、延長転動面２６３を用いて遊技球の転動エネルギーを減衰する構成を例示したが、これに限定するものではなく、例えば低反発性の部材を用いたり、多数の突起部（所謂減速帯）を設けたり、これらを組み合わせたものであっても良い。この場合でも、上記と同様の作用効果を奏することができる。
【０３８６】
また、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【図面の簡単な説明】
【０３８７】
【図１】パチンコ機の前側全体を示す正面図である。
【図２】パチンコ機の外枠の一側に本体枠が開かれその本体枠の一側に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】遊技盤の背面斜視図である。
【図１０】遊技領域を有した遊技盤の構成を示す拡大正面図である。
【図１１】遊技盤を右斜め前方から示す斜視図である。
【図１２】遊技盤を斜め後方から示す斜視図である。
【図１３】図１２における主制御基板ボックス、副制御基板ボックス等を外した状態で示す斜視図である。
【図１４】遊技盤を分解して斜め前方から示す斜視図である。
【図１５】主役物の正面図である。
【図１６】主役物を斜め前方から示す斜視図である。
【図１７】主役物を斜め後方から示す斜視図である。
【図１８】主役物を分解して斜め前方から示す分解斜視図でる。
【図１９】主役物のステージ付近を拡大して示す拡大正面図である。
【図２０】左右の可動装飾体及び装飾体駆動ユニットを示す斜視図である。
【図２１】（Ａ）は左可動装飾体を斜め後方から示す斜視図であり（Ｂ）は左可動装飾体を分解して斜め前方から示す分解斜視図である。
【図２２】（Ａ）は右可動装飾体を斜め後方から示す斜視図であり、（Ｂ）は右可動装飾体を分解して斜め前方から示す分解斜視図である。
【図２３】（Ａ）は左可動装飾体駆動ユニットの分解斜視図であり、（Ｂ）は右可動装飾体駆動ユニットの分解斜視図である。
【図２４】左右の可動装飾体の動きを示す説明図である。
【図２５】主入賞口ユニット、遊技領域内装飾体、及び排出誘導部材を斜め前方から示す斜視図である。
【図２６】（Ａ）は主入賞口ユニットにおける始動口の要部を拡大して示す斜視図であり、（Ｂ）はその側面図である。
【図２７】（Ａ）は主入賞口ユニットにおけるアタッカ装置の要部を示す斜視図であり、（Ｂ）はその側面図である。
【図２８】主入賞口ユニットを斜め後方下側から示す斜視図である。
【図２９】遊技領域内装飾体を斜め後方から示す背面斜視図である。
【図３０】主入賞口ユニット、遊技領域内装飾体、及び排出誘導部材における遊技球の流路を示す断面図である。
【図３１】後装飾体を斜め前方から示す斜視図である。
【図３２】後装飾体を分解して斜め前方から示す分解斜視図である。
【図３３】後装飾体を分解して斜め後方から示す分解斜視図である。
【図３４】後装飾体における第一装飾可動体ユニットを斜め前方から示す斜視図である。
【図３５】第一装飾可動体ユニットを主要部毎に分解して斜め前方から示す分解斜視図である。
【図３６】（Ａ）は第一装飾可動体ユニットにおける第一装飾可動体を分解して斜め前方から示す分解斜視図であり、（Ｂ）は第一装飾可動体におけるレンズ部を示す拡大正面図である。
【図３７】第一装飾可動体ユニットにおける第一装飾可動体駆動ユニットを斜め前方から示す斜視図である。
【図３８】第一装飾可動体駆動ユニットを斜め後方から示す斜視図である。
【図３９】第一装飾可動体駆動ユニットを主要部毎に分解して示す分解斜視図である。
【図４０】図３９よりも更に分解して示す分解斜視図である。
【図４１】（Ａ）は第一装飾可動体駆動ユニットにおける第一昇降部材を示す斜視図であり、（Ｂ）は第一昇降部材の分解斜視図である。
【図４２】第一昇降部材における第一装飾可動体ソレノイドと回動伝達部材との関係を示す説明図である。
【図４３】後装飾体における第二装飾可動体ユニットを斜め前方から示す斜視図である。
【図４４】第二装飾可動体ユニットを主要部毎に分解して斜め前方から示す分解斜視図である。
【図４５】第二装飾可動体ユニットにおける第二装飾可動体を分解して示す分解斜視図である。
【図４６】第二装飾可動体ユニットにおける第二装飾可動体駆動ユニットを斜め前方から示す斜視図である。
【図４７】第二装飾可動体駆動ユニットを主要部毎に分解して示す分解斜視図である。
【図４８】図４７よりも更に分解して示す分解斜視図である。
【図４９】（Ａ）は第二装飾可動体駆動ユニットにおける第二昇降部材を示す斜視図であり、（Ｂ）は第二昇降部材の分解斜視図である。
【図５０】第二昇降部材における第二装飾可動体ソレノイドとリンク機構との関係を示す説明図である。
【図５１】装飾可動体ユニットカバーを斜め前方から示す斜視図である。
【図５２】装飾可動体ユニットカバーの要部を示す説明図である。
【図５３】制御構成を概略的に示すブロック図である。
【図５４】主役物における可動装飾体が略垂直方向に回動した状態を示す遊技領域の正面図である。
【図５５】図５４の状態から更に後装飾体の第一装飾可動体及び第二装飾可動体を可動させた状態を示す遊技領域の正面図である。
【図５６】後装飾体の第一装飾可動体及び第二装飾可動体を可動させた状態を示す遊技領域の正面図である。
【図５７】第一装飾可動体及び第二装飾可動体の可動範囲を示す説明図である。
【図５８】遊技盤を左斜め前方から示す斜視図である。
【図５９】第一装飾可動体におけるレンズ部の別の形態を示す拡大正面図である。
【図６０】主役物における可動装飾体が略水平方向に回動した後装飾体の第一装飾可動体及び第二装飾可動体を可動させた状態の別の状態を示す正面図である。
【符号の説明】
【０３８８】
１  パチンコ機
５  遊技盤
３７  遊技領域
７８  案内レール
７９  前構成部材
２１０  開口
２１１  貫通口
２１２  遊技盤ベース
２１３  主役物
２１４  主入賞口ユニット
２１５  遊技領域内装飾体
２１６  後装飾体
２１７  演出表示装置（演出表示手段）
２１８  排出誘導部材
２１９  風車
２２０  アウト口
２３０  枠状装飾体
２３１  キャラクタ体
２３２  装飾部材
２３３  隔壁板
２３４  右可動装飾体（前側可動体）
２３５  左可動装飾体（前側可動体）
２３６  右可動装飾体駆動ユニット
２３７  左可動装飾体駆動ユニット
２３８  チャッカー
２３９  通過検出センサ
２４０  チャッカーカバー
２５０  ワープ入口
２５１  ワープ出口
２５２  ワープ通路
２５３  転動面
２５４  開放部（前流下口）
２５５  堰部
２５６  ステージ
２５７  球誘導路（誘導手段）
２５８  球案内部
２５９  球受部（受部）
２６０  球流出口（流出口）
２６１  球誘導部
２６２  球誘導凹部（誘導凹部）
２６３  延長転動面（エネルギー減衰手段）
２７０  球案内路（排出口案内手段）
２７１  外周面（案内面）
２７２  フランジ部（第一フランジ部）
２７３  装飾フランジ部（第二フランジ部）
２７４  突起（減速手段）
２８０  突壁部
２８１  段差
２８４  傾斜（エネルギー付与手段）
２９２  本体部
３０１  装飾部材３０１（エネルギー減衰手段、壁状の衝突部材）
３０２  凸条部材（開口部案内手段）
３０４  開口部（後流下口）
３０５  溝（エネルギー付与手段）
３１０  可動装飾体駆動モータ
４３０  第一装飾可動体（第一可動体）
４３２  第二装飾可動体（第二可動体）
４５０  第一装飾可動体駆動ユニット（第一駆動ユニット）
４７０  第一昇降部材
４７１  案内レール
４７２  第一上部支持部材
４７３  第一下部支持部材
４７４  取付当接面
４７５  第一ベース
４７７  第一駆動モータ
４７８  駆動プーリ
４７９  従動プーリ
４８０  駆動ベルト
４８１  ベルト固定部
４８２  駆動ギヤ
４８３  伝達ギヤ
４８４  係合歯
４８５  被係合歯
４９０  第一回転防止手段
４９１  案内ロッド
４９２  案内部材
４９３  テンション機構
４９５  テンションバネ
５０９  支持面
５１０  位置決め孔
５１１  位置決め突起
５１２  取付孔
５３０  支持シャフト
５３１  支持ブッシュ
５３２  支持ブッシュ
５３３  挿通孔
５３４  本体部
５３５  ブッシュ固定部材
５３６  段付凹部
５３７  嵌合凹部
５３８  収容部
５３９  抜止片
５４０  嵌合凹部
５４１  収容部
５５０  プランジャ
５５１  第一装飾可動体ソレノイド（回動手段）
５５３  回動伝達部材
６１０  第二装飾可動体駆動ユニット（第二駆動ユニット）
６３０  第二昇降部材
６３１  案内レール
６３２  第二上部支持部材
６３３  第二下部支持部材
６３４  取付当接面
６３５  第二ベース
６３７  第二駆動モータ
６３８  駆動プーリ
６３９  従動プーリ
６４０  駆動ベルト
６４１  ベルト固定部
６４２  駆動ギヤ
６４３  伝達ギヤ
６４４  係合歯
６４５  被係合歯
６５０  第二回転防止手段
６５１  案内ロッド
６５２  案内部材
６５３  テンション機構
６５５  テンションバネ
６６９  支持面
６７０  位置決め孔
６７１  位置決め突起
６７２  取付孔
６９０  支持シャフト
６９１  支持ブッシュ
６９２  支持ブッシュ
６９３  挿通孔
６９４  本体部
６９５  ブッシュ固定部材
６９６  段付凹部
６９７  嵌合凹部
６９８  収容部
６９９  抜止片
７００  嵌合凹部
７０１  収容部
７１０  プランジャ
７１１  第二装飾可動体ソレノイド（回動手段）
７１２  リンク機構
【図１】
0005130554.tif 000002
【図２】
0005130554.tif 000003
【図３】
0005130554.tif 000004
【図４】
0005130554.tif 000005
【図５】
0005130554.tif 000006
【図６】
0005130554.tif 000007
【図７】
0005130554.tif 000008
【図８】
0005130554.tif 000009
【図９】
0005130554.tif 000010
【図１０】
0005130554.tif 000011
【図１１】
0005130554.tif 000012
【図１２】
0005130554.tif 000013
【図１３】
0005130554.tif 000014
【図１４】
0005130554.tif 000015
【図１５】
0005130554.tif 000016
【図１６】
0005130554.tif 000017
【図１７】
0005130554.tif 000018
【図１８】
0005130554.tif 000019
【図１９】
0005130554.tif 000020
【図２０】
0005130554.tif 000021
【図２１】
0005130554.tif 000022
【図２２】
0005130554.tif 000023
【図２３】
0005130554.tif 000024
【図２４】
0005130554.tif 000025
【図２５】
0005130554.tif 000026
【図２６】
0005130554.tif 000027
【図２７】
0005130554.tif 000028
【図２８】
0005130554.tif 000029
【図２９】
0005130554.tif 000030
【図３０】
0005130554.tif 000031
【図３１】
0005130554.tif 000032
【図３２】
0005130554.tif 000033
【図３３】
0005130554.tif 000034
【図３４】
0005130554.tif 000035
【図３５】
0005130554.tif 000036
【図３６】
0005130554.tif 000037
【図３７】
0005130554.tif 000038
【図３８】
0005130554.tif 000039
【図３９】
0005130554.tif 000040
【図４０】
0005130554.tif 000041
【図４１】
0005130554.tif 000042
【図４２】
0005130554.tif 000043
【図４３】
0005130554.tif 000044
【図４４】
0005130554.tif 000045
【図４５】
0005130554.tif 000046
【図４６】
0005130554.tif 000047
【図４７】
0005130554.tif 000048
【図４８】
0005130554.tif 000049
【図４９】
0005130554.tif 000050
【図５０】
0005130554.tif 000051
【図５１】
0005130554.tif 000052
【図５２】
0005130554.tif 000053
【図５３】
0005130554.tif 000054
【図５４】
0005130554.tif 000055
【図５５】
0005130554.tif 000056
【図５６】
0005130554.tif 000057
【図５７】
0005130554.tif 000058
【図５８】
0005130554.tif 000059
【図５９】
0005130554.tif 000060
【図６０】
0005130554.tif 000061